(57)【要約】  グループオーナーネゴシエーション要求フレーム（１００）は、無線通信端末装置（２ａ）がＷｉ−Ｆｉ方式で無線接続を確立したときに無線通信端末装置（２ａ）が属していたネットワークを識別するＢＳＳＩＤを含む。グループオーナーネゴシエーション応答フレーム（２００）は、無線通信端末装置（２ｂ）がＷｉ−Ｆｉ方式で無線接続を確立したときに無線通信端末装置（２ｂ）が属していたネットワークを識別するＢＳＳＩＤを含む。グループオーナーネゴシエーション確認フレーム（３００）は、グループオーナーネゴシエーション応答フレーム（２００）に含まれるＢＳＳＩＤと無線通信端末装置（２ａ）のＷｉ−Ｆｉ接続情報管理部１４に格納されているＢＳＳＩＤとの比較結果を含む。
2014024351.tif 000002
【特許請求の範囲】
【請求項１】
無線接続を確立するための認証情報を用いて認証処理を実行することにより、所定の第１の通信方式又は所定の第２の通信方式で互いに無線接続される第１及び第２の無線通信端末装置を備えた無線通信システムにおいて、
上記第１の無線通信端末装置は、
上記第１の無線通信端末装置が上記第１の通信方式で無線接続を確立したときに用いられた認証情報と、上記第１の無線通信端末装置が上記第１の通信方式で無線接続を確立したときに上記第１の無線通信端末装置が属していた第１のネットワークの第１のネットワーク識別情報とを格納する第１の接続情報管理部と、
上記第２の通信方式で無線接続を確立する第１の接続制御部とを備え、
上記第２の無線通信端末装置は、
上記第２の無線通信端末装置が上記第１の通信方式で無線接続を確立したときに用いられた認証情報と、上記第２の無線通信端末装置が上記第１の通信方式で無線接続を確立したときに上記第２の無線通信端末装置が属していた第２のネットワークの第２のネットワーク識別情報とを格納する第２の接続情報管理部と、
上記第２の通信方式で無線接続を確立する第２の接続制御部とを備え、
上記第１の接続制御部は、上記第２の通信方式で無線接続を確立することを要求しかつ上記第１のネットワーク識別情報を含む要求フレームを、上記第２の無線通信端末装置に送信し、
上記第２の接続制御部は、上記要求フレームに応答して、上記第２のネットワーク識別情報を含む応答フレームを上記第１の無線通信端末装置に送信し、
上記第１の接続制御部は、上記応答フレームに応答して、上記応答フレームに含まれる第２のネットワーク識別情報を上記第１の接続情報管理部に格納された第１のネットワーク識別情報と比較し、上記応答フレームに含まれる第２のネットワーク識別情報が上記第１の接続情報管理部に格納された第１のネットワーク識別情報と一致するとき、上記第１の接続情報管理部に格納された認証情報を用いて上記第２の無線通信端末装置との間で認証処理を実行し、上記第２の無線通信端末装置との間で上記第２の通信方式で無線接続を確立することを特徴とする無線通信システム。
【請求項２】
上記第１の接続制御部は、上記応答フレームに含まれる第２のネットワーク識別情報が上記第１の接続情報管理部に格納された第１のネットワーク識別情報と一致しないとき、所定の認証情報取得処理を実行することにより、上記第２の無線通信端末装置との間で上記第２の通信方式で無線接続を確立するための認証情報を取得し、当該取得された認証情報を用いて上記第２の無線通信端末装置との間で認証処理を実行することを特徴とする請求項１記載の無線通信システム。
【請求項３】
上記第１の接続制御部は、上記応答フレームに含まれる第２のネットワーク識別情報と、上記第１の接続情報管理部に格納された第１のネットワーク識別情報との間の比較結果を含む確認フレームを上記第２の無線通信端末装置に送信することを特徴とする請求項１又は２記載の無線通信システム。
【請求項４】
上記要求フレームは、Ｗｉ−Ｆｉダイレクトに準拠したグループオーナーネゴシエーション要求フレームであり、
上記応答フレームは、Ｗｉ−Ｆｉダイレクトに準拠したグループオーナーネゴシエーション応答フレームであり、
上記確認フレームは、Ｗｉ−Ｆｉダイレクトに準拠したグループオーナーネゴシエーション確認フレームであることを特徴とする請求項３記載の無線通信システム。
【請求項５】
上記認証情報は、サービスセット識別子と、暗号方式と、認証方式と、暗号鍵情報とを含むことを特徴とする請求項１から４のうちのいずれか１つに記載の無線通信システム。
【請求項６】
上記第１の通信方式において用いられる周波数帯と、上記第２の通信方式において用いられる周波数帯とは互いに異なることを特徴とする請求項１から５のうちのいずれか１つに記載の無線通信装置。
【請求項７】
上記第１の通信方式は、上記第１及び第２の無線通信端末装置がアクセスポイント装置を介して無線通信を行うＷｉ−Ｆｉ方式であり、
上記第２の通信方式は、上記第１及び第２の無線通信端末装置が上記アクセスポイント装置を介することなく無線通信を行うＷｉＧｉｇ方式であり、
上記ネットワーク識別情報は、上記アクセスポイント装置のベーシックサービスセット識別子であることを特徴とする請求項１から６のうちのいずれか１つに記載の無線通信装置。
【請求項８】
無線接続を確立するための認証情報を用いて認証処理を実行することにより、所定の第１の通信方式又は所定の第２の通信方式で互いに無線接続される第１及び第２の無線通信端末装置を備えた無線通信システムの制御方法において、
上記第１の無線通信端末装置は、
上記第１の無線通信端末装置が上記第１の通信方式で無線接続を確立したときに用いられた認証情報と、上記第１の無線通信端末装置が上記第１の通信方式で無線接続を確立したときに上記第１の無線通信端末装置が属していた第１のネットワークの第１のネットワーク識別情報とを格納する第１の接続情報管理部と、
上記第２の通信方式で無線接続を確立する第１の接続制御部とを備え、
上記第２の無線通信端末装置は、
上記第２の無線通信端末装置が上記第１の通信方式で無線接続を確立したときに用いられた認証情報と、上記第２の無線通信端末装置が上記第１の通信方式で無線接続を確立したときに上記第２の無線通信端末装置が属していた第２のネットワークの第２のネットワーク識別情報とを格納する第２の接続情報管理部と、
上記第２の通信方式で無線接続を確立する第２の接続制御部とを備え、
上記制御方法は、
上記第１の接続制御部が、上記第２の通信方式で無線接続を確立することを要求しかつ上記第１のネットワーク識別情報を含む要求フレームを、上記第２の無線通信端末装置に送信するステップと、
上記第２の接続制御部が、上記要求フレームに応答して、上記第２のネットワーク識別情報を含む応答フレームを上記第１の無線通信端末装置に送信するステップと、
上記第１の接続制御部が、上記応答フレームに応答して、上記応答フレームに含まれる第２のネットワーク識別情報を上記第１の接続情報管理部に格納された第１のネットワーク識別情報と比較し、上記応答フレームに含まれる第２のネットワーク識別情報が上記第１の接続情報管理部に格納された第１のネットワーク識別情報と一致するとき、上記第１の接続情報管理部に格納された認証情報を用いて上記第２の無線通信端末装置との間で認証処理を実行し、上記第２の無線通信端末装置との間で上記第２の通信方式で無線接続を確立するステップとを含むことを特徴とする無線通信システムの制御方法。
【請求項９】
無線接続を確立するための認証情報を用いて認証処理を実行することにより、所定の第１の通信方式又は所定の第２の通信方式で互いに無線接続される第１及び第２の無線通信端末装置を備えた無線通信システムのための第１の無線通信端末装置において、
上記第１の無線通信端末装置は、
上記第１の無線通信端末装置が上記第１の通信方式で無線接続を確立したときに用いられた認証情報と、上記第１の無線通信端末装置が上記第１の通信方式で無線接続を確立したときに上記第１の無線通信端末装置が属していた第１のネットワークの第１のネットワーク識別情報とを格納する第１の接続情報管理部と、
上記第２の通信方式で無線接続を確立する第１の接続制御部とを備え、
上記第２の無線通信端末装置は、
上記第２の無線通信端末装置が上記第１の通信方式で無線接続を確立したときに用いられた認証情報と、上記第２の無線通信端末装置が上記第１の通信方式で無線接続を確立したときに上記第２の無線通信端末装置が属していた第２のネットワークの第２のネットワーク識別情報とを格納する第２の接続情報管理部と、
上記第２の通信方式で無線接続を確立する第２の接続制御部とを備え、
上記第１の接続制御部は、
上記第２の通信方式で無線接続を確立することを要求しかつ上記第１のネットワーク識別情報を含む要求フレームを、上記第２の無線通信端末装置に送信し、
上記要求フレームに応答して上記第２の無線通信端末装置によって送信されかつ上記第２の無線通信端末装置が上記第１の通信方式で無線接続を確立したときに上記第２の無線通信端末装置が属していた第２のネットワークの第２のネットワーク識別情報を含む応答フレームに応答して、上記応答フレームに含まれる第２のネットワーク識別情報を上記第１の接続情報管理部に格納された第１のネットワーク識別情報と比較し、上記応答フレームに含まれる第２のネットワーク識別情報が上記第１の接続情報管理部に格納された第１のネットワーク識別情報と一致するとき、上記第１の接続情報管理部に格納された認証情報を用いて上記第２の無線通信端末装置との間で認証処理を実行し、上記第２の無線通信端末装置との間で上記第２の通信方式で無線接続を確立することを特徴とする無線通信端末装置。
【請求項１０】
無線接続を確立するための認証情報を用いて認証処理を実行することにより、所定の第１の通信方式又は所定の第２の通信方式で互いに無線接続される第１及び第２の無線通信端末装置を備えた無線通信システムのための第２の無線通信端末装置において、
上記第１の無線通信端末装置は、
上記第１の無線通信端末装置が上記第１の通信方式で無線接続を確立したときに用いられた認証情報と、上記第１の無線通信端末装置が上記第１の通信方式で無線接続を確立したときに上記第１の無線通信端末装置が属していた第１のネットワークの第１のネットワーク識別情報とを格納する第１の接続情報管理部と、
上記第２の通信方式で無線接続を確立する第１の接続制御部とを備え、
上記第２の無線通信端末装置は、
上記第２の無線通信端末装置が上記第１の通信方式で無線接続を確立したときに用いられた認証情報と、上記第２の無線通信端末装置が上記第１の通信方式で無線接続を確立したときに上記第２の無線通信端末装置が属していた第２のネットワークの第２のネットワーク識別情報とを格納する第２の接続情報管理部と、
上記第２の通信方式で無線接続を確立する第２の接続制御部とを備え、
上記第２の接続制御部は、
上記第２の通信方式で無線接続を確立することを要求し、上記第１のネットワーク識別情報を含む要求フレームを、上記第１の無線通信端末装置から受信することに応答して、上記第２のネットワーク識別情報を含む応答フレームを上記第１の無線通信端末装置に送信することを特徴とする無線通信端末装置。
【発明の詳細な説明】
【技術分野】
【０００１】
本開示は、無線通信システムと、無線通信システムの制御方法と、無線通信端末装置とに関する。
【背景技術】
【０００２】
従来から、複数の無線通信端末装置を備えた無線通信システムにおいて、無線通信端末装置間で通信を行うために複数の通信方式及び複数の通信経路が選択可能である場合に、通信目的又は通信条件などに応じて、好適な通信方式及び通品経路に切替える技術が検討されている。例えば、特許文献１記載の無線端末は、セルラー通信中の端末との間の通信方式をアドホック通信に切替えるとき、登録済のサービスセット識別子（以下、ＳＳＩＤ（Service Set IDentifier）という。）と、ベーシックサービスセット識別子（以下、ＢＳＳＩＤ（Basic Service Set IDentifier）という。）とを用いて、特定の端末とのみアドホック接続を確立し、通信を継続する。
【先行技術文献】
【特許文献】
【０００３】
【特許文献１】特開２００９−２０６８０３号公報
【発明の概要】
【発明が解決しようとする課題】
【０００４】
一般に、無線通信端末装置間で無線通信によって送受信される情報を保護するために、無線通信の開始時に、無線通信端末装置間で接続認証処理及び暗号化処理を行う。ここで、接続認証処理には、例えば、ユーザによる各設定値の入力を伴う接続認証処理及びＷＰＳ（Wi-Fi Protected Setup）などの簡略化された接続認証処理がある。上述したように無線通信端末装置間で通信を行うための通信方式を切替えるとき、送受信される情報を切替え後にも保護するためには、切替える度に接続認証処理及び暗号化処理を行う必要がある。このため、通信の中断が発生し、任意のタイミングで通信を行えない可能性がある。【０００５】
本開示は、２つの無線通信端末装置間で通信を行うための通信方式を切替えた後も、切替え前と同様に情報の安全性を保持したまま、従来技術に比較して通信方式を迅速に切替えることができる無線通信システム、無線通信システムの制御方法及び無線通信端末装置を提供する。
【課題を解決するための手段】
【０００６】
本開示に係る無線通信システムは、無線接続を確立するための認証情報を用いて認証処理を実行することにより、所定の第１の通信方式又は所定の第２の通信方式で互いに無線接続される第１及び第２の無線通信端末装置を備えた無線通信システムである。ここで、第１の無線通信端末装置は、第１の無線通信端末装置が第１の通信方式で無線接続を確立したときに用いられた認証情報と、第１の無線通信端末装置が第１の通信方式で無線接続を確立したときに第１の無線通信端末装置が属していた第１のネットワークの第１のネットワーク識別情報とを格納する第１の接続情報管理部と、第２の通信方式で無線接続を確立する第１の接続制御部とを備えて構成される。また、第２の無線通信端末装置は、第２の無線通信端末装置が第１の通信方式で無線接続を確立したときに用いられた認証情報と、第２の無線通信端末装置が第１の通信方式で無線接続を確立したときに第２の無線通信端末装置が属していた第２のネットワークの第２のネットワーク識別情報とを格納する第２の接続情報管理部と、第２の通信方式で無線接続を確立する第２の接続制御部とを備えて構成される。第１の接続制御部は、第２の通信方式で無線接続を確立することを要求しかつ第１のネットワーク識別情報を含む要求フレームを、第２の無線通信端末装置に送信し、第２の接続制御部は、要求フレームに応答して、第２のネットワーク識別情報を含む応答フレームを第１の無線通信端末装置に送信する。第１の接続制御部は、応答フレームに応答して、応答フレームに含まれる第２のネットワーク識別情報を第１の接続情報管理部に格納された第１のネットワーク識別情報と比較し、応答フレームに含まれる第２のネットワーク識別情報が第１の接続情報管理部に格納された第１のネットワーク識別情報と一致するとき、第１の接続情報管理部に格納された認証情報を用いて第２の無線通信端末装置との間で認証処理を実行し、第２の無線通信端末装置との間で第２の通信方式で無線接続を確立する。
【発明の効果】
【０００７】
本開示に係る無線通信システム、無線通信システムの制御方法及び無線通信端末装置によれば、２つの無線通信端末装置間で通信を行うための通信方式を切替えた後も、切替え前と同様に情報の安全性を保持したまま、従来技術に比較して通信方式を迅速に切替えることができる。
【図面の簡単な説明】
【０００８】
【図１】本開示の実施の形態１に係る無線通信システムの構成を示すブロック図である。
【図２】図１のアクセスポイント装置１に設定されている認証情報及びアクセスポイント装置１のＢＳＳＩＤを示すテーブルである。
【図３】図１の無線通信端末装置２ａ，２ｂの各構成を示すブロック図である。
【図４Ａ】図１の無線通信システムにおいて、無線通信端末装置２ａと２ｂとの間でデータ通信を行うための通信方式をＷｉ−Ｆｉ方式からＷｉＧｉｇ方式に切替えることを、無線通信端末装置２ａが無線通信端末装置２ｂに対して要求するときに、図３の無線通信端末装置２ａのＷｉＧｉｇ接続制御部９によって実行される通信方式切替要求処理の第１の部分を示すフローチャートである。
【図４Ｂ】図１の無線通信システムにおいて、無線通信端末装置２ａと２ｂとの間でデータ通信を行うための通信方式をＷｉ−Ｆｉ方式からＷｉＧｉｇ方式に切替えることを、無線通信端末装置２ａが無線通信端末装置２ｂに対して要求するときに、図３の無線通信端末装置２ａのＷｉＧｉｇ接続制御部９によって実行される通信方式切替要求処理の第２の部分を示すフローチャートである。
【図５Ａ】図１の無線通信システムにおいて、無線通信端末装置２ａと２ｂとの間でデータ通信を行うための通信方式をＷｉ−Ｆｉ方式からＷｉＧｉｇ方式に切替えることを、無線通信端末装置２ａが無線通信端末装置２ｂに対して要求するときに、図３の無線通信端末装置２ｂのＷｉＧｉｇ接続制御部９によって実行される通信方式切替応答処理の第１の部分を示すフローチャートである。
【図５Ｂ】図１の無線通信システムにおいて、無線通信端末装置２ａと２ｂとの間でデータ通信を行うための通信方式をＷｉ−Ｆｉ方式からＷｉＧｉｇ方式に切替えることを、無線通信端末装置２ａが無線通信端末装置２ｂに対して要求するときに、図３の無線通信端末装置２ｂのＷｉＧｉｇ接続制御部９によって実行される通信方式切替応答処理の第２の部分を示すフローチャートである。
【図６】図４ＡのステップＳ５及びＳ６において送信されるグループオーナーネゴシエーション要求フレーム１００のフォーマットを示すフォーマット図である。
【図７】図６のネットワーク識別情報フィールドＦ１のフォーマットを示すテーブルである。
【図８】図５ＡのステップＳ２６及びＳ２７において送信されるグループオーナーネゴシエーション応答フレーム２００のフォーマットを示すフォーマット図である。
【図９】図８のネットワーク識別情報フィールドＦ２のフォーマットを示すテーブルである。
【図１０】図４ＢのステップＳ９及びＳ１１において送信されるグループオーナーネゴシエーション確認フレーム３００のフォーマットを示すフォーマット図である。
【図１１】図１０の比較結果フィールドＦ３のフォーマットを示すテーブルである。
【図１２】図１の無線通信システムの動作の一例を示すタイミングチャートである。
【図１３Ａ】図１の無線通信システムにおいて、無線通信端末装置２ａと２ｂとの間でデータ通信を行うための通信方式をＷｉ−Ｆｉ方式からＷｉＧｉｇ方式に切替えることを、無線通信端末装置２ａが無線通信端末装置２ｂに対して要求するときに、図３の無線通信端末装置２ａのＷｉＧｉｇ接続制御部９によって実行される本開示の実施の形態２に係る通信方式切替要求処理の第１の部分を示すフローチャートである。
【図１３Ｂ】図１の無線通信システムにおいて、無線通信端末装置２ａと２ｂとの間でデータ通信を行うための通信方式をＷｉ−Ｆｉ方式からＷｉＧｉｇ方式に切替えることを、無線通信端末装置２ａが無線通信端末装置２ｂに対して要求するときに、図３の無線通信端末装置２ａのＷｉＧｉｇ接続制御部９によって実行される本開示の実施の形態２に係る通信方式切替要求処理の第２の部分を示すフローチャートである。
【図１４Ａ】図１の無線通信システムにおいて、無線通信端末装置２ａと２ｂとの間でデータ通信を行うための通信方式をＷｉ−Ｆｉ方式からＷｉＧｉｇ方式に切替えることを、無線通信端末装置２ａが無線通信端末装置２ｂに対して要求するときに、図３の無線通信端末装置２ｂのＷｉＧｉｇ接続制御部９によって実行される本開示の実施の形態２に係る通信方式切替応答処理の第１の部分を示すフローチャートである。
【図１４Ｂ】図１の無線通信システムにおいて、無線通信端末装置２ａと２ｂとの間でデータ通信を行うための通信方式をＷｉ−Ｆｉ方式からＷｉＧｉｇ方式に切替えることを、無線通信端末装置２ａが無線通信端末装置２ｂに対して要求するときに、図３の無線通信端末装置２ｂのＷｉＧｉｇ接続制御部９によって実行される本開示の実施の形態２に係る通信方式切替応答処理の第２の部分を示すフローチャートである。
【図１５】図１３ＡのステップＳ４２及びＳ４３において送信されるプローブ要求フレーム４００のフォーマットを示すフォーマット図である。
【図１６】図１５のネットワーク識別情報フィールドＦ４のフォーマットを示すテーブルである。
【図１７】図１４ＡのステップＳ５４及びＳ５５において送信されるプローブ応答フレーム５００のフォーマットを示すフォーマット図である。
【図１８】図１７のネットワーク識別情報フィールドＦ５のフォーマットを示すテーブルである。
【図１９】図１の無線通信システムの実施の形態２に係る動作の一例を示すタイミングチャートである。
【図２０】本開示の実施の形態３に係る無線通信システムの構成を示すブロック図である。
【図２１】図２０の無線通信端末装置５２ａ，５２ｂの各構成を示すブロック図である。
【図２２】図２１の無線通信端末装置５２ａのＷｉ−Ｆｉ接続リスト情報管理部１４Ａに格納される認証情報識別子、認証情報及びＢＳＳＩＤと、図２１の無線通信端末装置５２ａのマジック値計算部６２よって計算されるマジック値とのリストの一例を示すテーブルである。
【図２３】図２１の無線通信端末装置５２ｂのＷｉ−Ｆｉ接続リスト情報管理部１４Ａに格納される認証情報識別子、認証情報及びＢＳＳＩＤと、図２１の無線通信端末装置５２ｂのマジック値計算部６２よって計算されるマジック値とのリストの一例を示すテーブルである。
【図２４】図２１のＷｉ−Ｆｉ接続リスト情報管理部１４Ａへの認証情報の格納方法を示すフォーマット図である。
【図２５Ａ】図２０の無線通信システムにおいて、無線通信端末装置５２ａと５２ｂとの間でデータ通信を行うための通信方式をＷｉ−Ｆｉ方式からＷｉＧｉｇ方式に切替えることを、無線通信端末装置５２ａが無線通信端末装置５２ｂに対して要求するときに、図２１の無線通信端末装置２ａのＷｉＧｉｇ接続制御部５９によって実行される通信方式切替要求処理の第１の部分を示すフローチャートである。
【図２５Ｂ】図２０の無線通信システムにおいて、無線通信端末装置５２ａと５２ｂとの間でデータ通信を行うための通信方式をＷｉ−Ｆｉ方式からＷｉＧｉｇ方式に切替えることを、無線通信端末装置５２ａが無線通信端末装置５２ｂに対して要求するときに、図２１の無線通信端末装置２ａのＷｉＧｉｇ接続制御部５９によって実行される通信方式切替要求処理の第２の部分を示すフローチャートである。
【図２６Ａ】図２０の無線通信システムにおいて、無線通信端末装置５２ａと５２ｂとの間でデータ通信を行うための通信方式をＷｉ−Ｆｉ方式からＷｉＧｉｇ方式に切替えることを、無線通信端末装置５２ａが無線通信端末装置５２ｂに対して要求するときに、図２１の無線通信端末装置２ｂのＷｉＧｉｇ接続制御部５９によって実行される通信方式応答要求処理の第１の部分を示すフローチャートである。
【図２６Ｂ】図２０の無線通信システムにおいて、無線通信端末装置５２ａと５２ｂとの間でデータ通信を行うための通信方式をＷｉ−Ｆｉ方式からＷｉＧｉｇ方式に切替えることを、無線通信端末装置５２ａが無線通信端末装置５２ｂに対して要求するときに、図２１の無線通信端末装置２ｂのＷｉＧｉｇ接続制御部５９によって実行される通信方式応答要求処理の第２の部分を示すフローチャートである。
【図２７】図２５ＡのステップＳ６２において送信されるグループオーナーネゴシエーション要求フレーム１００Ａのフォーマットを示すフォーマット図である。
【図２８】図２７のネットワーク識別情報フィールドＦ６のフォーマットを示すテーブルである。
【図２９】図２６ＡのステップＳ７３において送信されるグループオーナーネゴシエーション応答フレーム２００Ａのフォーマットを示すフォーマット図である。
【図３０】図２９のネットワーク識別情報フィールドＦ７のフォーマットを示すテーブルである。
【図３１】図２５ＢのステップＳ６６及びＳ６８において送信されるグループオーナーネゴシエーション確認フレーム３００Ａのフォーマットを示すフォーマット図である。
【図３２】図３１の比較結果フィールドＦ８のフォーマットを示すテーブルである。
【図３３】図２０の無線通信システムの動作の一例を示すタイミングチャートである。
【図３４Ａ】図２０の無線通信システムにおいて、無線通信端末装置５２ａと５２ｂとの間で通信を行うための通信方式をＷｉ−Ｆｉ方式からＷｉＧｉｇ方式に切替えることを、無線通信端末装置５２ａが無線通信端末装置５２ｂに対して要求するときに、図２１の無線通信端末装置５２ａのＷｉＧｉｇ接続制御部５９によって実行される本開示の実施の形態４に係る通信方式切替要求処理の第１の部分を示すフローチャートである。
【図３４Ｂ】図２０の無線通信システムにおいて、無線通信端末装置５２ａと５２ｂとの間で通信を行うための通信方式をＷｉ−Ｆｉ方式からＷｉＧｉｇ方式に切替えることを、無線通信端末装置５２ａが無線通信端末装置５２ｂに対して要求するときに、図２１の無線通信端末装置５２ａのＷｉＧｉｇ接続制御部５９によって実行される本開示の実施の形態４に係る通信方式切替要求処理の第２の部分を示すフローチャートである。
【図３５Ａ】図２０の無線通信システムにおいて、無線通信端末装置５２ａと５２ｂとの間で通信を行うための通信方式をＷｉ−Ｆｉ方式からＷｉＧｉｇ方式に切替えることを、無線通信端末装置５２ａが無線通信端末装置５２ｂに対して要求するときに、図２１の無線通信端末装置５２ｂのＷｉＧｉｇ接続制御部５９によって実行される本開示の実施の形態４に係る通信方式切替応答処理の第１の部分を示すフローチャートである。
【図３５Ｂ】図２０の無線通信システムにおいて、無線通信端末装置５２ａと５２ｂとの間で通信を行うための通信方式をＷｉ−Ｆｉ方式からＷｉＧｉｇ方式に切替えることを、無線通信端末装置５２ａが無線通信端末装置５２ｂに対して要求するときに、図２１の無線通信端末装置５２ｂのＷｉＧｉｇ接続制御部５９によって実行される本開示の実施の形態４に係る通信方式切替応答処理の第２の部分を示すフローチャートである。
【図３６】図３４ＡのステップＳ８２において送信されるプローブ要求フレーム４００Ａのフォーマットを示すフォーマット図である。
【図３７】図３６のネットワーク識別情報フィールドＦ９のフォーマットを示すテーブルである。
【図３８】図３５ＡのステップＳ９３において送信されるプローブ応答フレーム５００Ａのフォーマットを示すテーブルである。
【図３９】図３８のネットワーク識別情報フィールドＦ１０のフォーマットを示すテーブルである。
【図４０】図２０の無線通信システムの実施の形態４に係る動作の一例を示すタイミングチャートである。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者らは、当業者が本開示を十分に理解するために添付図面及び以下の説明を提供するのであって、これらによって特許請求の範囲に記載の主題を限定することを意図するものではない。
【００１１】
（実施の形態１）
＜無線通信システムの構成＞
図１は、本開示の実施の形態１に係る無線通信システムの構成を示すブロック図である。図１において、本開示に係る無線通信システムは、無線通信端末装置２ａ及び２ｂを備えて構成される。ここで、無線通信端末装置２ａ及び２ｂはそれぞれ、イーサネット（登録商標）などのバックボーンネットワークに接続されたアクセスポイント装置１と、無線ＬＡＮ規格であるＩＥＥＥ８０２．１１に準拠した無線通信を行う。また、本実施の形態において、無線通信端末装置２ａと２ｂとは、以下のＷｉ−Ｆｉ方式及びＷｉＧｉｇ方式のうちのいずれかの通信方式を用いて無線接続され、データ通信を行う。
【００１２】
（ａ）Ｗｉ−Ｆｉ方式
Ｗｉ−Ｆｉ方式は、例えば２．４ＧＨｚ帯の３６チャネルであるマイクロ波周波数帯（以下、ＯＢａｎｄ（Omni directional Band）という。）を用いる無線通信方式である。本開示では、例えば、Ｗｉ−Ｆｉアライアンス（Wi-Fi Alliance）によって標準化されたＩＥＥＥ８０２．１１ｎに準拠した無線通信方式を、Ｗｉ−Ｆｉ方式の無線通信方式として用いる。無線通信端末装置２ａと２ｂとがＷｉ−Ｆｉ方式でデータ通信を行うとき、無線通信端末装置２ａ及び２ｂは、始めに、それぞれ所定の認証情報取得処理を実行して、アクセスポイント装置１にあらかじめ設定されている認証情報及びアクセスポイント装置１が提供する無線ネットワークの識別情報であるＢＳＳＩＤを取得する。ＢＳＳＩＤは、具体的にはアクセスポイント装置１のＭＡＣアドレスである。
【００１３】
図２は、図１のアクセスポイント装置１に設定されている認証情報及びアクセスポイント装置１のＢＳＳＩＤを示すテーブルである。図２に示すように、認証情報は、アクセスポイント装置１の識別子であるＳＳＩＤと、データを暗号化するための暗号方式と、暗号鍵を配送する鍵配送処理（鍵交換処理ともいう。）で配送される暗号鍵情報とを含む。図２の例では、ＳＳＩＤはＷＩＦＩであり、暗号方式はＡＥＳ（Advanced Encryption Standard）であり、認証方式はＷＰＡ２−ＰＳＫ（Wi-Fi Protected Access 2 Pre-Shared Key）であり、鍵情報は１２３４５６７８であり、ＢＳＳＩＤは００：１１：２２：３３：４４：５５である。アクセスポイント装置１と無線通信端末装置２ａとは、認証情報取得処理に続いて、図２の認証情報を用いて、アクセスポイント装置１が無線通信端末装置２ａを認証するための例えばＩＥＥＥ８０２．１１ｉに準拠した認証処理と、アクセスポイント装置１と無線通信端末装置２ａとの間で暗号鍵を共有するための例えばＩＥＥＥ８０２．１１ｉに準拠した鍵配送処理とを実行して、無線接続を確立する。また、アクセスポイント装置１と無線通信端末装置２ｂとは、認証情報取得処理に続いて、図２の認証情報を用いて、アクセスポイント装置１が無線通信端末装置２ｂを認証するための例えばＩＥＥＥ８０２．１１ｉに準拠した認証処理と、アクセスポイント装置１と無線通信端末装置２ｂとの間で暗号鍵を共有するための例えばＩＥＥＥ８０２．１１ｉに準拠した鍵配送処理とを実行して、無線接続を確立する。これにより、無線通信端末装置２ａと２ｂとは、アクセスポイント装置１を介してＷｉ−Ｆｉ方式で互いに無線接続される。以下、図２の認証情報とＢＳＳＩＤとを併せて接続情報という。
【００１４】
無線通信端末装置２ａは、アクセスポイント装置１に無線接続されているとき、アクセスポイント装置１を介してインターネットに接続する。また、無線通信端末装置２ａは、無線通信端末装置２ｂにデータを送信するために、当該データを、無線通信端末装置２ｂではなく、アクセスポイント装置１に送信する。無線通信端末装置２ａからのデータはアクセスポイント装置１によって中継され、無線通信端末装置２ｂに無線送信される。このため、無線通信端末装置２ａから無線通信端末装置２ｂに対してＷｉ−Ｆｉ方式でデータを送信する場合には、無線通信端末装置２ａから無線通信端末装置２ｂに直接データを送信する場合と比較して、２倍の帯域が必要になる。また、無線通信端末装置２ａ及び２ｂが共通のアクセスポイント装置１の配下にあり、同一の無線ネットワークに含まれているとき、無線通信端末装置２ａ及び２ｂは、同一の認証情報を用いてアクセスポイント装置１に接続されている。
【００１５】
（ｂ）ＷｉＧｉｇ方式
ＷｉＧｉｇ方式は、ミリ波帯（以下、ＤＢａｎｄ（Directional Band）という。）を用いる無線通信方式である。本開示では、例えば、ワイヤレスギガビットアライアンス（Wireless Gigabit Alliance）によって標準化されたＩＥＥＥ８０２．１１ａｄに準拠した無線通信方式を、ＷｉＧｉｇ方式の無線通信方式として用いる。無線通信端末装置２ａと２ｂとがＷｉＧｉｇ方式でデータ通信を行うとき、無線通信端末装置２ａ及び２ｂは、図２の認証情報と同様の構成を有する認証情報を用いて、認証処理及び鍵配送処理を実行して、無線接続を確立する。なお、認証情報の取得方法については、後述する。また、本実施の形態において、ＷｉＧｉｇ方式の無線通信では、無線通信端末装置２ａはＷＰＳにおけるクライアント装置として動作し、無線通信端末装置２ｂは、アクセスポイント装置に対応するグループオーナー装置及びＷＰＳにおけるレジストラ装置として動作する。ＷｉＧｉｇ方式の無線通信では、無線通信端末装置２ａは無線通信端末装置２ｂに対してデータを直接送信し、無線通信端末装置２ｂは無線通信端末装置２ａに対してデータを直接送信する。このとき、無線通信端末装置２ａと２ｂとのデータ通信においてアクセスポイント装置１は介在しない。
【００１６】
ＤＢａｎｄを用いるＷｉＧｉｇ方式では、ＯＢａｎｄを用いるＷｉ−Ｆｉ方式より高速でデータ通信を行える。このため、ユーザは、インターネット通信などの通常のデータ通信を行うときはＷｉ−Ｆｉ方式を利用し、より高速なデータ通信を行うときはＷｉＧｉｇ方式を利用するという使い分けを行うことができる。
【００１７】
＜無線通信端末装置２ａ及び２ｂの構成＞
図３は、図１の無線通信端末装置２ａ，２ｂの各構成を示すブロック図である。なお、無線通信端末装置２ａと２ｂとは、図３に示すように同一の機能及び構成を有する。従って、図３を参照して無線通信端末装置２ａの機能及び構成のみを説明する。図３において、無線通信端末装置２ａは、Ｗｉ−Ｆｉ通信インタフェース３と、ＷｉＧｉｇ通信インタフェース４と、接続制御部５と、接続情報設定部６と、Ｗｉ−Ｆｉプロトコル処理部８を備えたＷｉ−Ｆｉ接続制御部７と、ＷｉＧｉｇ接続制御部９と、Ｗｉ−Ｆｉ接続情報管理部１４とを備えて構成される。さらに、ＷｉＧｉｇ接続制御部９は、ＷｉＧｉｇプロトコル処理部１０と、Ｗｉ−Ｆｉ情報付加部１１と、Ｗｉ−Ｆｉ接続判断部１２と、ＢＳＳＩＤ判断部１３とを備えて構成される。
【００１８】
Ｗｉ−Ｆｉ接続制御部７、Ｗｉ−Ｆｉプロトコル処理部８、ＷｉＧｉｇ接続制御部９、ＷｉＧｉｇプロトコル処理部１０、Ｗｉ−Ｆｉ情報付加部１１、Ｗｉ−Ｆｉ接続判断部１２及びＢＳＳＩＤ判断部１３の各機能は、当該各機能に対応するアプリケーションソフトウェアのプログラムをＣＰＵ（Central Processing Unit）又はＤＳＰ（Digital Signal Processor）が実行することにより、又は当該各機能に対応する演算を実行するＦＰＧＡ（Field-Programmable Gate Array）などのハードウェアロジック回路を設けることにより実現される。また、接続情報設定部６及びＷｉ−Ｆｉ接続情報管理部１４は、情報を記録及び保持するためメモリ又はハードディスクなどのハードウェア装置により実現される。なお、無線通信端末装置２ａ及び２ｂの各部５〜１４のうちの任意の構成要素をハードウェアで実現してよい。
【００１９】
Ｗｉ−Ｆｉ通信インタフェース３は、接続制御部５の制御の下でＷｉ−Ｆｉ方式で無線通信を物理的に行うための無線通信回路であって、アンテナ３ａと、アンテナ３ａに接続される高周波回路とを備えて構成される。Ｗｉ−Ｆｉ通信インタフェース３は、Ｗｉ−Ｆｉ方式で送信された通信フレームを、アンテナ３ａを用いて受信し、受信された通信フレームに対して所定のインタフェース処理を行い、接続制御部５を介してＷｉ−Ｆｉプロトコル処理部８に出力する。また、Ｗｉ−Ｆｉ通信インタフェース３は、Ｗｉ−Ｆｉプロトコル処理部８からの通信フレームに対して所定のインタフェース処理を行い、アンテナ３ａを用いて送信する。
【００２０】
ＷｉＧｉｇ通信インタフェース４は、接続制御部５の制御の下でＷｉＧｉｇ方式で無線通信を物理的に行うための無線通信回路であって、アンテナ４ａと、アンテナ４ａに接続される高周波回路とを備えて構成される。ＷｉＧｉｇ通信インタフェース４は、ＷｉＧｉｇ方式で送信された通信フレームを、アンテナ４ａを用いて受信し、受信された通信フレームに対して所定のインタフェース処理を行い、接続制御部５を介してＷｉＧｉｇプロトコル処理部１０に出力する。また、ＷｉＧｉｇ通信インタフェース４は、ＷｉＧｉｇプロトコル処理部１０からの通信フレームに対して所定のインタフェース処理を行い、アンテナ４ａを用いて送信する。
【００２１】
Ｗｉ−Ｆｉ接続制御部７は、Ｗｉ−Ｆｉ方式での無線接続を確立するための認証情報及びＢＳＳＩＤをアクセスポイント装置１からＷｉ−Ｆｉ通信インタフェース３及び接続制御部５を介して受信し、Ｗｉ−Ｆｉ接続情報管理部１４及び接続情報設定部６に格納する。このとき、Ｗｉ−Ｆｉ接続制御部７は、Ｗｉ−Ｆｉ接続情報管理部１４にすでに認証情報及びＢＳＳＩＤが格納されているときは、格納されている認証情報及びＢＳＳＩＤを、始めに消去する。さらに、Ｗｉ−Ｆｉ接続制御部７は、Ｗｉ−Ｆｉ通信インタフェース３により、接続情報設定部６に格納された接続情報（認証情報及びＢＳＳＩＤ）を用いて無線通信を行うように、接続制御部５を制御する。また、Ｗｉ−Ｆｉプロトコル処理部８は、Ｗｉ−Ｆｉ方式に準拠した通信プロトコルに従って、送信する通信フレームを生成し、接続制御部５を介してＷｉ−Ｆｉ通信インタフェース３に出力する。さらに、Ｗｉ−Ｆｉプロトコル処理部８は、Ｗｉ−Ｆｉ通信インタフェース３から接続制御部５を介して入力される通信フレームに対して、Ｗｉ−Ｆｉ方式に準拠した通信プロトコルに準拠したフレーム解析処理などの所定の処理を実行する。
【００２２】
Ｗｉ−Ｆｉ接続情報管理部１４は、Ｗｉ−Ｆｉ方式での無線接続を確立するための認証情報及びＢＳＳＩＤをＷｉ−Ｆｉ接続制御部７から受信して格納する。また、接続情報設定部６は、接続制御部５において用いられる接続情報（認証情報及びＢＳＳＩＤ）を、Ｗｉ−Ｆｉ接続制御部７又はＷｉＧｉｇ接続制御部９から受信して保持し、接続制御部５からの要求に従って、保持している接続情報を接続制御部５へ出力する。
【００２３】
ＷｉＧｉｇ接続制御部９は、ＷｉＧｉｇ方式での無線接続を確立するための認証情報及びＢＳＳＩＤを、接続情報設定部６に出力する。さらに、ＷｉＧｉｇ接続制御部９は、ＷｉＧｉｇ通信インタフェース４により、接続情報設定部６に格納された接続情報（認証情報及びＢＳＳＩＤ）を用いて無線通信を行うように、接続制御部５を制御する。また、ＷｉＧｉｇプロトコル処理部１０は、ＷｉＧｉｇ方式に準拠した通信プロトコルに従って、送信する通信フレームを生成し、接続制御部５を介してＷｉＧｉｇ通信インタフェース４に出力する。さらに、ＷｉＧｉｇプロトコル処理部１０は、ＷｉＧｉｇ通信インタフェース４から接続制御部５を介して入力される通信フレームに対して、ＷｉＧｉｇ方式に準拠した通信プロトコルに準拠したフレーム解析処理などの所定の処理を実行する。
【００２４】
Ｗｉ−Ｆｉ情報付加部１１は、詳細後述するグループオーナーネゴシエーション要求（GO (Group Owner) Negotiation Request）フレーム１００のネットワーク識別情報フィールドＦ１に、Ｗｉ−Ｆｉ接続情報管理部１４に格納されているアクセスポイント装置１のＢＳＳＩＤをセットして、ＷｉＧｉｇ通信インタフェース４を用いて無線送信する。また、Ｗｉ−Ｆｉ接続判断部１２は、ＷｉＧｉｇ方式の無線接続を確立する前に、無線通信端末装置２ａが、Ｗｉ−Ｆｉ方式の無線通信をすでに確立しているか否かを判断する。さらに、ＢＳＳＩＤ判断部１３は、詳細後述するグループオーナーネゴシエーション応答（GO (Group Owner) Negotiation Response）フレーム２００のネットワーク識別情報フィールドＦ２にセットされているＢＳＳＩＤが、Ｗｉ−Ｆｉ接続情報管理部１４に格納されているＢＳＳＩＤと一致するか否かを判断する。
【００２５】
＜データ通信のための通信方式をＷｉ−Ｆｉ方式からＷｉＧｉｇ方式に切替えるための処理＞
図１の無線通信システムにおいて、無線通信端末装置２ａと２ｂとの間でデータ通信を行うための通信方式をＷｉ−Ｆｉ方式からＷｉＧｉｇ方式に切替えることを、無線通信端末装置２ａが無線通信端末装置２ｂに対して要求するときに、図３の無線通信端末装置２ａのＷｉＧｉｇ接続制御部９によって実行される通信方式切替要求処理を図４Ａ及び図４Ｂを参照して説明し、図３の無線通信端末装置２ｂのＷｉＧｉｇ接続制御部９によって実行される通信方式切替応答処理を図５Ａ及び図５Ｂを参照して説明する。なお、図４Ａ及び図４Ｂの通信方式切替要求処理と、図５Ａ及び図５Ｂの通信方式切替応答処理とは、Ｗｉ−Ｆｉアライアンスによって策定されたＷｉ−Ｆｉダイレクト（Wi-Fi Direct）に準拠した通信プロトコルを用いて実行される。
【００２６】
図４Ａ及び図４Ｂは、図３の無線通信端末装置２ａのＷｉＧｉｇ接続制御部９によって実行される通信方式切替要求処理を示すフローチャートである。始めに、図４ＡのステップＳ１において、ＷｉＧｉｇ接続制御部９は、無線通信端末装置２ｂとの間でデータ通信を行うための通信方式をＷｉＧｉｇ方式に切替えることを指示する切替指示信号を受信したか否かを判断する。具体的には、ＷｉＧｉｇ接続制御部９は、無線通信端末装置２ａの内部で実行するアプリケーションソフトウェアからの切替指示信号又は無線通信端末装置２ａのユーザの所定の操作によって入力される切替指示信号を受信したか否かを判断する。ステップＳ１においてＹＥＳのときはステップＳ２に進む一方、ＮＯのときはステップＳ１の処理を繰り返して実行する。
【００２７】
ステップＳ２において、ＷｉＧｉｇプロトコル処理部１０は、ＷｉＧｉｇ方式での無線通信を行うことができる無線通信端末装置を探索するためのプローブ要求フレームを、接続制御部５と、ＷｉＧｉｇ通信インタフェース４とを介して送信する。ここで、プローブ要求フレームは、無線通信端末装置２ａが他の無線通信端末装置と直接通信することが可能であることを示す情報要素であるピアツーピア情報要素（Peer-to-Peer（Ｐ２Ｐ） Information Elements）を含む。なお、Ｗｉ−Ｆｉダイレクトでは、ピアツーピア情報要素を含むプローブ要求フレームを受信した無線通信端末装置は、他の無線通信端末装置と直接通信することが可能である場合は、ピアツーピア情報要素を含むプローブ応答フレームを送信する。
【００２８】
次に、ステップＳ３において、ＷｉＧｉｇプロトコル処理部１０は、所定の期間内に、ＷｉＧｉｇ通信インタフェール４と接続制御部５とを介して、ピアツーピア情報要素を含むプローブ応答フレームを受信したか否かを判断する。ステップＳ３においてＹＥＳのときはステップＳ４に進む一方、ＮＯのときは通信方式切替要求処理を終了する。なお、本実施の形態では、無線通信端末装置２ａが無線通信端末装置２ｂからピアツーピア情報要素を含むプローブ応答フレームを受信したときに、ステップＳ３においてＹＥＳと判断される。ステップＳ４において、Ｗｉ−Ｆｉ接続判断部１２は、Ｗｉ−Ｆｉ方式で他の無線通信端末装置と無線接続を確立するための認証情報及びＢＳＳＩＤがＷｉ−Ｆｉ接続情報管理部１４に格納されているか否かを判断することにより、無線通信端末装置２ａがＷｉ−Ｆｉ方式で無線接続を確立しているか否かを判断する。そして、ステップＳ４においてＹＥＳのときはステップＳ５に進む一方、ＮＯのときはステップＳ６に進む。
【００２９】
ステップＳ５において、Ｗｉ−Ｆｉ情報付加部１１は、Ｗｉ−Ｆｉ接続情報管理部１４に格納されているＢＳＳＩＤを含むグループオーナーネゴシエーション要求フレーム１００を、接続情報制御部５とＷｉＧｉｇ通信インタフェース４とを介して無線通信端末装置２ｂに送信する。具体的には、Ｗｉ−Ｆｉ情報付加部１１は、ＷｉＧｉｇプロトコル処理部１０によって生成されたグループオーナーネゴシエーション要求フレーム１００のネットワーク識別情報フィールドＦ１に、Ｗｉ−Ｆｉ接続情報管理部１４に格納されているＢＳＳＩＤをセットする。なお、本実施の形態では、無線通信端末装置２ａはアクセスポイント装置１に無線接続されているので、無線通信端末装置２ａのＷｉ−Ｆｉ接続情報管理部１４に格納されているＢＳＳＩＤは、アクセスポイント装置１のＢＳＳＩＤである。また、グループオーナーネゴシエーション要求フレーム１００のフォーマットは詳細後述する。
【００３０】
一方、ステップＳ６において、Ｗｉ−Ｆｉ情報付加部１１は、ＢＳＳＩＤとして０を含むグループオーナーネゴシエーション要求フレーム１００を、接続情報制御部５とＷｉＧｉｇ通信インタフェース４とを介して無線通信端末装置２ｂに送信する。
【００３１】
詳細後述するように、無線通信端末装置２ｂは、グループオーナーネゴシエーション要求フレーム１００に応答して、グループオーナーネゴシエーション応答フレーム２００を無線通信端末装置２ａに送信する。ここで、無線通信端末装置２ｂがＷｉ−Ｆｉ方式で無線接続を確立しているときは、グループオーナーネゴシエーション応答フレーム２００は、無線通信端末装置２ｂのＷｉ−Ｆｉ接続情報管理部１４に格納されているＢＳＳＩＤを含む。一方、無線通信端末装置２ｂがＷｉ−Ｆｉ方式で無線接続を確立していないときは、グループオーナーネゴシエーション応答フレーム２００は、ＢＳＳＩＤとして０を含む。
【００３２】
ステップＳ５及びＳ６に続いて、ステップＳ７において、ＢＳＳＩＤ判断部１３は、無線通信端末装置２ｂから、ＷｉＧｉｇ通信インタフェース４と、接続制御部５とを介して、グループオーナーネゴシエーション応答フレーム２００を受信する。次に、図４ＢのステップＳ８において、ＢＳＳＩＤ判断部１３は、グループオーナーネゴシエーション応答フレーム２００に含まれているＢＳＳＩＤが、０ではなく、かつＷｉ−Ｆｉ接続情報管理部１４に格納されているＢＳＳＩＤと一致するか否かを判断する。そして、ステップＳ８においてＹＥＳのときはステップＳ９に進む一方、ＮＯのときはステップＳ１１に進む。なお、ステップＳ８において判断処理が実行できないときもステップＳ１１に進む。
【００３３】
ステップＳ９において、ＷｉＧｉｇプロトコル処理部１０は、詳細後述するグループオーナーネゴシエーション確認（GO (Group Owner) Negotiation Confirm）フレーム３００の比較結果フィールドＦ３に、ステップＳ８において２つのＢＳＳＩＤが一致したことを示す値である０をセットして、グループオーナーネゴシエーション確認フレーム３００を、接続制御部５とＷｉＧｉｇ通信インタフェース４とを介して無線通信端末装置２ｂに送信する。なお、グループオーナーネゴシエーション確認フレーム３００のフォーマットは詳細後述する。
【００３４】
ステップＳ９に続いてステップＳ１０において、ＷｉＧｉｇプロトコル処理部１０は、Ｗｉ−Ｆｉ接続情報管理部１４に格納されている認証情報を用いて、無線通信端末２ｂとの間で認証処理及び鍵配送処理を実行し、通信方式切替要求処理を終了する。
【００３５】
一方、ステップＳ１１において、ＷｉＧｉｇプロトコル処理部１０は、グループオーナーネゴシエーション確認フレーム３００の比較結果フィールドＦ３に、ステップＳ８において２つのＢＳＳＩＤが一致しなかったことを示す値である１をセットして、グループオーナーネゴシエーション確認フレーム３００を、接続制御部５とＷｉＧｉｇ通信インタフェース４とを介して無線通信端末装置２ｂに送信する。
【００３６】
ステップＳ１１に続いて、ステップＳ１２において、ＷｉＧｉｇプロトコル処理部１０は、無線通信端末装置２ｂとの間で、ＷＰＳに準拠した認証情報取得情報処理を実行する。このとき、無線通信端末装置２ａのＷｉＧｉｇ接続制御部９は、ＷＰＳにおけるレジストラ装置として動作する無線通信端末装置２ｂから、例えば図２に示す認証情報を取得する。次に、認証情報取得処理が正常に終了すると、ステップＳ１３において、Ｗｉ−Ｆｉプロトコル処理部１０は、認証情報取得処理によって取得された認証情報を用いて、無線通信端末２ｂとの間で認証処理及び鍵配送処理を実行し、通信方式切替要求処理を終了する。
【００３７】
図５Ａ及び図５Ｂは、図３の無線通信端末装置２ｂのＷｉＧｉｇ接続制御部９によって実行される通信方式切替要求処理を示すフローチャートである。始めに、図５ＡのステップＳ２１において、ＷｉＧｉｇ接続制御部９は、無線通信端末装置２ｂとの間でデータ通信を行うための通信方式をＷｉＧｉｇ方式に切替えることを指示する切替指示信号を受信したか否かを判断する。ステップＳ２１における処理は、図４ＡのステップＳ１における処理と同様である。ステップＳ２１においてＹＥＳのときはステップＳ２２に進む一方、ＮＯのときはステップＳ２１の処理を繰り返して実行する。
【００３８】
ステップＳ２２において、ＷｉＧｉｇプロトコル処理部１０は、ピアツーピア情報要素を含むプローブ要求フレームを、ＷｉＧｉｇ通信インタフェース４及び接続制御部５を介して受信したか否かを判断し、ＹＥＳのときはステップＳ２３に進む一方、ＮＯのときはステップＳ２２の処理を繰り返して実行する。ステップＳ２３において、ＷｉＧｉｇプロトコル処理部１０は、他の無線通信端末装置と直接通信することが可能であることを示すピアツーピア情報要素を含むプローブ応答フレームを、接続制御部５とＷｉＧｉｇ通信インタフェース４とを介して送信する。次に、ステップＳ２４において、ＷｉＧｉｇプロトコル処理部１０は、グループオーナーネゴシエーション要求フレーム１００を、無線通信端末装置２ａから受信する。
【００３９】
ステップＳ２４に続いて、ステップＳ２５において、Ｗｉ−Ｆｉ接続判断部１２は、Ｗｉ−Ｆｉ方式で他の無線通信端末装置と無線接続を確立するための認証情報及びＢＳＳＩＤがＷｉ−Ｆｉ接続情報管理部１４に格納されているか否かを判断することにより、無線通信端末装置２ｂがＷｉ−Ｆｉ方式で無線接続を確立しているか否かを判断する。そして、ステップＳ５４においてＹＥＳのときはステップＳ２６に進む一方、ＮＯのときはステップＳ２７に進む。なお、ステップＳ２５における処理は、図４ＡのステップＳ４における処理と同様である。
【００４０】
ステップＳ２６において、Ｗｉ−Ｆｉ情報付加部１１が、Ｗｉ−Ｆｉ接続情報管理部１４に格納されているＢＳＳＩＤを含むグループオーナーネゴシエーション応答フレーム２００を、接続情報制御部５とＷｉＧｉｇ通信インタフェース４とを介して無線通信端末装置２ａに送信する。具体的には、Ｗｉ−Ｆｉ情報付加部１１は、ＷｉＧｉｇプロトコル処理部１０によって生成されたグループオーナーネゴシエーション応答フレーム２００のネットワーク識別情報フィールドＦ２にＷｉ−Ｆｉ接続情報管理部１４に格納されているＢＳＳＩＤをセットする。なお、本実施の形態では、無線通信端末装置２ｂはアクセスポイント装置１に無線接続されているので、無線通信端末装置２ｂのＷｉ−Ｆｉ接続情報管理部１４に格納されているＢＳＳＩＤは、アクセスポイント装置１のＢＳＳＩＤである。
【００４１】
一方、ステップＳ２７において、Ｗｉ−Ｆｉ情報付加部１１は、ＢＳＳＩＤとして０を含むグループオーナーネゴシエーション応答フレーム２００を、接続情報制御部５とＷｉＧｉｇ通信インタフェース４とを介して無線通信端末装置２ａに送信する。
【００４２】
ステップＳ２６及びＳ２７に続いて、ステップＳ２８において、ＷｉＧｉｇプロトコル処理部１０は、グループオーナーネゴシエーション確認フレーム３００を、無線通信端末装置２ａから、ＷｉＧｉｇ通信インタフェース４及び接続制御部５を介して受信する。次に、ステップＳ２９において、ＷｉＧｉｇプロトコル処理部１０は、グループオーナーネゴシエーション確認フレーム３００の比較結果フィールドＦ３に０がセットされているか否かを判断し、ＹＥＳのときはステップＳ３０に進む一方、ＮＯのときはステップＳ３２に進む。ステップＳ３０において、ＢＳＳＩＤ判断部１３は、グループオーナーネゴシエーション要求フレーム１００に含まれているＢＳＳＩＤが、０ではなく、かつＷｉ−Ｆｉ接続情報管理部１４に格納されているＢＳＳＩＤと一致するか否かを判断する。そして、ステップＳ３０においてＹＥＳのときはステップＳ３１に進む一方、ＮＯのときはステップＳ３２に進む。
【００４３】
ステップＳ３１において、ＷｉＧｉｇプロトコル処理部１０は、Ｗｉ−Ｆｉ接続情報管理部１４に格納されている認証情報を用いて、無線通信端末２ａとの間で認証処理及び鍵配送処理を実行し、通信方式切替応答処理を終了する。具体的には、ＷｉＧｉｇプロトコル処理部１０は、Ｗｉ−Ｆｉ接続情報管理部１４に格納されている認証情報を接続情報設定部６に出力した後に、接続情報設定部６に出力された認証情報を用いて、接続制御部５及びＷｉＧｉｇ通信インタフェース４により認証処理及び鍵配送処理を実行する。このとき、ＷｉＧｉｇ接続制御部９は、無線通信端末装置２ｂをグループオーナー装置として動作させ、無線通信端末装置２ａからの接続要求を受け入れる。
【００４４】
一方、ステップＳ３２において、ＷｉＧｉｇプロトコル処理部１０は、無線通信端末装置２ａとの間で、ＷＰＳに準拠した認証情報取得処理を実行する。これにより、ＷｉＧｉｇ接続制御部９は、ＷＰＳにおけるクライアント装置として動作する無線通信端末装置２ａに、無線通信端末装置２ｂに予め設定されている認証情報を送信する。次に、ステップＳ３３において、Ｗｉ−Ｆｉプロトコル処理部１０は、無線通信端末装置２ｂに予め設定されている認証情報を用いて、無線通信端末２ａとの間で認証処理及び鍵配送処理を実行し、通信方式切替応答処理を終了する。
【００４５】
＜グループオーナーネゴシエーション要求フレーム１００のフォーマット＞
図６は、図４ＡのステップＳ５及びＳ６において送信されるグループオーナーネゴシエーション要求フレーム１００のフォーマットを示すフォーマット図である。グループオーナーネゴシエーション要求フレーム１００は、Ｗｉ−Ｆｉダイレクトに準拠したグループオーナーネゴシエーション要求フレームのフレームボディフィールドの末尾にネットワーク識別情報フィールドＦ１を追加した構成を有する。
【００４６】
図６において、グループオーナーネゴシエーション要求フレーム１００は、フレームコントロール（Frame Control）フィールドと、期間（Duration）フィールドと、Ａ１フィールドと、Ａ２フィールドと、Ａ３フィールドと、シーケンスコントロール（Sequence Control）フィールドと、ＱｏＳフィールドと、フレームボディ（Frame Body）フィールドと、フレームチェックシーケンス（Frame Check Sequence (FCS)）フィールドとを含む。
【００４７】
フレームコントロールフィールドは、グループオーナーネゴシエーション要求フレーム１００のカテゴリを識別するためのデータを格納する。ここで、フレームコントロールフィールドは、プロトコルバージョン（Protocol Version）フィールドと、タイプ（Type）フィールドと、サブタイプ（SubType）フィールドと、受信端末（ToDS）フィールドと、送信端末（FromDS）フィールドと、モアフラグ（MoreFrag）フィールドと、リトライ（Retry）フィールドと、パワー管理（PowerMgt）フィールドと、モアデータ（More Data）フィールドと、保護フレーム（Protected Frame）フィールドと、オーダー（Order）フィールドとを含む。
【００４８】
プロトコルバージョンフィールドには、グループオーナーネゴシエーション要求フレーム１００のバージョンである０がセットされる。また、タイプフィールドには、グループオーナーネゴシエーション要求フレーム１００のタイプを示す値がセットされ、サブタイプフィールドにはより詳細なタイプを示す値がセットされる。具体的には、グループオーナーネゴシエーション要求フレーム１００のタイプフィールドには、管理フレームを示す００がセットされ、サブタイプフィールドには、アクション（Action）フレームを示す１１０１がセットされる。
【００４９】
受信端末フィールドには、データフレームをアクセスポイント装置及び無線通信端末装置のうちのいずれが受信するかを示すデータがセットされる。また、送信端末フィールドには、データフレームをアクセスポイント装置及び無線通信端末装置のうちのいずれが送信したかを示すデータがセットされる。また、モアフラグフィールドは、上位レイヤのパケットを分割して送信するときに用いられる。さらに、リトライフィールドには、グループオーナーネゴシエーション要求フレーム１００が再送フレームであるか否かを示すデータがセットされる。モアデータフィールドには、後続する送信待ちパケットの有無を示すデータがセットされる。そして、保護フレームフィールドには、暗号化の有無を示すデータがセットされ、オーダーフィールドには、グループオーナーネゴシエーション要求フレーム１００のクラスが、ストリクトオーダードサービスクラスであるか否かを示すデータがセットされる。
【００５０】
また、期間フィールドには、無線回線を使用する予定期間を示すデータがセットされ、Ａ１フィールド、Ａ２フィールド及びＡ３フィールドには、通信フレームの宛先ＭＡＣアドレス、送信元ＭＡＣアドレス及びＢＳＳＩＤがそれぞれセットされる。また、シーケンスコントロールフィールドには、通信フレームのシーケンス番号及びフラグメントのためのフラグメント番号がセットされる。さらに、ＱｏＳフィールドには、優先制御など通信フレームの品質を示すデータがセットされ、フレームチェックシーケンスフィールドには、通信フレームのＭＡＣヘッダとフレームボディの誤り検出符号がセットされる。
【００５１】
フレームボディフィールドには、送信データが格納される。グループオーナーネゴシエーション要求フレーム１００のフレームボディフィールドは、グループオーナーネゴシエーション要求フレームボディフィールドと、ネットワーク識別情報フィールドＦ１とを含む。ここで、グループオーナーネゴシエーション要求フレームボディフィールドには、グループオーナーインテント（GO Intent）を含む所定の送信データがセットされる。グループオーナーインテントは、ＷｉＧｉｇ方式の無線通信などのピアツーピアの通信におけるグループオーナー装置を決定するためのパラメータであり、無線通信端末装置ごとにあらかじめ設定される。本実施の形態では、無線通信端末装置２ｂのグループオーナーインテントは、無線通信端末装置２ａのグループオーナーインテントより小さい。この場合、無線通信装置２ｂは、無線通信端末装置２ａとのＷｉＧｉｇ方式の無線通信において、グループオーナー装置として動作する。
【００５２】
ネットワーク識別情報フィールドＦ１には、グループオーナーネゴシエーション要求フレーム１００の送信元の無線通信端末装置２ａのＷｉ−Ｆｉ接続情報管理部１４に格納されているＢＳＳＩＤがセットされる。本実施の形態では、無線通信端末装置２ａのＷｉ−Ｆｉ接続情報管理部１４に格納されているＢＳＳＩＤは、無線通信端末装置２ａがＷｉ−Ｆｉ方式で無線接続されているアクセスポイント装置１のＢＳＳＩＤである。
【００５３】
図７は、図６のネットワーク識別情報フィールドＦ１のフォーマットを示すテーブルである。図７において、ネットワーク識別情報フィールドＦ１は、ＩＤフィールドと、長さフィールドと、ＢＳＳＩＤフィールドとを含む。ここで、ＩＤフィールドには、ネットワーク識別情報フィールドＦ１の識別子である２０がセットされる。また、長さフィールドには、ＢＳＳＩＤフィールドのデータ長（６バイト）がセットされ、ＢＳＳＩＤフィールドには、無線通信端末装置２ａとの間でＷｉ−Ｆｉ方式で無線接続を確立しているアクセスポイント装置のＢＳＳＩＤに対応する値がセットされる。本実施の形態では、無線通信端末装置２ａはアクセスポイント装置１との間でＷｉ−Ｆｉ方式で無線接続を確立しているので、ＢＳＳＩＤフィールドには、アクセスポイント装置１のＢＳＳＩＤに対応する値（００  １１  ２２  ３３  ４４  ５５）がセットされる。
【００５４】
以上説明したように、グループオーナーネゴシエーション要求フレーム１００は、無線通信端末装置２ａが属する無線ネットワークの識別情報に対応するアクセスポイント装置１のＢＳＳＩＤを含む。
【００５５】
＜グループオーナーネゴシエーション応答フレーム２００のフォーマット＞
図８は、図５ＡのステップＳ２６及びＳ２７において送信されるグループオーナーネゴシエーション応答フレーム２００のフォーマットを示すフォーマット図である。グループオーナーネゴシエーション応答フレーム２００は、Ｗｉ−Ｆｉダイレクトに準拠したグループオーナーネゴシエーション要求フレームのフレームボディフィールドの末尾にネットワーク識別情報フィールドＦ２を追加した構成を有する。
【００５６】
図８において、グループオーナーネゴシエーション応答フレーム２００は、フレームコントロールフィールドと、期間フィールドと、Ａ１フィールドと、Ａ２フィールドと、Ａ３フィールドと、シーケンスコントロールフィールドと、ＱｏＳフィールドと、フレームボディフィールドと、フレームチェックシーケンスフィールドとを含む。グループオーナーネゴシエーション応答フレーム２００のフレームコントロールフィールドと、期間フィールドと、Ａ１フィールドと、Ａ２フィールドと、Ａ３フィールドと、シーケンスコントロールフィールドと、ＱｏＳフィールドと、フレームチェックシーケンスフィールドとは、グループオーナーネゴシエーション要求フレーム１００のフレームコントロールフィールドと、期間フィールドと、Ａ１フィールドと、Ａ２フィールドと、Ａ３フィールドと、シーケンスコントロールフィールドと、ＱｏＳフィールドと、フレームチェックシーケンスフィールドと同様に構成されるので、説明を省略する。
【００５７】
図８において、グループオーナーネゴシエーション応答フレーム２００のフレームボディフィールドは、所定の送信データがセットされるグループオーナーネゴシエーション応答フレームボディフィールドと、ネットワーク識別情報フィールドＦ２とを含む。ネットワーク識別情報フィールドＦ２には、グループオーナーネゴシエーション応答フレーム２００の送信元の無線通信端末装置２ｂのＷｉ−Ｆｉ接続情報管理部１４に格納されているＢＳＳＩＤがセットされる。本実施の形態では、の無線通信端末装置２ｂのＷｉ−Ｆｉ接続情報管理部１４に格納されているＢＳＳＩＤは、無線通信端末装置２ｂがＷｉ−Ｆｉ方式で無線接続されているアクセスポイント装置１のＢＳＳＩＤである。
【００５８】
図９は、図８のネットワーク識別情報フィールドＦ２のフォーマットを示すテーブルである。図９において、ネットワーク識別情報フィールドＦ２は、ＩＤフィールドと、長さフィールドと、ＢＳＳＩＤフィールドとを含む。ここで、ＩＤフィールドには、ネットワーク識別情報フィールドＦ２の識別子である２０がセットされる。また、長さフィールドには、ＢＳＳＩＤフィールドのデータ長（６バイト）がセットされ、ＢＳＳＩＤフィールドには、無線通信端末装置２ｂとの間でＷｉ−Ｆｉ方式で無線接続を確立しているアクセスポイント装置のＢＳＳＩＤに対応する値がセットされる。本実施の形態では、無線通信端末装置２ｂはアクセスポイント装置１との間でＷｉ−Ｆｉ方式で無線接続を確立しているので、ＢＳＳＩＤフィールドには、アクセスポイント装置１のＢＳＳＩＤに対応する値（００  １１  ２２  ３３  ４４  ５５）がセットされる。
【００５９】
以上説明したように、グループオーナーネゴシエーション応答フレーム２００は、無線通信端末装置２ｂが属する無線ネットワークの識別情報に対応するアクセスポイント装置１のＢＳＳＩＤを含む。
【００６０】
＜グループオーナーネゴシエーション確認フレーム３００のフォーマット＞
図１０は、図４ＢのステップＳ９及びＳ１１において送信されるグループオーナーネゴシエーション確認フレーム３００のフォーマットを示すフォーマット図である。グループオーナーネゴシエーション確認フレーム３００は、Ｗｉ−Ｆｉダイレクトに準拠したグループオーナーネゴシエーション確認フレームのフレームボディフィールドの末尾に比較結果フィールドＦ３を追加した構成を有する。
【００６１】
図１０において、グループオーナーネゴシエーション確認フレーム３００は、フレームコントロールフィールドと、期間フィールドと、Ａ１フィールドと、Ａ２フィールドと、Ａ３フィールドと、シーケンスコントロールフィールドと、ＱｏＳフィールドと、フレームボディフィールドと、フレームチェックシーケンスフィールドとを含む。グループオーナーネゴシエーション確認フレーム３００のフレームコントロールフィールドと、期間フィールドと、Ａ１フィールドと、Ａ２フィールドと、Ａ３フィールドと、シーケンスコントロールフィールドと、ＱｏＳフィールドと、フレームチェックシーケンスフィールドとは、グループオーナーネゴシエーション要求フレーム１００のフレームコントロールフィールドと、期間フィールドと、Ａ１フィールドと、Ａ２フィールドと、Ａ３フィールドと、シーケンスコントロールフィールドと、ＱｏＳフィールドと、フレームチェックシーケンスフィールドと同様に構成されるので、説明を省略する。
【００６２】
図１０において、グループオーナーネゴシエーション確認フレーム３００のフレームボディフィールドは、所定の送信データがセットされるグループオーナーネゴシエーション確認フレームボディフィールドと、比較結果フィールドＦ３とを含む。
【００６３】
図１１は、図１０の比較結果フィールドＦ３のフォーマットを示すテーブルである。図１１において、比較結果フィールドＦ３は、ＩＤフィールドと、長さフィールドと、比較結果フィールドとを含む。ここで、ＩＤフィールドには、比較結果フィールドＦ３の識別子である２１がセットされる。また、長さフィールドには、比較結果フィールドのデータ長（１バイト）がセットされ、比較結果フィールドには、無線通信端末装置２ａのＷｉ−Ｆｉ接続情報管理部１４に格納されているＢＳＳＩＤと、グループオーナーネゴシエーション応答フレーム２００に含まれるＢＳＳＩＤとの比較結果を示すデータがセットされる。具体的には、無線通信端末装置２ａのＷｉ−Ｆｉ接続情報管理部１４に格納されているＢＳＳＩＤがグループオーナーネゴシエーション応答フレーム２００に含まれるＢＳＳＩＤと一致したときは０がセットされ、一致しなかったときは１がセットされる。
【００６４】
以上説明したように、グループオーナーネゴシエーション確認フレーム３００は、グループオーナーネゴシエーション応答フレーム２００に含まれかつ無線通信端末装置２ｂが属する無線ネットワークの識別情報に対応するアクセスポイント装置１のＢＳＳＩＤと、無線通信端末装置２ａが属する無線ネットワークの識別情報に対応するアクセスポイント装置１のＢＳＳＩＤとの比較結果を示すデータを含む。
【００６５】
＜無線通信システムの動作例＞
図１２は、図１の無線通信システムの動作の一例を示すタイミングチャートである。ステップＳ４０１において、無線通信端末装置２ａは、ＷｉＧｉｇ方式での通信相手となる装置を探索するために、ピアツーピア情報要素を含むプローブ要求フレームを送信する。これに応答して、ステップＳ４０２において、無線通信端末装置２ｂは、ピアツーピア情報要素を含むプローブ応答フレームを送信する。
【００６６】
次に、ステップＳ４０３において、無線通信端末装置２ａは、ピアツーピア情報要素を含むプローブ応答フレームに応答して、無線通信端末装置２ａがＷｉ−Ｆｉ方式で無線接続しているアクセスポイント装置１のＢＳＳＩＤを含むグループオーナーネゴシエーション要求フレーム１００を、無線通信端末装置２ｂに送信する。これに応答して、無線通信端末装置２ｂは、ステップＳ４０４において、無線通信端末装置２ｂがＷｉ−Ｆｉ方式で無線接続しているアクセスポイント装置１のＢＳＳＩＤを含むグループオーナーネゴシエーション応答フレーム２００を、無線通信端末装置２ａに送信する。
【００６７】
次に、ステップＳ４０５において、無線通信端末装置２ａは、無線通信端末装置２ａのＷｉ−Ｆｉ接続情報管理部１４に格納されているＢＳＳＩＤを、グループオーナーネゴシエーション応答フレーム２００に含まれるＢＳＳＩＤと比較し、比較結果を含むグループオーナーネゴシエーション確認フレーム３００を、無線通信端末装置２ｂに送信する。図１２の動作例では、例えば、図７及び図９に示すように、無線通信端末装置２ａのＷｉ−Ｆｉ接続情報管理部１４に格納されているＢＳＳＩＤは、グループオーナーネゴシエーション応答フレーム２００に含まれるＢＳＳＩＤと一致している。また、無線通信端末装置２ｂはグループオーナー装置として動作する。
【００６８】
次に、ステップＳ４０６において、無線通信端末装置２ｂは、グループオーナー装置として、ビーコン信号を、ＷｉＧｉｇ方式の無線通信で無線通信端末装置２ａに送信する。ここで、ビーコン信号は、Ｗｉ−Ｆｉ方式の無線通信での認証情報取得処理で取得され、無線通信端末装置２ｂのＷｉ−Ｆｉ接続情報格納部１４に格納されている接続情報を含む。
【００６９】
さらに、ステップＳ４０７において、無線通信装置２ａと２ｂとは、ＷＰＳなどの従来技術に係る認証情報取得処理を実行することなく、無線通信端末装置２ａを認証するためのＩＥＥＥ８０２．１１ｉに準拠した認証処理を実行する。具体的には無線通信端末装置２ａは、ビーコン信号に含まれる認証情報を用いて、認証を要求する認証要求フレームを無線通信端末装置２ｂに送信する。これに応答して、無線通信端末装置２ｂは、無線通信端末装置２ａを認証し、認証応答フレームを無線通信端末装置２ａに送信する。次に、無線通信端末装置２ａは、無線通信端末装置２ｂに無線接続することを要求するアソシエーション要求フレームを、無線通信端末装置２ｂに送信する。これに応答して、無線通信端末装置２ｂは、無線通信端末装置２ａからの要求を受け入れて、アソシエーション応答フレームを、無線通信端末装置２ａに送信する。
【００７０】
次に、ステップＳ４０８において、無線通信端末装置２ａと２ｂとは、アクセスポイント装置１と無線通信端末装置２ａとの間で暗号鍵を共有するための例えばＩＥＥＥ８０２．１１ｉに準拠した鍵配送処理である４ウェイハンドシェイクを実行する。このとき、無線通信端末装置２ａと２ｂとは、アクセスポイント装置１にＷｉ−Ｆｉ方式で無線接続されていたときの認証情報を用いる。４ウェイハンドシェイクが終了すると、無線通信端末装置２ａと２ｂとは、送信データを暗号化して無線送受信できる。
【００７１】
以上説明したように、本開示に係る無線通信システムは、無線接続を確立するための認証情報を用いて認証処理を実行することにより、Ｗｉ−Ｆｉ方式又はＷｉＧｉｇ方式で互いに無線接続される無線通信端末装置２ａ及び２ｂを備えて構成される。ここで、無線通信端末装置２ａは、無線通信端末装置２ａがＷｉ−Ｆｉ方式で無線接続を確立したときに用いられた認証情報と、無線通信端末装置２ａがＷｉ−Ｆｉ方式で無線接続を確立したときに無線通信端末装置２ａが属していた第１のネットワークの第１のネットワーク識別情報とを格納するＷｉ−Ｆｉ接続情報管理部１４と、ＷｉＧｉｇ方式で無線接続を確立するＷｉＧｉｇ接続制御部９とを備えて構成される。また、無線通信端末装置２ｂは、無線通信端末装置２ｂがＷｉ−Ｆｉ方式で無線接続を確立したときに用いられた認証情報と、無線通信端末装置２ｂがＷｉ−Ｆｉ方式で無線接続を確立したときに無線通信端末装置２ｂが属していた第２のネットワークの第２のネットワーク識別情報とを格納するＷｉ−Ｆｉ接続情報管理部１４と、ＷｉＧｉｇ方式で無線接続を確立するＷｉＧｉｇ接続制御部９とを備えて構成される。
【００７２】
無線通信端末装置２ａのＷｉＧｉｇ接続制御部９は、ＷｉＧｉｇ方式で無線接続を確立することを要求しかつ第１のネットワーク識別情報を含むグループオーナーネゴシエーション要求フレーム１００を、無線通信端末装置２ｂに送信する。無線通信端末装置２ｂのＷｉＧｉｇ接続制御部９は、グループオーナーネゴシエーション要求フレーム１００に応答して、第２のネットワーク識別情報を含むグループオーナーネゴシエーション応答フレーム２００を無線通信端末装置２ａに送信する。
【００７３】
無線通信端末装置２ａのＷｉＧｉｇ接続制御部９は、グループオーナーネゴシエーション応答フレーム２００に応答して、グループオーナーネゴシエーション応答フレーム２００に含まれる第２のネットワーク識別情報を無線通信端末装置２ａのＷｉ−Ｆｉ接続情報管理部１４に格納された第１のネットワーク識別情報と比較し、グループオーナーネゴシエーション応答フレーム２００に含まれる第２のネットワーク識別情報が無線通信端末装置２ａのＷｉ−Ｆｉ接続情報管理部１４に格納された第１のネットワーク識別情報と一致するとき、無線通信端末装置２ａのＷｉ−Ｆｉ接続情報管理部１４に格納された認証情報を用いて無線通信端末装置２ｂとの間で認証処理を実行し、無線通信端末装置２ｂとの間でＷｉＧｉｇ方式で無線接続を確立する。
【００７４】
また、無線通信端末装置２ａのＷｉＧｉｇ接続制御部９は、グループオーナーネゴシエーション応答フレーム２００に含まれる第２のネットワーク識別情報が無線通信端末装置２ａのＷｉ−Ｆｉ接続情報管理部１４に格納された第１のネットワーク識別情報と一致しないとき、ＷＰＳなどの所定の認証情報取得処理を実行することにより、無線通信端末装置２ｂとの間でＷｉＧｉｇ方式で無線接続を確立するための認証情報を取得し、当該取得された認証情報を用いて無線通信端末装置２ｂとの間で認証処理を実行する。
【００７５】
さらに、無線通信端末装置２ａのＷｉＧｉｇ接続制御部９は、グループオーナーネゴシエーション応答フレーム２００に含まれる第２のネットワーク識別情報と、無線通信端末装置２ａのＷｉ−Ｆｉ接続情報管理部１４に格納された第１のネットワーク識別情報との間の比較結果を含む確認フレームを無線通信端末装置２ｂに送信する。
【００７６】
またさらに、グループオーナーネゴシエーション要求フレーム１００は、Ｗｉ−Ｆｉダイレクトに準拠したグループオーナーネゴシエーショングループオーナーネゴシエーション要求フレームである。また、グループオーナーネゴシエーション応答フレーム２００は、Ｗｉ−Ｆｉダイレクトに準拠したグループオーナーネゴシエーショングループオーナーネゴシエーション応答フレームである。さらに、グループオーナーネゴシエーション確認フレーム３００は、Ｗｉ−Ｆｉダイレクトに準拠したグループオーナーネゴシエーション確認フレームである。
【００７７】
また、認証情報は、サービスセット識別子と、暗号方式と、認証方式と、暗号鍵情報とを含む。
【００７８】
さらに、Ｗｉ−Ｆｉ方式において用いられる周波数帯と、ＷｉＧｉｇ方式において用いられる周波数帯とは互いに異なる。
【００７９】
またさらに、Ｗｉ−Ｆｉ方式は、無線通信端末装置２ａ及び２ｂがアクセスポイント装置１を介して無線通信を行う通信方式であり、ＷｉＧｉｇ方式は、無線通信端末装置２ａ及び２ｂがアクセスポイント装置１を介することなく無線通信を行うＷｉＧｉｇ方式である。このとき、ネットワーク識別情報は、アクセスポイント装置１のＢＳＳＩＤである。
【００８０】
従って、本実施の形態に係る無線通信システムによれば、無線通信端末装置２ａ及び２ｂは、アクセスポイント装置１を介してＷｉ−Ｆｉ方式で互いに無線接続されているときは、Ｗｉ−Ｆｉ方式でアクセスポイント装置１に接続されているときに取得した認証情報を、ＷｉＧｉｇ方式での無線接続を確立するための認証処理及び鍵配送処理に用いる。従って、無線通信端末装置２ａ及び２ｂは、ＷｉＧｉｇ方式での無線通信を開始する前に、比較的データの処理量が大きいＷＰＳなどの認証情報取得処理及び暗号化方式を整合させるための処理を実行する必要がない。このため、無線通信端末装置２ａと２ｂとの間で通信を行うための通信方式をＷｉＧｉｇ方式に切替えた後も、切替え前と同様に情報の安全性及び秘匿性を保持したまま、従来技術に比較して通信方式を迅速に切替えることができる。
【００８１】
なお、本実施の形態において図５ＡのステップＳ２１の判断処理を実行したが、本開示はこれに限られない。ステップＳ２１の判断処理を実行せず、無線通信端末装置２ｂが切替指示信号を受信したか否かに関わらず、ステップＳ２２の処理を実行してもよい。
【００８２】
また、本実施の形態において、無線通信端末装置２ａは、Ｗｉ−Ｆｉ方式で無線接続を確立していないとき、グループオーナーネゴシエーション要求フレーム１００のネットワーク識別情報フィールドＦ１に０をセットしたが、本開示はこれに限られない。グループオーナーネゴシエーション要求フレーム１００のネットワーク識別情報フィールドＦ１に、０以外の実際に存在しないＢＳＳＩＤの値をセットしてもよい。また、グループオーナーネゴシエーション要求フレーム１００からネットワーク識別情報フィールドＦ１を削除してもよい。すなわち、Ｗｉ−Ｆｉ方式で無線接続を確立していないことを示すグループオーナーネゴシエーション要求フレーム１００を送信すればよい。
【００８３】
さらに、本実施の形態において、無線通信端末装置２ｂは、Ｗｉ−Ｆｉ方式で無線接続を確立していないとき、グループオーナーネゴシエーション応答フレーム２００のネットワーク識別情報フィールドＦ２に０をセットしたが、本開示はこれに限られない。グループオーナーネゴシエーション応答フレーム２００のネットワーク識別情報フィールドＦ２に、０以外の実際に存在しないＢＳＳＩＤの値をセットしてもよい。また、グループオーナーネゴシエーション応答フレーム２００からネットワーク識別情報フィールドＦ２を削除してもよい。すなわち、Ｗｉ−Ｆｉ方式で無線接続を確立していないことを示すグループオーナーネゴシエーション応答フレーム２００を送信すればよい。
【００８４】
またさらに、本実施の形態において図５ＢのステップＳ３０の処理を実行したが、本開示はこれに限られない。無線通信端末装置２ａにおいて、図４ＢのステップＳ８の処理が実行されるので、ステップＳ３０の処理を省略してもよい。
【００８５】
また、本実施の形態において、プローブ要求フレーム、プローブ応答フレーム、グループオーナーネゴシエーション要求フレーム１００、グループオーナーネゴシエーション応答フレーム２００及びグループオーナーネゴシエーション確認フレーム３００は、ＷｉＧｉｇ方式の無線通信で、ＤＢａｎｄを用いて送信されたが、本開示はこれに限られず、ＯＢａｎｄを用いて送信されてもよい。
【００８６】
さらに、本実施の形態において、Ｗｉ−Ｆｉダイレクトに準拠したグループオーナーネゴシエーション要求フレームにネットワーク識別情報フィールドＦ１を追加することによりグループオーナーネゴシエーション要求フレーム１００を生成した。また、Ｗｉ−Ｆｉダイレクトに準拠したグループオーナーネゴシエーション応答フレームにネットワーク識別情報フィールドＦ２を追加することによりグループオーナーネゴシエーション応答フレーム２００を生成した。しかしながら、本開示はこれに限られず、グループオーナーネゴシエーション要求フレーム１００は無線通信端末装置２ａが属する無線ネットワークの識別情報に対応するアクセスポイント装置１のＢＳＳＩＤを含めばよい。また、グループオーナーネゴシエーション応答フレーム２００は、無線通信端末装置２ｂが属する無線ネットワークの識別情報に対応するアクセスポイント装置１のＢＳＳＩＤを含めばよい。
【００８７】
またさらに、本実施の形態において、Ｗｉ−Ｆｉダイレクトに準拠したグループオーナーネゴシエーション確認フレームにネットワーク比較結果フィールドＦ３を追加することによりグループオーナーネゴシエーション確認フレーム３００を生成した。しかしながら、本開示はこれに限られない。グループオーナーネゴシエーション確認フレーム３００は、無線通信端末装置２ａが属する無線ネットワークの識別情報に対応するアクセスポイント装置１のＢＳＳＩＤが、グループオーナーネゴシエーション応答フレーム２００に含まれかつ無線通信端末装置２ｂが属する無線ネットワークの識別情報に対応するアクセスポイント装置１のＢＳＳＩＤと一致するか否かを示すデータを含めばよい。
【００８８】
またさらに、本実施の形態において、図４Ａ及び図４Ｂの通信方式切替要求処理と、図５Ａ及び図５Ｂの通信方式切替応答処理とは、Ｗｉ−Ｆｉダイレクト（Wi-Fi Direct）に準拠した通信プロトコルを用いて実行されたが、本開示はこれに限られない。
【００８９】
また、本実施の形態では、無線通信端末装置２ａ及び２ｂの各Ｗｉ−Ｆｉ接続情報管理部１４に格納されているＢＳＳＩＤが互いに一致するか否かを判断することにより、Ｗｉ−Ｆｉ方式での無線通信において用いた認証情報を、ＷｉＧｉｇ方式での無線通信において用いることができるか否かを判断したが、本開示はこれに限られない。無線通信端末装置２ａが属するネットワークの識別情報が、無線通信端末装置２ｂが属するネットワークの識別情報に一致するか否かを判断することにより、Ｗｉ−Ｆｉ方式での無線通信において用いた認証情報をＷｉＧｉｇ方式での無線通信において用いることができるか否かを判断してもよい。
【００９０】
さらに、本実施の形態では、Ｗｉ−Ｆｉ形式での無線通信で用いた認証情報を、すべてＷｉＧｉｇ形式での無線通信に用いたが、本開示はこれに限られず、Ｗｉ−Ｆｉ形式での無線通信で用いた認証情報の一部をＷｉＧｉｇ形式での無線通信に用いてもよい。例えば、Ｗｉ−Ｆｉ形式での無線通信で用いた認証情報のうち、暗号鍵情報のみをＷｉＧｉｇ形式での無線通信に用いてもよい。これにより、ＷＰＳにおいて最も処理時間を必要とする暗号鍵の情報の送信処理を省略できる。
【００９１】
（実施の形態２）
実施の形態１では、図４Ａ及び図４Ｂの通信方式切替要求処理と、図５Ａ及び図５Ｂの通信方式切替応答処理とを、Ｗｉ−Ｆｉアライアンスによって策定されたＷｉ−Ｆｉダイレクトに準拠した通信プロトコルを用いて実行した。これに対して、本実施の形態では、図１の無線通信システムにおいて、図１３Ａ及び図１３Ｂの通信方式切替要求処理と、図１４Ａ及び図１４Ｂの通信方式切替応答処理とを、ワイヤレスギガビットアライアンスによって標準化されたＷｉＧｉｇに準拠した通信プロトコルを用いて実行する。また、本実施の形態において、ＷｉＧｉｇ方式の無線通信では、無線通信端末装置２ａはＷＰＳにおけるクライアント装置として動作し、無線通信端末装置２ｂは、アクセスポイント装置として動作する。本実施の形態において、無線通信端末装置２ａ及び２ｂは、実施の形態１に係る無線通信端末装置２ａ及び２ｂと同様に構成される。以下、実施の形態１との間の相違点のみを説明する。
【００９２】
＜データ通信のための通信方式をＷｉ−Ｆｉ方式からＷｉＧｉｇ方式に切替えるための処理＞
図１の無線通信システムにおいて、無線通信端末装置２ａと２ｂとの間でデータ通信を行うための通信方式をＷｉ−Ｆｉ方式からＷｉＧｉｇ方式に切替えることを、無線通信端末装置２ａが無線通信端末装置２ｂに対して要求するときに、図３の無線通信端末装置２ａのＷｉＧｉｇ接続制御部９によって実行される通信方式切替要求処理を図１３Ａ及び図１３Ｂを参照して説明し、図３の無線通信端末装置２ｂのＷｉＧｉｇ接続制御部９によって実行される通信方式切替応答処理を図１４Ａ及び図１４Ｂを参照して説明する。
【００９３】
図１３Ａ及び図１３Ｂは、図３の無線通信端末装置２ａのＷｉＧｉｇ接続制御部９によって実行される実施の形態２に係る通信方式切替要求処理を示すフローチャートである。なお、図１３Ａ及び図１３Ｂにおいて、図４Ａ及び図４Ｂにおける処理と同一の処理には、同一のステップ番号を付し、詳細説明を省略する。図１３ＡのステップＳ１において、ＷｉＧｉｇ接続制御部９は、無線通信端末装置２ｂとの間でデータ通信を行うための通信方式をＷｉＧｉｇ方式に切替えることを指示する切替指示信号を受信したか否かを判断する。ステップＳ１においてＹＥＳのときはステップＳ４１に進む一方、ＮＯのときはステップＳ１の処理を繰り返して実行する。
【００９４】
ステップＳ４１において、ＷｉＧｉｇプロトコル処理部１０は、ＷｉＧｉｇ方式での無線通信が可能な無線通信端末装置を探索できたか否かを判断する。具体的には、ＷｉＧｉｇプロトコル処理部１０は、ＷｉＧｉｇ方式での無線通信を行うことができる無線通信端末装置を探索するためのビーコン信号を、接続制御部５と、ＷｉＧｉｇ通信インタフェース４とを介して送信する。ＷｉＧｉｇに準拠した通信プロトコルでは、上述したビーコン信号を受信した無線通信端末装置は、ＷｉＧｉｇ方式での無線通信を行うことができるときに、ビーコン信号を返信する。ＷｉＧｉｇプロトコル処理部１０は、他の無線通信端末装置からビーコン信号を受信したか否かに応じて、ステップＳ４１の判断処理を実行する。そして、ステップＳ４１においてＹＥＳのときはステップＳ４に進む一方、ＮＯのときは通信方式切替要求処理を終了する。
【００９５】
ステップＳ４において、Ｗｉ−Ｆｉ接続判断部１２は、無線通信端末装置２ａがＷｉ−Ｆｉ方式で他の無線通信端末装置と無線接続を確立するための認証情報及びＢＳＳＩＤがＷｉ−Ｆｉ接続情報管理部１４に格納されているか否かを判断することにより、無線通信端末装置２ａがＷｉ−Ｆｉ方式で無線接続を確立しているか否かを判断する。そして、ステップＳ４においてＹＥＳのときはステップＳ４２に進む一方、ＮＯのときはステップＳ４３に進む。
【００９６】
ステップＳ４２において、Ｗｉ−Ｆｉ情報付加部１１は、Ｗｉ−Ｆｉ接続情報管理部１４に格納されているＢＳＳＩＤを含むプローブ要求フレーム４００を、接続情報制御部５とＷｉＧｉｇ通信インタフェース４とを介して無線通信端末装置２ｂに送信する。具体的には、Ｗｉ−Ｆｉ情報付加部１１は、ＷｉＧｉｇプロトコル処理部１０によって生成されたプローブ要求フレーム４００のネットワーク識別情報フィールドＦ４に、Ｗｉ−Ｆｉ接続情報管理部１４に格納されているＢＳＳＩＤをセットする。なお、本実施の形態では、無線通信端末装置２ａはアクセスポイント装置１に無線接続されているので、無線通信端末装置２ａのＷｉ−Ｆｉ接続情報管理部１４に格納されているＢＳＳＩＤは、アクセスポイント装置１のＢＳＳＩＤである。また、プローブ要求フレーム４００のフォーマットは詳細後述する。
【００９７】
一方、ステップＳ４３において、Ｗｉ−Ｆｉ情報付加部１１は、ＢＳＳＩＤとして０を含むプローブ要求フレーム４００を、接続情報制御部５とＷｉＧｉｇ通信インタフェース４とを介して無線通信端末装置２ｂに送信する。
【００９８】
詳細後述するように、無線通信端末装置２ｂは、プローブ要求フレーム４００に応答して、プローブ応答フレーム５００を無線通信端末装置２ａに送信する。ここで、無線通信端末装置２ｂがＷｉ−Ｆｉ方式で無線接続を確立しているときは、プローブ応答フレーム５００は、無線通信端末装置２ｂのＷｉ−Ｆｉ接続情報管理部１４に格納されているＢＳＳＩＤを含む。一方、無線通信端末装置２ｂがＷｉ−Ｆｉ方式で無線接続を確立していないときは、プローブ応答フレーム５００は、ＢＳＳＩＤとして０を含む。
【００９９】
ステップＳ４２及びＳ４３に続いて、ステップＳ４４において、ＢＳＳＩＤ判断部１３は、無線通信端末装置２ｂから、ＷｉＧｉｇ通信インタフェース４と、接続制御部５とを介して、プローブ応答フレーム５００を受信する。次に、図１３ＢのステップＳ４５において、ＢＳＳＩＤ判断部１３は、プローブ応答フレーム５００に含まれているＢＳＳＩＤが、０ではなく、かつＷｉ−Ｆｉ接続情報管理部１４に格納されているＢＳＳＩＤと一致するか否かを判断する。そして、ステップＳ４５においてＹＥＳのときはステップＳ１０に進む一方、ＮＯのときはステップＳ１２に進む。なお、ステップＳ４５において判断処理が実行できないときもステップＳ１１に進む。ステップＳ１０以降の処理及びステップＳ１２以降の処理は、図４Ｂの各処理と同一であるので、説明を省略する。
【０１００】
図１４Ａ及び図１４Ｂは、図３の無線通信端末装置２ｂのＷｉＧｉｇ接続制御部９によって実行される実施の形態２に係る通信方式切替要求処理を示すフローチャートである。なお、図１４Ａ及び図１４Ｂにおいて、図５Ａ及び図５Ｂにおける処理と同一の処理には、同一のステップ番号を付し、詳細説明を省略する。図１４ＡのステップＳ２１において、ＷｉＧｉｇ接続制御部９は、無線通信端末装置２ｂとの間でデータ通信を行うための通信方式をＷｉＧｉｇ方式に切替えることを指示する切替指示信号を受信したか否かを判断する。ステップＳ２１においてＹＥＳのときはステップＳ５１に進む一方、ＮＯのときはステップＳ２１の処理を繰り返して実行する。
【０１０１】
ステップＳ５１において、ＷｉＧｉｇプロトコル処理部１０は、ＷｉＧｉｇ方式での無線通信が可能な無線通信端末装置を探索できたか否かを判断する。具体的には、ＷｉＧｉｇプロトコル処理部１０は、ＷｉＧｉｇ方式での無線通信を行うことができる無線通信端末装置を探索するためのビーコン信号を、接続制御部５と、ＷｉＧｉｇ通信インタフェース４とを介して送信する。さらに、ＷｉＧｉｇプロトコル処理部１０は、他の無線通信端末装置からビーコン信号を受信したか否かに応じて、ステップＳ５１の判断処理を実行する。そして、ステップＳ５１においてＹＥＳのときはステップＳ５２に進む一方、ＮＯのときは通信方式切替応答処理を終了する。
【０１０２】
ステップＳ５２において、ＷｉＧｉｇプロトコル処理部１０は、プローブ要求フレーム４００を無線通信端末装置２ａから受信する。次に、ステップＳ２５において、Ｗｉ−Ｆｉ接続判断部１２は、無線通信端末装置２ｂがＷｉ−Ｆｉ方式で他の無線通信端末装置と無線接続を確立するための認証情報及びＢＳＳＩＤがＷｉ−Ｆｉ接続情報管理部１４に格納されているか否かを判断することにより、無線通信端末装置２ｂがＷｉ−Ｆｉ方式で無線接続を確立しているか否かを判断する。そして、ステップＳ５４においてＹＥＳのときはステップＳ５４に進む一方、ＮＯのときはステップＳ５５に進む。
【０１０３】
ステップＳ５４において、Ｗｉ−Ｆｉ情報付加部１１が、Ｗｉ−Ｆｉ接続情報管理部１４に格納されているＢＳＳＩＤを含むプローブ応答フレーム５００を、接続情報制御部５とＷｉＧｉｇ通信インタフェース４とを介して無線通信端末装置２ａに送信する。具体的には、Ｗｉ−Ｆｉ情報付加部１１は、ＷｉＧｉｇプロトコル処理部１０によって生成されたプローブ応答フレーム５００のネットワーク識別情報フィールドＦ５にＷｉ−Ｆｉ接続情報管理部１４に格納されているＢＳＳＩＤをセットする。なお、本実施の形態では、無線通信端末装置２ｂはアクセスポイント装置１に無線接続されているので、無線通信端末装置２ｂのＷｉ−Ｆｉ接続情報管理部１４に格納されているＢＳＳＩＤは、アクセスポイント装置１のＢＳＳＩＤである。
【０１０４】
一方、ステップＳ５５において、Ｗｉ−Ｆｉ情報付加部１１は、ＢＳＳＩＤとして０を含むプローブ応答フレーム５００を、接続情報制御部５とＷｉＧｉｇ通信インタフェース４とを介して無線通信端末装置２ａに送信する。
【０１０５】
ステップＳ５４及びステップＳ５５に続いて、図１４ＢのステップＳ５６において、ＢＳＳＩＤ判断部１３は、プローブ要求フレーム４００に含まれているＢＳＳＩＤが、０ではなく、かつＷｉ−Ｆｉ接続情報管理部１４に格納されているＢＳＳＩＤと一致するか否かを判断する。そして、ステップＳ５６においてＹＥＳのときはステップＳ３１に進む一方、ＮＯのときはステップＳ３２に進む。ステップＳ３１以降の処理及びステップＳ３２以降の処理は、図５Ｂの処理と同一であるので、説明を省略する。
【０１０６】
＜プローブ要求フレーム４００のフォーマット＞
図１５は、図１３ＡのステップＳ４２及びＳ４３において送信されるプローブ要求フレーム４００のフォーマットを示すフォーマット図である。プローブ要求フレーム４００は、ＷｉＧｉｇに準拠したプローブ要求フレームのフレームボディフィールドの末尾にネットワーク識別情報フィールドＦ４を追加した構成を有する。
【０１０７】
図１５において、プローブ要求フレーム４００は、フレームコントロールフィールドと、期間フィールドと、Ａ１フィールドと、Ａ２フィールドと、Ａ３フィールドと、シーケンスコントロールフィールドと、ＱｏＳフィールドと、フレームボディフィールドと、フレームチェックシーケンスフィールドとを含む。ここで、フレームボディフィールド以外の各フィールドは、図６のグループオーナーネゴシエーション要求フレーム１００の各フィールドと同様に構成されるので説明を省略する。なお、プローブ要求フレーム４００では、タイプフィールドには００がセットされ、サブタイプフィールドには０１００がセットされる。
【０１０８】
図１５において、フレームボディフィールドには、送信データが格納される。プローブ要求フレーム４００のフレームボディフィールドは、ＳＳＩＤフィールドと、サポーテッドレートと、マルチバンドフィールドと、ＤＢａｎｄケイパビリティフィールドと、ＤＢａｎｄオペレーションフィールドと、マルチプルＭＡＣアドレスフィールドと、ネットワーク識別情報フィールドＦ４とを含む。ここで、ネットワーク識別情報フィールドＦ４以外の各フィールドには、ＷｉＧｉｇに準拠した所定の値が格納される。なお、ＳＳＩＤフィールドには、無線通信端末装置２ａが属するネットワークの識別情報である。
【０１０９】
図１６は、図１５のネットワーク識別情報フィールドＦ４のフォーマットを示すテーブルである。図１６に示すように、ネットワーク識別情報フィールドＦ４のフォーマットは、グループオーナーネゴシエーション要求フレーム１００のネットワーク識別情報フィールドＦ１のフォーマット（図７参照。）と同一であるので説明を省略する。
【０１１０】
以上説明したように、プローブ要求フレーム４００は、無線通信端末装置２ａが属する無線ネットワークの識別情報に対応するアクセスポイント装置１のＢＳＳＩＤを含む。
【０１１１】
＜プローブ応答フレーム５００のフォーマット＞
図１７は、図１４ＡのステップＳ５４及びＳ５５において送信されるプローブ応答フレーム５００のフォーマットを示すフォーマット図である。プローブ応答フレーム５００は、ＷｉＧｉｇに準拠したプローブ応答フレームのフレームボディフィールドの末尾にネットワーク識別情報フィールドＦ５を追加した構成を有する。
【０１１２】
図１７において、プローブ応答フレーム５００は、フレームコントロールフィールドと、期間フィールドと、Ａ１フィールドと、Ａ２フィールドと、Ａ３フィールドと、シーケンスコントロールフィールドと、ＱｏＳフィールドと、フレームボディフィールドと、フレームチェックシーケンスフィールドとを含む。ここで、フレームボディフィールド以外の各フィールドは、図８のグループオーナーネゴシエーション応答フレーム２００の各フィールドと同様に構成されるので説明を省略する。なお、プローブ応答フレーム５００では、タイプフィールドには００がセットされ、サブタイプフィールドには０１０１がセットされる。
【０１１３】
図１７において、フレームボディフィールドには、送信データが格納される。プローブ応答フレーム５００のフレームボディフィールドは、ＳＳＩＤフィールドと、サポーテッドレートと、マルチバンドフィールドと、ＤＢａｎｄケイパビリティフィールドと、ＤＢａｎｄオペレーションフィールドと、マルチプルＭＡＣアドレスフィールドと、ネットワーク識別情報フィールドＦ４とを含む。ここで、ネットワーク識別情報フィールドＦ４以外の各フィールドには、ＷｉＧｉｇに準拠した所定の値が格納される。なお、ＳＳＩＤフィールドには、無線通信端末装置２ａが属するネットワークの識別情報である。
【０１１４】
図１８は、図１７のネットワーク識別情報フィールドＦ５のフォーマットを示すテーブルである。図１６に示すように、ネットワーク識別情報フィールドＦ５のフォーマットは、グループオーナーネゴシエーション応答フレーム２００のネットワーク識別情報フィールドＦ２のフォーマット（図９参照。）と同一であるので説明を省略する。
【０１１５】
以上説明したように、プローブ応答フレーム５００は、無線通信端末装置２ｂが属する無線ネットワークの識別情報に対応するアクセスポイント装置１のＢＳＳＩＤを含む。
【０１１６】
＜無線通信システムの動作例＞
図１９は、図１の無線通信システムの実施の形態２に係る動作の一例を示すタイミングチャートである。ステップＳ１００１において、無線通信端末装置２ａと２ｂとは、ＷｉＧｉｇ方式での通信相手となる装置を探索するために、ビーコン信号を送受信する。無線通信端末装置２ａと２ｂとは、それぞれ、ビーコン信号を受信すると、ＷｉＧｉｇ方式での無線通信が可能な無線通信端末装置を探索できたと判断する。次に、ステップＳ１００２において、無線通信端末装置２ａは、無線通信端末装置２ａがＷｉ−Ｆｉ方式で無線接続しているアクセスポイント装置１のＢＳＳＩＤを含むプローブ要求フレーム４００を、無線通信端末装置２ｂに送信する。これに応答して、無線通信端末装置２ｂは、ステップＳ１００３において、無線通信端末装置２ｂがＷｉ−Ｆｉ方式で無線接続しているアクセスポイント装置１のＢＳＳＩＤを含むプローブ応答フレーム５００を、無線通信端末装置２ａに送信する。
【０１１７】
無線通信端末装置２ａは、プローブ応答フレーム５００を受信すると、Ｗｉ−Ｆｉ接続情報管理部１４に格納されているアクセスポイント装置１のＢＳＳＩＤを、プローブ応答フレーム５００に含まれているＢＳＳＩＤと比較する。そして、無線通信端末装置２ａのＷｉ−Ｆｉ接続情報管理部１４に格納されているアクセスポイント装置１のＢＳＳＩＤが、プローブ応答フレーム５００に含まれているＢＳＳＩＤと一致するとき、ステップＳ４０７に進む。ステップＳ４０７以降の処理は、図１２のステップＳ４０７以降の処理と同様であるので、説明を省略する。
【０１１８】
以上説明したように、本開示に係る無線通信端末装置２ａのＷｉＧｉｇ接続制御部９は、ＷｉＧｉｇ方式で無線接続を確立することを要求しかつ第１のネットワーク識別情報を含むプローブ要求フレーム４００を、無線通信端末装置２ｂに送信する。無線通信端末装置２ｂのＷｉＧｉｇ接続制御部９は、プローブ要求フレーム４００に応答して、第２のネットワーク識別情報を含むプローブ応答フレーム５００を無線通信端末装置２ａに送信する。
【０１１９】
無線通信端末装置２ａのＷｉＧｉｇ接続制御部９は、プローブ応答フレーム５００に応答して、プローブ応答フレーム５００に含まれる第２のネットワーク識別情報を無線通信端末装置２ａのＷｉ−Ｆｉ接続情報管理部１４に格納された第１のネットワーク識別情報と比較し、プローブ応答フレーム５００に含まれる第２のネットワーク識別情報が無線通信端末装置２ａのＷｉ−Ｆｉ接続情報管理部１４に格納された第１のネットワーク識別情報と一致するとき、無線通信端末装置２ａのＷｉ−Ｆｉ接続情報管理部１４に格納された認証情報を用いて無線通信端末装置２ｂとの間で認証処理を実行し、無線通信端末装置２ｂとの間でＷｉＧｉｇ方式で無線接続を確立する。
【０１２０】
従って、本実施の形態に係る無線通信システムによれば、無線通信端末装置２ａ及び２ｂは、アクセスポイント装置１を介してＷｉ−Ｆｉ方式で互いに無線接続されているときは、Ｗｉ−Ｆｉ方式でアクセスポイント装置１に接続されているときに取得した認証情報を、ＷｉＧｉｇ方式での無線接続を確立するための認証処理及び鍵配送処理に用いる。従って、無線通信端末装置２ａ及び２ｂは、ＷｉＧｉｇ方式での無線通信を開始する前に、比較的データの処理量が大きいＷＰＳなどの認証情報取得処理及び暗号化方式を整合させるための処理を実行する必要がない。このため、無線通信端末装置２ａと２ｂとの間で通信を行うための通信方式をＷｉＧｉｇ方式に切替えた後も、切替え前と同様に情報の安全性及び秘匿性を保持したまま、従来技術に比較して通信方式を迅速に切替えることができる。さらに、データ通信のための通信方式をＷｉ−Ｆｉ方式からＷｉＧｉｇ方式に確実に切り替え可能である場合は、ユーザに対して接続情報の入力操作及びＷＰＳを実行するための操作を求める必要もなくなるため、従来技術に比較して、無線通信端末装置２ａ及び２ｂのユーザーインタフェースを簡素化できる。
【０１２１】
また、本実施の形態では、実施の形態１と異なり、無線通信端末装置２ａが属する無線ネットワークの識別情報に対応するアクセスポイント装置１のＢＳＳＩＤはプローブ要求フレーム４００に含まれ、無線通信端末装置２ｂが属する無線ネットワークの識別情報に対応するアクセスポイント装置１のＢＳＳＩＤはプローブ応答フレーム５００に含まれる。また、本実施の形態において、実施の形態１のグループオーナーネゴシエーション確認フレーム３００に対応するフレームを送信する必要はない。従って、実施の形態１に比較して、データ通信のための通信方式を、Ｗｉ−Ｆｉ方式からＷｉＧｉｇ方式にさらに容易かつ迅速に切替えることができる。
【０１２２】
なお、本実施の形態では、無線通信端末装置２ａ及び２ｂの各Ｗｉ−Ｆｉ接続情報管理部１４に格納されているＢＳＳＩＤが互いに一致するか否かを判断することにより、Ｗｉ−Ｆｉ方式での無線通信において用いた認証情報を、ＷｉＧｉｇ方式での無線通信において用いることができるか否かを判断したが、本開示はこれに限られない。無線通信端末装置２ａが属するネットワークの識別情報が、無線通信端末装置２ｂが属するネットワークの識別情報に一致するか否かを判断することにより、Ｗｉ−Ｆｉ方式での無線通信において用いた認証情報をＷｉＧｉｇ方式での無線通信において用いることができるか否かを判断してもよい。
【０１２３】
また、本実施の形態では、Ｗｉ−Ｆｉ形式での無線通信で用いた認証情報を、すべてＷｉＧｉｇ形式での無線通信に用いたが、本開示はこれに限られず、Ｗｉ−Ｆｉ形式での無線通信で用いた認証情報の一部をＷｉＧｉｇ形式での無線通信に用いてもよい。例えば、Ｗｉ−Ｆｉ形式での無線通信で用いた認証情報のうち、暗号鍵情報のみをＷｉＧｉｇ形式での無線通信に用いてもよい。これにより、ＷＰＳにおいて最も処理時間を必要とする暗号鍵の情報の送信処理を省略できる。
【０１２４】
さらに、図１３ＡのステップＳ４１及び図１４ＡのステップＳ５１において、送信したビーコン信号に対してビーコン信号が返信されたときに、ＹＥＳと判断したが、本開示はこれに限られない。図１３ＡのステップＳ４１及び図１４ＡのステップＳ５１において、ビーコン信号を受信したときにＹＥＳと判断してもよい。
【０１２５】
またさらに、本実施の形態において、無線通信端末装置２ａは、Ｗｉ−Ｆｉ方式で無線接続を確立していないとき、プローブ要求フレーム４００のネットワーク識別情報フィールドＦ４に０をセットしたが、本開示はこれに限られない。プローブ要求フレーム４００のネットワーク識別情報フィールドＦ４に、０以外の実際に存在しないＢＳＳＩＤの値をセットしてもよい。また、プローブ要求フレーム４００からネットワーク識別情報フィールドＦ４を削除してもよい。すなわち、Ｗｉ−Ｆｉ方式で無線接続を確立していないことを示すプローブ要求フレーム４００を送信すればよい。
【０１２６】
また、本実施の形態において、無線通信端末装置２ｂは、Ｗｉ−Ｆｉ方式で無線接続を確立していないとき、プローブ応答フレーム５００のネットワーク識別情報フィールドＦ５に０をセットしたが、本開示はこれに限られない。プローブ応答フレーム５００のネットワーク識別情報フィールドＦ５に、０以外の実際に存在しないＢＳＳＩＤの値をセットしてもよい。また、プローブ応答フレーム５００からネットワーク識別情報フィールドＦ５を削除してもよい。すなわち、Ｗｉ−Ｆｉ方式で無線接続を確立していないことを示すプローブ応答フレーム５００を送信すればよい。
【０１２７】
（実施の形態３）
図２０は、本開示の実施の形態３に係る無線通信システムの構成を示すブロック図である。本実施の形態において、実施の形態１に記載の構成要素と同様の構成要素については、同一の符号を付す。以下、実施の形態１との間の相違点を説明する。
【０１２８】
＜無線通信システムの構成＞
図２０において、本実施の形態に係る無線通信システムは、無線通信端末装置５２ａと５２ｂとを備えて構成される。イーサネット（登録商標）などのバックボーンネットワークにそれぞれ接続されたアクセスポイント装置１Ａ、１Ｂ、１Ｃ及び１Ｄと、無線通信端末装置５２ａ及び５２ｂとは、無線ＬＡＮ規格であるＩＥＥＥ８０２．１１に準拠した無線通信を行う。また、本実施の形態において、無線通信端末装置５２ａと５２ｂとは、実施の形態１において説明したＷｉ−Ｆｉ方式及びＷｉＧｉｇ方式のうちのいずれかの通信方式を用いてデータ通信を行う。
【０１２９】
図２０に示す例では、無線通信端末装置５２ａは、アクセスポイント装置１Ａ、１Ｂ又は１Ｃとの間で無線接続を確立し、無線接続を確立したアクセスポイント装置を介してバックボーンネットワークに接続する。また、無線津新端末装置５２ｂは、アクセスポイント装置１Ａ又は１Ｄとの間で無線接続を確立し、無線接続を確立したアクセスポイント装置を介してバックボーンネットワークに接続する。
【０１３０】
＜無線通信端末装置５２ａ及び５２ｂの構成＞
図２１は、図２０の無線通信端末装置５２ａ，５２ｂの各構成を示すブロック図である。なお、無線通信端末装置５２ａと５２ｂとは、図２１に示すように同一の機能及び構成を有する。従って、図２１を参照して無線通信端末装置５２ａの機能及び構成のみを説明する。無線通信端末装置５２ａは、Ｗｉ−Ｆｉ通信インタフェース３と、ＷｉＧｉｇ通信インタフェース４と、接続制御部５と、接続情報設定部６と、Ｗｉ−Ｆｉプロトコル処理部８を備えたＷｉ−Ｆｉ接続制御部７と、ＷｉＧｉｇ接続制御部５９と、Ｗｉ−Ｆｉ接続リスト情報管理部１４Ａとを備えて構成される。さらに、ＷｉＧｉｇ接続制御部５９は、ＷｉＧｉｇプロトコル処理部１０と、マジック値付加部６１と、マジック値計算部６２と、マジック値判断部６３とを備えて構成される。
【０１３１】
Ｗｉ−Ｆｉ接続制御部７、Ｗｉ−Ｆｉプロトコル処理部８、ＷｉＧｉｇ接続制御部５９、ＷｉＧｉｇプロトコル処理部１０、マジック値付加部６１、マジック値計算部６２及びマジック値判断部６３の各機能は、当該各機能に対応するアプリケーションソフトウェアのプログラムをＣＰＵ又はＤＳＰが実行することにより、又は当該各機能に対応する演算を実行するＦＰＧＡなどのハードウェアロジック回路を設けることにより実現される。また、接続情報設定部６は、情報を記録及び保持するためメモリ又はハードディスクなどのハードウェア装置により実現される。なお、無線通信端末装置５２ａ及び５２ｂの各部５〜８、１０、６１〜６３のうちの任意の構成要素をハードウェアで実現してよい。
【０１３２】
図２１において、Ｗｉ−Ｆｉ通信インタフェース３と、ＷｉＧｉｇ通信インタフェース４と、接続制御部５と、接続情報設定部６と、ＷｉＧｉｇプロトコル処理部１０とは、実施の形態１に係る無線通信端末装置２ａ，２ｂのＷｉ−Ｆｉ通信インタフェース３と、ＷｉＧｉｇ通信インタフェース４と、接続制御部５と、接続情報設定部６と、ＷｉＧｉｇプロトコル処理部１０とそれぞれ同様に構成されるので、説明を省略する。
【０１３３】
本実施の形態において、無線通信端末装置５２ａのＷｉ−Ｆｉ接続制御部７は、例えば図２０のアクセスポイント装置１Ａ〜１Ｄのうちのいずれかのアクセスポイント装置との間でＷｉ−Ｆｉ方式での無線接続を確立するとき、Ｗｉ−Ｆｉ方式での無線接続を確立するための認証情報及びＢＳＳＩＤを当該アクセスポイント装置からＷｉ−Ｆｉ通信インタフェース３及び接続制御部５を介して受信し、Ｗｉ−Ｆｉ接続リスト情報管理部１４Ａ及び接続情報設定部６に格納する。このとき、Ｗｉ−Ｆｉ接続制御部７は、Ｗｉ−Ｆｉ接続リスト情報管理部１４Ａにすでに認証情報及びＢＳＳＩＤが格納されているときは、格納されている認証情報及びＢＳＳＩＤを消去せずに、新たな認証情報及びＢＳＳＩＤを追加して格納する。
【０１３４】
Ｗｉ−Ｆｉ接続リスト情報管理部１４Ａは、無線通信端末装置５２ａがこれまでにＷｉ−Ｆｉ方式で無線接続を確立したときの認証情報及び識別情報の組を、リストデータとして格納する。Ｗｉ−Ｆｉ接続リスト情報管理部１４Ａは、例えば、ＣＰＵなどからアクセスできるメモリ装置を用いて実現できる。無線通信端末装置５２ａへの電源供給がなくなった場合でもリストデータを保持する場合は、メモリ装置として不揮発性記憶型の記憶装置を用いることが好ましい。一方、無線通信端末装置５２ａへの電源供給がなくなった場合にリストデータが消去されても良い場合は、メモリ装置として揮発性の記憶装置を用いることができる。
【０１３５】
マジック値付加部６１は、詳細後述するマジック値を、詳細後述するグループオーナーネゴシエーション要求フレーム１００Ａ及びグループオーナーネゴシエーション応答フレーム２００Ａにセットする。また、マジック値計算部６２は、Ｗｉ−Ｆｉ接続リスト情報管理部１４Ａに格納されている認証情報を一意に識別するマジック値を計算する。さらに、マジック値判断部６３は、詳細後述するように、無線通信端末装置５２ａのＷｉ−Ｆｉ接続リスト情報管理部１４Ａに格納されている各認証情報に対応するマジック値を、ＷｉＧｉｇ方式でデータ通信を行う無線通信端末装置から受信したグループオーナーネゴシエーション応答フレーム２００Ａに含まれるマジック値と比較する。そして、Ｗｉ−Ｆｉ接続リスト情報管理部１４Ａに格納されている各認証情報に対応するマジック値のうちの少なくとも１つが、受信したグループオーナーネゴシエーション応答フレーム２００Ａに含まれるマジック値のうちの少なくとも１つに一致するか否かを判断する。
【０１３６】
図２２は、図２１の無線通信端末装置５２ａのＷｉ−Ｆｉ接続リスト情報管理部１４Ａに格納される認証情報識別子、認証情報及びＢＳＳＩＤと、図２１の無線通信端末装置５２ａのマジック値計算部６２よって計算されるマジック値とのリストの一例を示すテーブルである。また、図２３は、図２１の無線通信端末装置５２ｂのＷｉ−Ｆｉ接続リスト情報管理部１４Ａに格納される認証情報識別子、認証情報及びＢＳＳＩＤと、図２１の無線通信端末装置５２ｂのマジック値計算部６２よって計算されるマジック値とのリストの一例を示すテーブルである。
【０１３７】
図２２の例では、無線通信端末装置５２ａのＷｉ−Ｆｉ接続リスト情報管理部１４Ａには３つの認証情報が格納されている。なお、本実施の形態において、認証情報は、上記各実施の形態と同様に、アクセスポイント装置の識別子であるＳＳＩＤと、データを暗号化するための暗号方式と、暗号鍵を配送する鍵配送処理（鍵交換処理ともいう。）で配送される暗号鍵情報とを含む。また、各認証情報に対して、認証情報を無線通信端末装置５２ａにおいて識別するための認証情報識別子が割り当てられている。マジック値計算部６２は、認証情報に基づいて、認証情報に固有のマジック値を計算する。図２２の例では、認証情報識別子「１」、「２」及び「３」がそれぞれ割り当てられた認証情報は、図２０のアクセスポイント装置１Ａ、１Ｂ及び１Ｃに対応している。
【０１３８】
また、図２３の例では、無線通信端末装置５２ｂのＷｉ−Ｆｉ接続リスト情報管理部１４Ａには２つの認証情報が格納されている。また、認証情報識別子「１」及び「２」がそれぞれ割り当てられた認証情報は、図２０のアクセスポイント装置１Ｄ及び１Ｂに対応している。無線通信端末装置５２ａ及び５２のマジック値計算部６２は同一の計算方法でマジック値を計算するので、図２２の認証情報識別子「２」に対応する認証情報のマジック値は、図２の認証情報識別子「２」に対応する認証情報のマジック値と一致する。
【０１３９】
図２４は、図２１のＷｉ−Ｆｉ接続リスト情報管理部１４Ａへの認証情報の格納方法を示すフォーマット図である。図２４に示すように、ＳＳＩＤ、暗号方式、認証方式及び鍵情報の各データは、それぞれ４バイト、２バイト、２バイト、及び８バイトの各記憶領域に格納される。なお、各データのデータ長が、割り当てられた記憶領域のサイズより小さいときは、当該記憶領域は「０」などの所定のデータでパディングされる。
【０１４０】
図２４において、暗号方式は、暗号方式を識別する数値データに変換されてＷｉ−Ｆｉ接続リスト情報管理部１４Ａに格納される。例えば、暗号化なしの場合は０に変換され、ＷＥＰは１に変換され、ＴＫＩＰは２に変換され、ＡＥＳは３に変換される。また、認証方式も、認証方式を識別する数値データに変換されてＷｉ−Ｆｉ接続リスト情報管理部１４Ａに格納される。例えば、オープン方式は０に変換され、オープン共有方式（Ｏｐｅｎ−Ｓｈａｒｅ）は１に変換され、共有方式（Ｓｈａｒｅｄ）は２に変換され、ＷＥＰ−ＰＳＫは３に変換され、ＷＰＡ２−ＰＳＫは４に変換される。
【０１４１】
＜データ通信のための通信方式をＷｉ−Ｆｉ方式からＷｉＧｉｇ方式に切替えるための処理＞
図２０の無線通信システムにおいて、無線通信端末装置５２ａと５２ｂとの間でデータ通信を行うための通信方式をＷｉ−Ｆｉ方式からＷｉＧｉｇ方式に切替えることを、無線通信端末装置５２ａが無線通信端末装置５２ｂに対して要求するときに、図２１の無線通信端末装置５２ａのＷｉＧｉｇ接続制御部５９によって実行される通信方式切替要求処理を図２５Ａ及び図２５Ｂを参照して説明し、図２１の無線通信端末装置５２ｂのＷｉＧｉｇ接続制御部９によって実行される通信方式切替応答処理を図２６Ａ及び図２６Ｂを参照して説明する。なお、図２５Ａ及び図２５Ｂの通信方式切替要求処理と、図２６Ａ及び２６Ｂの通信方式切替応答処理とは、Ｗｉ−Ｆｉアライアンスによって策定されたＷｉ−Ｆｉダイレクトに準拠した通信プロトコルを用いて実行される。
【０１４２】
図２５Ａ及び図２５Ｂは、図２１の無線通信端末装置５２ａのＷｉＧｉｇ接続制御部５９によって実行される通信方式切替要求処理を示すフローチャートである。図２５ＡのステップＳ１〜Ｓ３の処理は、図４ＡのステップＳ１〜Ｓ３の処理と同様であるので、説明を省略する。図２５ＡのステップＳ３においてＹＥＳのときはステップＳ６１に進む。ステップＳ６１において、マジック値計算部６２は、Ｗｉ−Ｆｉ接続リスト情報管理部１４Ａに格納されている各認証情報のマジック値を計算して、Ｗｉ−Ｆｉ接続リスト情報管理部１４Ａに格納する。
【０１４３】
次に、ステップＳ６２において、マジック値付加部６１が、無線通信端末装置５２ａのＷｉ−Ｆｉ接続リスト情報管理部１４Ａに格納されている認証情報識別子及びマジック値のリストを含むグループオーナーネゴシエーション要求フレーム１００Ａを、接続情報制御部５とＷｉＧｉｇ通信インタフェース４とを介して無線通信端末装置５２ｂに送信する。具体的には、マジック値付加部６１は、ＷｉＧｉｇプロトコル処理部１０によって生成されたグループオーナーネゴシエーション要求フレーム１００Ａのネットワーク識別情報フィールドＦ６に、Ｗｉ−Ｆｉ接続リスト情報管理部１４Ａに格納されている認証情報識別子及びマジック値のリストをセットする。なお、グループオーナーネゴシエーション要求フレーム１００Ａのフォーマットは詳細後述する。
【０１４４】
詳細後述するように、無線通信端末装置５２ｂは、グループオーナーネゴシエーション要求フレーム１００Ａに応答して、グループオーナーネゴシエーション応答フレーム２００Ａを無線通信端末装置５２ａに送信する。グループオーナーネゴシエーション応答フレーム２００Ａは、無線通信端末装置５２ａのＷｉ−Ｆｉ接続リスト情報管理部１４Ａに格納されている認証情報識別子及びマジック値のリストを含む。
【０１４５】
ステップＳ６２に続いてステップＳ６３において、マジック値判断部６３は、無線通信端末装置５２ｂから、ＷｉＧｉｇ通信インタフェース４と、接続制御部５とを介して、グループオーナーネゴシエーション応答フレーム２００Ａを受信する。次に、図２５ＢのステップＳ６４において、マジック値判断部６３は、Ｗｉ−Ｆｉ接続リスト情報管理部１４Ａに格納されているマジック値のうちの少なくとも１つが、グループオーナーネゴシエーション応答フレーム２００Ａに含まれているマジック値のうちの少なくとも１つに一致するか否かを判断する。そして、ステップＳ６４においてＹＥＳのときはステップＳ６５に進む一方、ＮＯのときはステップＳ６８に進む。ここで、無線通信端末装置５２ａと５２ｂとが共通のアクセスポイント装置にＷｉ−Ｆｉ方式で接続されたことがあるとき、ステップＳ６４においてＹＥＳと判断される。
【０１４６】
ステップＳ６５において、マジック値判断部６３が、Ｗｉ−Ｆｉ接続リスト情報管理部１４Ａに格納されているマジック値のうち、グループオーナーネゴシエーション応答フレーム２００Ａに含まれているマジック値と一致する少なくとも１つのマジック値から、１つのマジック値を選択する。具体的には、マジック値判断部６３は、最小の認証情報識別子に対応する認証情報のマジック値を選択する。なお、マジック値判断部６３は、最大の通信速度を実現できる認証情報のマジック値を選択してもよい。
【０１４７】
次に、ステップＳ６６において、ＷｉＧｉｇプロトコル処理部１０は、詳細後述するグループオーナーネゴシエーション確認フレーム３００Ａの比較結果フィールドＦ８に、選択されたマジック値の、無線通信端末装置５２ｂにおける認証情報識別子をセットして、グループオーナーネゴシエーション確認フレーム３００Ａを、接続制御部５とＷｉＧｉｇ通信インタフェース４とを介して無線通信端末装置５２ｂに送信する。なお、グループオーナーネゴシエーション確認フレーム３００Ａのフォーマットは詳細後述する。
【０１４８】
次に、ステップＳ６７において、ＷｉＧｉｇプロトコル処理部１０は、選択されたマジック値に対応する認証情報を用いて、無線通信端末５２ｂとの間で認証処理及び鍵配送処理を実行し、通信方式切替要求処理を終了する。ステップＳ６７の処理は、図４ＢのステップＳ１０の処理と同様である。
【０１４９】
一方、ステップＳ６８において、ＷｉＧｉｇプロトコル処理部１０は、詳細後述するグループオーナーネゴシエーション確認フレーム３００Ａの比較結果フィールドＦ８に０をセットして、グループオーナーネゴシエーション確認フレーム３００Ａを、接続制御部５とＷｉＧｉｇ通信インタフェース４とを介して無線通信端末装置５２ｂに送信する。
【０１５０】
次に、ステップＳ１２Ａにおいて、ＷｉＧｉｇプロトコル処理部１０は、無線通信端末装置５２ｂとの間で、ＷＰＳに準拠した認証情報取得情報処理を実行する。このとき、無線通信端末装置５２ａのＷｉＧｉｇ接続制御部９は、ＷＰＳにおけるレジストラ装置として動作する無線通信端末装置５２ｂから認証情報を取得する。ステップＳ１２Ａの処理は、図４ＢのステップＳ１２の処理と同様である。次に、認証情報取得処理が正常に終了すると、ステップＳ１３Ａにおいて、Ｗｉ−Ｆｉプロトコル処理部１０は、認証情報取得処理によって取得された認証情報を用いて、無線通信端末５２ｂとの間で認証処理及び鍵配送処理を実行し、通信方式切替要求処理を終了する。ステップＳ１３Ａの処理は、図４ＢのステップＳ１３の処理と同様である。
【０１５１】
図２６Ａ及び図２６Ｂは、図２１の無線通信端末装置５２ｂのＷｉＧｉｇ接続制御部９によって実行される通信方式切替要求処理を示すフローチャートである。図２６ＡのステップＳ２１及びＳ２２の処理は、図５ＡのステップＳ２１及びＳ２２の処理と同様であるので説明を省略する。図２６Ａにおいて、ステップＳ２２においてＹＥＳのときはステップＳ７１に進む。ステップＳ７１において、ＷｉＧｉｇプロトコル処理部１０は、グループオーナーネゴシエーション要求フレーム１００Ａを、無線通信端末装置５２ａから受信する。次に、ステップＳ７２において、マジック値計算部６２は、Ｗｉ−Ｆｉ接続リスト情報管理部１４Ａに格納されている各認証情報のマジック値を計算して、Ｗｉ−Ｆｉ接続リスト情報管理部１４Ａに格納する。
【０１５２】
次に、ステップＳ７３において、マジック値付加部６１は、無線通信端末装置５２ｂのＷｉ−Ｆｉ接続リスト情報管理部１４Ａに格納されている認証情報識別子及びマジック値のリストを含むグループオーナーネゴシエーション応答フレーム２００Ａを、接続情報制御部５とＷｉＧｉｇ通信インタフェース４とを介して無線通信端末装置５２ｂに送信する。具体的には、マジック値付加部６１は、ＷｉＧｉｇプロトコル処理部１０によって生成されたグループオーナーネゴシエーション応答フレーム２００Ａのネットワーク識別情報フィールドＦ６に、Ｗｉ−Ｆｉ接続リスト情報管理部１４に格納されている認証情報識別子及びマジック値のリストをセットする。なお、グループオーナーネゴシエーション応答フレーム２００Ａのフォーマットは詳細後述する。
【０１５３】
次に、ステップＳ７４において、ＷｉＧｉｇプロトコル処理部１０は、グループオーナーネゴシエーション確認フレーム３００Ａを、無線通信端末装置５２ａから受信する。次に、ステップＳ７６において、ＷｉＧｉｇプロトコル処理部１０は、Ｗｉ−Ｆｉ接続リスト情報管理部１４Ａに格納されている認証情報のうち、グループオーナーネゴシエーション確認フレーム３００Ａに含まれている認証情報識別子に対応する認証情報を用いて、無線通信端末５２ａとの間で認証処理及び鍵配送処理を実行し、通信方式切替応答処理を終了するこのとき、ＷｉＧｉｇ接続制御部５９は、Ｗｉ−Ｆｉ方式で無線接続確立したときの認証情報をそのまま用いて、無線通信端末装置５２ｂをグループオーナー装置として動作させ、無線通信端末装置５２ａからの接続要求を受け入れる。
【０１５４】
一方、ステップＳ３２Ａにおいて、ＷｉＧｉｇプロトコル処理部１０は、無線通信端末装置５２ａとの間で、ＷＰＳに準拠した認証情報取得処理を実行する。これにより、ＷｉＧｉｇ接続制御部５９は、ＷＰＳにおけるクライアント装置として動作する無線通信端末装置５２ａに、無線通信端末装置５２ｂに予め設定されている認証情報を送信する。次に、ステップＳ３３Ａにおいて、Ｗｉ−Ｆｉプロトコル処理部１０は、無線通信端末装置５２ｂに予め設定されている認証情報を用いて、無線通信端末５２ａとの間で認証処理及び鍵配送処理を実行し、通信方式切替応答処理を終了する。
【０１５５】
＜グループオーナーネゴシエーション要求フレーム１００Ａのフォーマット＞
図２７は、図２５ＡのステップＳ６２において送信されるグループオーナーネゴシエーション要求フレーム１００Ａのフォーマットを示すフォーマット図である。グループオーナーネゴシエーション要求フレーム１００Ａは、実施の形態１に係るグループオーナーネゴシエーション要求フレーム１００に比較して、ネットワーク識別情報フィールドＦ１に代えて、ネットワーク識別情報フィールドＦ６を備えた点が異なり、それ以外の部分はグループオーナーネゴシエーション要求フレーム１００と同一である。
【０１５６】
図２８は、図２７のネットワーク識別情報フィールドＦ６のフォーマットを示すテーブルである。図２８において、ネットワーク識別子情報フィールドＦ６は、ＩＤフィールドと、長さフィールドと、個数フィールドと、少なくとも１組のインデックスフィールドとマジックフィールドとを含む。ここで、ＩＤフィールドには、ネットワーク識別情報フィールドＦ６の識別子である２２がセットされる。また、長さフィールドには、個数フィールドと、インデックスフィールドと、マジックフィールドとの総データ長（６バイト）がセットされる。なお、個数フィールドと、少なくとも１組のインデックスフィールドとマジックフィールドとを認証情報リストという。
【０１５７】
また、個数フィールドには、後続のインデックスフィールドとマジックフィールドとのペアの数がセットされる。図２８の例では、個数フィールドには３がセットされ、３組のインデックスフィールドとマジックフィールドが設けられている。各インデックスフィールドには、無線通信端末装置５２ａにおける認証情報識別子が昇順でセットされ、各マジックフィールドには、認証情報識別子に対応するマジック値がセットされる。
【０１５８】
以上説明したように、グループオーナーネゴシエーション要求フレーム１００Ａは、無線通信端末装置５２ａが過去に接続したアクセスポイント装置に対応する認証情報の認証情報識別子とマジック値とを含む。
【０１５９】
＜グループオーナーネゴシエーション応答フレーム２００Ａのフォーマット＞
図２９は、図２６ＡのステップＳ７３において送信されるグループオーナーネゴシエーション応答フレーム２００Ａのフォーマットを示すフォーマット図である。グループオーナーネゴシエーション応答フレーム２００Ａは、実施の形態１に係るグループオーナーネゴシエーション応答フレーム２００に比較して、ネットワーク識別情報フィールドＦ２に代えて、ネットワーク識別情報フィールドＦ７を備えた点が異なり、それ以外の部分はグループオーナーネゴシエーション応答フレーム２００と同一である。
【０１６０】
図３０は、図２９のネットワーク識別情報フィールドＦ７のフォーマットを示すテーブルである。図３０に示すように、ネットワーク識別情報フィールドＦ７は、ネットワーク識別情報フィールドＦ６と同様に構成される。図３０の例では、個数フィールドには２がセットされ、２組のインデックスフィールドとマジックフィールドが設けられている。各インデックスフィールドには、無線通信端末装置５２ｂにおける認証情報識別子が昇順でセットされ、各マジックフィールドには、認証情報識別子に対応するマジック値がセットされる。
【０１６１】
以上説明したように、グループオーナーネゴシエーション応答フレーム２００Ａは、無線通信端末装置５２ｂが過去に接続したアクセスポイント装置に対応する認証情報の認証情報識別子とマジック値とを含む。
【０１６２】
図３１は、図２５ＢのステップＳ６６及びＳ６８において送信されるグループオーナーネゴシエーション確認フレーム３００Ａのフォーマットを示すフォーマット図である。グループオーナーネゴシエーション確認フレーム３００Ａは、実施の形態１に係るグループオーナーネゴシエーション確認フレーム３００に比較して、比較結果フィールドＦ３に代えて、比較結果フィールドＦ３を備えた点が異なり、それ以外の部分はグループオーナーネゴシエーション確認フレーム３００と同一である。
【０１６３】
図３２は、図３１の比較結果フィールドＦ８のフォーマットを示すテーブルである。図３２において、比較結果フィールドＦ８は、ＩＤフィールドと、長さフィールドと、比較結果フィールドとを含む。ここで、ＩＤフィールドには、比較結果フィールドＦ８の識別子である２２がセットされる。また、長さフィールドには、比較結果フィールドのデータ長がセットされる。さらに、比較結果フィールドには、マジック値が一致した認証情報の無線通信端末装置５２ｂにおける認証情報識別子がセットされる。
【０１６４】
＜無線通信システムの動作例＞
図３３は、図２０の無線通信システムの動作の一例を示すタイミングチャートである。図３３のタイミングチャートは、図１２のタイミングチャートのステップＳ４０３〜Ｓ４０６をステップＳ４０３Ａ〜Ｓ４０６Ａに置き換えたものである。その他の処理は、図１２の処理と同様であるので説明を省略する。
【０１６５】
無線通信端末装置５２ａは、プローブ応答フレームを受信すると、ステップＳ４０３Ａにおいて、無線通信端末装置５２ａがこれまでにＷｉ−Ｆｉ方式で無線接続を確立したときの認証情報（例えば、図２２参照）の認証情報識別子及びマジック値を含むグループオーナーネゴシエーション要求フレーム１００Ａを、無線通信端末装置５２ｂに送信する。これに応答して、無線通信端末装置５２ｂは、ステップＳ４０４Ａにおいて、無線通信端末装置５２ｂがこれまでにＷｉ−Ｆｉ方式で無線接続を確立したときの認証情報（例えば、図２３参照）の認証情報識別子及びマジック値を含むグループオーナーネゴシエーション応答フレーム２００Ａを、無線通信端末装置５２ａに送信する。
【０１６６】
次に、ステップＳ４０４Ａにおいて、無線通信端末装置５２ａは、無線通信端末装置５２ａのＷｉ−Ｆｉ接続リスト情報管理部１４Ａに格納されているマジック値のうちの少なくとも１つが、グループオーナーネゴシエーション応答フレーム２００Ａに含まれているマジック値のうちの少なくとも１つに一致するか否かを判断する。さらに、無線通信端末装置５２ａは、Ｗｉ−Ｆｉ接続リスト情報管理部１４Ａに格納されているマジック値のうち、グループオーナーネゴシエーション応答フレーム２００Ａに含まれているマジック値と一致する少なくとも１つのマジック値から、１つのマジック値を選択する。そして、無線通信端末装置５２ａは、選択されたマジック値の無線通信端末装置５２ｂにおける認証情報識別子又は一致するマジック値の組み合わせがなかったことを示すデータを含むグループオーナーネゴシエーション確認フレーム３００Ａを無線通信端末装置５２ｂに送信する。
【０１６７】
本実施の形態によれば、ＷｉＧｉｇ方式での無線接続を確立するとき、必ずしもＷｉ−Ｆｉ方式での無線通信が確立している必要はない。無線通信端末装置５２ａ及び５２ｂは、それまでにＷｉ−Ｆｉ方式での無線通信が確立したときの認証情報を各Ｗｉ−Ｆｉ接続リスト情報管理部１４Ａに格納しておく。そして、無線通信端末装置５２ａがＷｉ−Ｆｉ方式で無線接続を確立したときの認証情報のうちの少なくとも１つが、無線通信端末装置５２ｂがＷｉ−Ｆｉ方式で無線接続を確立したときの認証情報と一致するとき、一致した認証情報をそのまま、無線通信端末装置５２ａと５２ｂとの間で、ＷｉＧｉｇ方式での無線接続を確立するための認証処理及び鍵配送処理に用いる。従って、無線通信端末装置５２ａ及び５２ｂは、ＷｉＧｉｇ方式での無線通信を開始する前に、比較的データの処理量が大きいＷＰＳなどの認証情報取得処理及び暗号化方式を整合させるための処理を実行する必要がない。このため、無線通信端末装置５２ａと５２ｂとの間で通信を行うための通信方式をＷｉＧｉｇ方式に切替えた後も、切替え前と同様に情報の安全性及び秘匿性を保持したまま、従来技術に比較して通信方式を迅速に切替えることができる。
【０１６８】
すなわち、本実施の形態によれば、ＷｉＧｉｇ方式での無線通信を行うときに、Ｗｉ−Ｆｉ方式での無線通信を行ったときと同程度に、安全性を保つことができる。また、ＷｉＧｉｇ方式での無線接続を確立するための認証処理及び鍵配送処理における処理量を従来技術に比較して削減して簡略化できるので、ＷｉＧｉｇ方式での無線接続を、従来技術に比較して高速に確立できる。
【０１６９】
また、本実施の形態によれば、無線通信端末装置５２ａ及び５２ｂは、それまでにＷｉ−Ｆｉ方式での無線通信が確立したときの少なくとも１つの認証情報を各Ｗｉ−Ｆｉ接続リスト情報管理部１４Ａに格納しておく。従って、無線通信端末装置５２ａと５２ｂとの間でＷｉＧｉｇ方式での無線接続を確立するとき、各Ｗｉ−Ｆｉ接続リスト情報管理部１４Ａに格納されている認証情報の数が多いほど、図２５Ｂのステップ６４においてＹＥＳと判断される可能性が高くなる。この結果、Ｗｉ−Ｆｉ方式での無線接続に用いた認証情報を用いることができる可能性が高くなる。従って、ユーザに認証情報取得のための操作を要求することなく、ＷｉＧｉｇ方式での通信を実施の形態１及び２に比較して迅速に確立できる。
【０１７０】
（実施の形態４）
実施の形態３では、図２５Ａ及び図２５Ｂの通信方式切替要求処理と、図２６Ａ及び図２６Ｂの通信方式切替応答処理とを、Ｗｉ−Ｆｉダイレクトに準拠した通信プロトコルを用いて実行した。これに対して、本実施の形態では、図２０の無線通信システムにおいて、図３４Ａ及び図３４Ｂの通信方式切替要求処理と、図３５Ａ及び図３５Ｂの通信方式切替応答処理とを、ＷｉＧｉｇに準拠した通信プロトコルを用いて実行する。また、本実施の形態において、ＷｉＧｉｇ方式の無線通信では、無線通信端末装置５２ａはＷＰＳにおけるクライアント装置として動作し、無線通信端末装置５２ｂは、アクセスポイント装置として動作する。本実施の形態において、無線通信端末装置５２ａ及び５２ｂは、実施の形態３に係る無線通信端末装置５２ａ及び５２ｂと同様に構成される。以下、実施の形態３との間の相違点のみを説明する。
【０１７１】
＜データ通信のための通信方式をＷｉ−Ｆｉ方式からＷｉＧｉｇ方式に切替えるための処理＞
図２０の無線通信システムにおいて、無線通信端末装置５２ａと５２ｂとの間でデータ通信を行うための通信方式をＷｉ−Ｆｉ方式からＷｉＧｉｇ方式に切替えることを、無線通信端末装置５２ａが無線通信端末装置５２ｂに対して要求するときに、図２１の無線通信端末装置２ａのＷｉＧｉｇ接続制御部９によって実行される通信方式切替要求処理を図３４Ａ及び図３４Ｂを参照して説明し、図２１の無線通信端末装置５２ｂのＷｉＧｉｇ接続制御部９によって実行される通信方式切替応答処理を図３５Ａ及び図３５Ｂを参照して説明する。なお、図３４Ａ及び図３４Ｂにおいて、図１３Ａ、図１３Ｂ、図２５Ａ又は図２５Ｂにおける処理と同一の処理には、同一のステップ番号を付し、詳細説明を省略する。また、図３５Ａ及び３５Ｂにおいて、図１４Ａ、図１４Ｂ、図２６Ａ又は図２６Ｂにおける処理と同一の処理には、同一のステップ番号を付し、詳細説明を省略する。
【０１７２】
図３４ＡのステップＳ１において、ＷｉＧｉｇ接続制御部９は、無線通信端末装置５２ｂとの間でデータ通信を行うための通信方式をＷｉＧｉｇ方式に切替えることを指示する切替指示信号を受信したか否かを判断する。ステップＳ１においてＹＥＳのときはステップＳ４１に進む一方、ＮＯのときはステップＳ１の処理を繰り返して実行する。
【０１７３】
ステップＳ４１において、ＷｉＧｉｇプロトコル処理部１０は、ＷｉＧｉｇ方式での無線通信が可能な無線通信端末装置を探索できたか否かを判断する。そして、ステップＳ４１においてＹＥＳのときはステップＳ６１に進む一方、ＮＯのときは通信方式切替要求処理を終了する。ステップＳ６１において、マジック値計算部６２は、Ｗｉ−Ｆｉ接続リスト情報管理部１４Ａに格納されている各認証情報のマジック値を計算して、Ｗｉ−Ｆｉ接続リスト情報管理部１４Ａに格納する。
【０１７４】
次に、ステップＳ８２において、マジック値付加部６１が、無線通信端末装置５２ａのＷｉ−Ｆｉ接続リスト情報管理部１４Ａに格納されている認証情報識別子及びマジック値のリストを含むプローブ要求フレーム４００Ａを、接続情報制御部５とＷｉＧｉｇ通信インタフェース４とを介して無線通信端末装置５２ｂに送信する。具体的には、マジック値付加部６１は、ＷｉＧｉｇプロトコル処理部１０によって生成されたプローブ要求フレームのネットワーク識別情報フィールドＦ９に、Ｗｉ−Ｆｉ接続リスト情報管理部１４Ａに格納されている認証情報識別子及びマジック値のリストをセットする。なお、プローブ要求フレーム４００Ａのフォーマットは詳細後述する。
【０１７５】
詳細後述するように、無線通信端末装置５２ｂは、プローブ要求フレーム４００Ａに応答して、プローブ応答フレーム５００Ａを無線通信端末装置５２ａに送信する。プローブ応答フレーム５００Ａは、無線通信端末装置５２ａのＷｉ−Ｆｉ接続リスト情報管理部１４Ａに格納されている認証情報識別子及びマジック値のリストを含む。
【０１７６】
ステップＳ８２に続いてステップＳ８３において、マジック値判断部６３は、無線通信端末装置５２ｂから、ＷｉＧｉｇ通信インタフェース４と、接続制御部５とを介して、プローブ応答フレーム５００Ａを受信する。次に、ステップＳ８４において、マジック値判断部６３は、Ｗｉ−Ｆｉ接続リスト情報管理部１４Ａに格納されているマジック値のうちの少なくとも１つが、プローブ応答フレーム５００Ａに含まれているマジック値のうちの少なくとも１つに一致するか否かを判断する。そして、ステップＳ８４においてＹＥＳのときは図３４ＢのステップＳ８５に進む一方、ＮＯのときはステップＳ１２Ａに進む。ここで、無線通信端末装置５２ａと５２ｂとが共通のアクセスポイント装置にＷｉ−Ｆｉ方式で接続されたことがあるとき、ステップＳ８４においてＹＥＳと判断される。なお、ステップＳ１２Ａ以降の処理は、図２５ＢのステップＳ１２Ａ以降の処理と同一であるので、説明を省略する。
【０１７７】
ステップＳ８５において、マジック値判断部６３が、Ｗｉ−Ｆｉ接続リスト情報管理部１４Ａに格納されているマジック値のうち、プローブ応答フレーム５００Ａに含まれているマジック値と一致する少なくとも１つのマジック値から、１つのマジック値を選択する。具体的には、マジック値判断部６３は、最小の認証情報識別子に対応する認証情報のマジック値を選択する。なお、マジック値判断部６３は、最大の通信速度を実現できる認証情報のマジック値を選択してもよい。次に、ステップＳ６７において、ＷｉＧｉｇプロトコル処理部１０は、選択されたマジック値に対応する認証情報を用いて、無線通信端末５２ｂとの間で認証処理及び鍵配送処理を実行し、通信方式切替要求処理を終了する。ステップＳ６７の処理は、図４ＢのステップＳ１０の処理と同様である。
【０１７８】
なお、実施の形態２と比較して本実施の形態では、図１４ＡのステップＳ２５の判断処理を実行する必要はない。これは、本実施の形態では、実施の形態３と同様に、ＷｉＧｉｇ方式で無線接続を確立するときに、Ｗｉ−Ｆｉ方式での無線接続が確立されている必要がないからである。本実施の形態では、過去に既にＷｉ−Ｆｉ方式での無線接続が確立し、当該確立したときの認証情報がＷｉ−Ｆｉ接続リスト情報管理部１４Ａに格納されていればよい。
【０１７９】
図３５Ａ及び図３５Ｂは、図２１の無線通信端末装置５２ｂのＷｉＧｉｇ接続制御部９によって実行される通信方式切替要求処理を示すフローチャートである。図３５ＡのステップＳ２１及びＳ５１における処理は、図１４ＡのステップＳ２１及びＳ５１における処理と同様であるので、説明を省略する。図３５ＡのステップＳ５１においてＹＥＳのときはステップＳ９１に進む。ステップＳ９１において、ＷｉＧｉｇプロトコル処理部９は、プローブ要求フレーム４００Ａを無線通信端末装置５２ａから受信する。続いて、ステップＳ６１において、マジック値計算部６２は、Ｗｉ−Ｆｉ接続リスト情報管理部１４Ａに格納されている各認証情報のマジック値を計算して、Ｗｉ−Ｆｉ接続リスト情報管理部１４Ａに格納する。
【０１８０】
さらに、ステップＳ９３において、マジック値付加部６１が、無線通信端末装置５２ｂのＷｉ−Ｆｉ接続リスト情報管理部１４Ａに格納されている認証情報識別子及びマジック値のリストを含むプローブ応答フレーム５００Ａを、接続情報制御部５とＷｉＧｉｇ通信インタフェース４とを介して無線通信端末装置５２ａに送信する。具体的には、マジック値付加部６１は、ＷｉＧｉｇプロトコル処理部１０によって生成されたグプローブ応答フレーム５００Ａのネットワーク識別情報フィールドＦ１０に、Ｗｉ−Ｆｉ接続リスト情報管理部１４Ａに格納されている認証情報識別子及びマジック値のリストをセットする。なお、プローブ応答フレーム５００Ａのフォーマットは詳細後述する。
【０１８１】
次に、ステップＳ９４において、マジック値判断部６３は、無線通信端末装置５２ａのＷｉ−Ｆｉ接続リスト情報管理部１４Ａに格納されているマジック値のうちの少なくとも１つが、プローブ要求フレーム４００Ａに含まれているマジック値のうちの１つに一致するか否かを判断する。そして、ステップＳ９４においてＹＥＳのときは図３５ＢのステップＳ９５に進む一方、ＮＯのときは図３５ＢのステップＳ３２Ａに進む。なお、ステップＳ３２Ａ以降の処理は、図２６ＢのステップＳ３２Ａ以降の処理と同一であるので、説明を省略する。
【０１８２】
ステップＳ９５において、マジック値判断部６３が、Ｗｉ−Ｆｉ接続リスト情報管理部１４Ａに格納されているマジック値のうち、プローブ要求フレーム４００Ａに含まれているマジック値と一致する少なくとも一つのマジック値から、１つのマジック値を選択する。具体的には、マジック値判断部６３は、最小の認証情報識別子に対応する認証情報のマジック値を選択する。なお、マジック値判断部６３は、最大の通信速度を実現できる認証情報のマジック値を選択してもよい。次に、ステップＳ９６において、ＷｉＧｉｇプロトコル処理部９は、選択されたマジック値に対応する認証情報を用いて、無線通信端末５２ａとの間で認証処理及び鍵配送処理を実行し、通信方式切替要求処理を終了する。
【０１８３】
＜プローブ要求フレーム４００Ａのフォーマット＞
図３６は、図３４ＡのステップＳ８２において送信されるプローブ要求フレーム４００Ａのフォーマットを示すフォーマット図である。図３６に示すように、プローブ要求フレーム４００Ａは、図１５のプローブ要求フレーム４００に比較して、ネットワーク識別情報フィールドＦ４に代えてネットワーク識別情報フィールドＦ９を備えた点のみが異なる。図３７は、図３６のネットワーク識別情報フィールドＦ９のフォーマットを示すテーブルである。図３７において、ネットワーク識別情報フィールドＦ９は、図２８のネットワーク識別情報フィールドＦ６と同様に構成される。
【０１８４】
＜プローブ応答フレーム５００Ａのフォーマット＞
図３８は、図３５ＡのステップＳ９３において送信されるプローブ応答フレーム５００Ａのフォーマットを示すテーブルである。図３８に示すように、プローブ応答フレーム４００Ａは、図１７のプローブ応答フレーム５００に比較して、ネットワーク識別情報フィールドＦ５に代えてネットワーク識別情報フィールドＦ１０を備えた点のみが異なる。図３９は、図３８のネットワーク識別情報フィールドＦ１０のフォーマットを示すテーブルである。図３９において、ネットワーク識別情報フィールドＦ１０は、図３０のネットワーク識別情報フィールドＦ７と同様に構成される。
【０１８５】
＜無線通信システムの動作例＞
図４０は、図２０の無線通信システムの実施の形態４に係る動作の一例を示すタイミングチャートである。図４０のタイミングチャートは、図２０のタイミングチャートのステップＳ１００２及びＳ１００３を、ステップＳ１００２Ａ及びＳ１００３Ａに置き換えたものである。以下、図２０との間の相違点のみを説明する。
【０１８６】
ステップＳ１００２Ａにおいて、無線通信端末装置５２ａは、プローブ要求フレーム４００Ａを、無線通信端末装置５２ｂに送信する。これに応答して、無線通信端末装置５２ｂは、ステップＳ１００３Ａにおいて、プローブ応答フレーム５００Ａを、無線通信端末装置５２ａに送信する。その後、無線通信端末装置５２ａは、無線通信端末装置５２ｂから返信されたプローブ応答フレームに含まれるマジック値を、無線通信端末装置５２ａのＷｉ−Ｆｉ接続リスト情報管理部１４Ａに格納されているマジック値と比較して一致するマジック値があるか否かを判断する。この結果、一致するマジック値がある場合は、そのマジック値に対応する認証情報を用いてステップＳ４０７及びステップＳ４０８のシーケンスを行うことにより、ＷｉＧｉｇ方式での無線接続を確立する。
【０１８７】
本実施の形態に係る無線通信システムは、実施の形態３に係る無線通信システムと同様の作用効果を有する。さらに、本実施の形態によれば、実施の形態３に比較して、グループオーナーネゴシエーション確認フレーム３００Ａに対応するフレームを送信する必要はない。従って、実施の形態３に比較して、データ通信のための通信方式を、Ｗｉ−Ｆｉ方式からＷｉＧｉｇ方式にさらに容易かつ迅速に切替えることができる。
【０１８８】
（他の実施の形態）
以上説明したように、本出願において開示する技術の例示として、上述した各実施の形態を説明した。しかしながら、本開示における技術はこれに限定されず、適宜、変更、置き換え、付加又は省略などを行った実施の形態にも適用可能である。また、上述した各実施の形態で説明した各構成要素を組み合わせて、新たな実施の形態とすることも可能である。そこで、以下、他の実施の形態を例示する。
【０１８９】
上記各実施の形態に係る無線通信システムは、２台の無線通信端末装置２ａ及び２ｂ又は２台の無線通信端末装置５２ａ及び５２ｂを備えて構成されたが、本開示はこれに限られない。無線通信システムは、３台以上の無線通信端末装置を備えて構成されてもよい。
【０１９０】
また、上記各実施の形態において、Ｗｉ−Ｆｉ方式及びＷｉＧｉｇ方式を例に挙げて本開示を説明したが、本開示はこれに限られない。本開示は、共通の認証情報を用いて認証処理を実行できる２つの通信方式に適用できる。このとき、２つの通信方式において用いる通信周波数帯及び変調方式のうちの少なくとも一方は、物理レベル又は論理レベルにおいて異なっていてもよい。
【０１９１】
さらに、上記各実施の形態において、無線通信端末装置２ｂ及び５２ｂがグループオーナー装置として動作したが、本開示はこれに限られない。無線通信端末装置２ａ及び５２ａがグループオーナー装置として動作してもよい。
【０１９２】
さらに、実施の形態３及び４において、認証情報はＳＳＩＤと、暗号方式と、認証方式と暗号鍵情報とを含んだが（図２参照。）、本開示がこれに限られない。認証情報は、スループットなどの通信特性等についての情報を含んでもよい。この場合、図２５ＢのステップＳ６５及び図３４ＢのステップＳ８５において、認証情報に含まれる通信性能の情報に基づいて、１つのマジック値を選択してもよい。これにより、ＷｉＧｉｇ方式での接続を新たに確立するとき、例えば通信の目的に応じて好適な認証情報を選択できる。
【０１９３】
なお、実施の形態３及び４では、無線通信端末装置５２ａ及び５２ｂがＷｉ−Ｆｉ方式での無線通信のための共通の認証情報を有しているか否かを、認証情報に対応するマジック値を用いて判断したが、本開示はこれに限られず、認証情報を識別する所定の値を用いて判断してもよい。なお、認証情報そのものを用いて、上述した判断のための処理を行うこともできる。しかしながら、この場合は無線通信端末装置５２ａと５２ｂとの間で交換する情報量が増え、認証情報をそのまま送受信するときに第三者によって認証情報が傍受された場合に情報の安全性が低下する。従って、認証情報そのものではなく、認証情報に対応する別の値に変換して用いることが好ましい。例えば、マジック値計算部６２は、認証情報を用いて計算したマジック値に対してＣＲＣ（Cyclic Redundancy Check）処理を施して、マジック値のデータ長を短くしてもよい。これにより、上述した実施の形態に比較して、少ない情報量及び高い安全性を確保しながら、上述した判断のための処理を実行できる。
【０１９４】
また、実施の形態３及び４では、Ｗｉ−Ｆｉ形式での無線通信で用いた認証情報を、すべてＷｉＧｉｇ形式での無線通信に用いたが、本開示はこれに限られず、Ｗｉ−Ｆｉ形式での無線通信で用いた認証情報の一部をＷｉＧｉｇ形式での無線通信に用いてもよい。例えば、Ｗｉ−Ｆｉ形式での無線通信で用いた認証情報のうち、暗号鍵情報のみをＷｉＧｉｇ形式での無線通信に用いてもよい。これにより、ＷＰＳにおいて最も処理時間を必要とする暗号鍵の情報の送信処理を省略できる。
【０１９５】
さらに、実施の形態３及び４では、Ｗｉ−Ｆｉ方式での無線接続を確立するために取得した認証情報をＷｉＧｉｇ方式での無線接続を確立するときに利用したが、本開示はこれに限られない。例えば、ＷｉＧｉｇ方式での無線接続を確立するために取得した認証情報を、再び、ＷｉＧｉｇ方式での無線接続を確立するときに利用してもよい。
【０１９６】
＜まとめ＞
以上説明したように、実施の形態１及び２によれば、Ｗｉ−Ｆｉ方式で無線接続を確立したときに用いられた認証情報を、ＷｉＧｉｇ方式で無線接続を確立するときの認証処理に用いるので、ＷｉＧｉｇ方式で無線接続を確立するための処理を削減できる。このとき、Ｗｉ−Ｆｉ方式で無線接続を確立したときに用いられた認証情報をＷｉＧｉｇ方式での無線接続を確立するための認証情報として用いることができるか否かを、無線通信端末装置２ａがＷｉ−Ｆｉ方式で無線接続を確立したときに無線通信端末装置２ａが属していたネットワークのネットワーク識別情報と、無線通信端末装置２ｂがＷｉ−Ｆｉ方式で無線接続を確立したときに無線通信端末装置２ｂが属していたネットワークのネットワーク識別情報とに基づいて判断する。ここで、ネットワーク識別情報は、実施の形態１及び２では、ＢＳＳＩＤであったが、本開示はこれに限られず、ネットワークを識別できる情報であればよい。
【０１９７】
また、実施の形態１〜４において、認証情報はＳＳＩＤと、暗号方式と、認証方式と、暗号鍵情報とを含むので、ＷｉＧｉｇ方式での無線接続を確立するための処理を簡素化して、処理時間を短縮できる。これは、一般に、ＷｉＧｉｇ方式での無線接続を確立するための処理時間のうち、暗号化に関する調停処理及び認証に関する調停処理が支配的であるからである。
【０１９８】
さらに、無線通信端末装置２ａ、２ｂ、５２ａ、５２ｂは、接続情報をビーコン信号、プローブ要求フレーム又はプローブ応答フレームなどの通信フレームに含めて送信してもよい。例えば、ビーコン信号を用いることで、通信相手となる無線通信端末装置の検出と、通信相手となる無線通信端末装置が有する接続情報等の取得とを同時に行うことができる。一方、ビーコン信号以外の通信フレームを用いることで、接続情報を特定の無線通信端末装置のみに送信することが可能となり、情報の安全性を比較的保つことができる。
【０１９９】
実施の形態１及び２において、２つのＢＳＳＩＤを比較した（図４ＢのステップＳ８及び図１３ＢのステップＳ４５）が、本開示はこれに限られない。接続情報に含まれる２つ以上の情報を比較してもよい。また、通信方式をＷｉ−Ｆｉ方式からＷｉＧｉｇ方式に切替える場合には、その時点で接続が確立している通信方式に関する接続情報を用いることが好ましい。これにより、切替えのための処理をより迅速に行うことができる。特に、アクセスポイント装置を介するＷｉ−Ｆｉ方式の通信から、アクセスポイント装置を経由しない直接経路を介するＷｉＧｉｇ方式の通信に切替える場合に、切替えのための処理をより迅速に実行できる。
【０２００】
一方、無線通信端末装置がモバイル端末であるときは、無線通信端末装置が移動し、接続先のアクセスポイント装置が比較的頻繁に切り替わる。この場合、実施の形態３及び３のように、現時点での接続を確立するために用いられた認証情報に限られず、過去に接続を確立するために用いられた認証情報も用いればよい。これにより、接続先のアクセスポイント装置が切り替わる場合、通信方式をＷｉＧｉｇ方式に切替えるときも、従来技術に比較して接続処理を迅速に行うことができる。
【０２０１】
以上のように、本開示における技術の例示として、実施の形態を説明した。そのために、添付図面及び詳細な説明を提供した。
【０２０２】
従って、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０２０３】
また、上述の実施の形態は、本開示における技術を例示するためのものであるから、特許請求の範囲またはその均等の範囲において種々の変更、置き換え、付加、省略などを行うことができる。
【産業上の利用可能性】
【０２０４】
本開示は、複数の通信方式をサポートする無線通信端末装置で利用可能である。ここで、無線通信端末装置は、例えば、携帯電話機、パーソナルコンピュータ又はトランシーバなどの装置である。
【符号の説明】
【０２０５】
１  アクセスポイント端末
２ａ,２ｂ,５２ａ,５２ｂ  無線通信端末装置
３  Ｗｉ−Ｆｉ通信インタフェース
４  ＷｉＧｉｇ通信インタフェース
５  接続制御部
６  接続情報設定部
７  Ｗｉ−Ｆｉ接続制御部
８  Ｗｉ−Ｆｉプロトコル処理部
９,５９  ＷｉＧｉｇ接続制御部
１０  ＷｉＧｉｇプロトコル処理部
１１  Ｗｉ−Ｆｉ情報付加部
１２  Ｗｉ−Ｆｉ接続判断部
１３  ＢＳＳＩＤ判断部
１４  Ｗｉ−Ｆｉ接続情報管理部
１４Ａ  Ｗｉ−Ｆｉ接続リスト情報管理部
６１  マジック値付加部
６２  マジック値計算部
６３  マジック値判断部
【図１】
2014024351.tif 000003
【図２】
2014024351.tif 000004
【図３】
2014024351.tif 000005
【図４Ａ】
2014024351.tif 000006
【図４Ｂ】
2014024351.tif 000007
【図５Ａ】
2014024351.tif 000008
【図５Ｂ】
2014024351.tif 000009
【図６】
2014024351.tif 000010
【図７】
2014024351.tif 000011
【図８】
2014024351.tif 000012
【図９】
2014024351.tif 000013
【図１０】
2014024351.tif 000014
【図１１】
2014024351.tif 000015
【図１２】
2014024351.tif 000016
【図１３Ａ】
2014024351.tif 000017
【図１３Ｂ】
2014024351.tif 000018
【図１４Ａ】
2014024351.tif 000019
【図１４Ｂ】
2014024351.tif 000020
【図１５】
2014024351.tif 000021
【図１６】
2014024351.tif 000022
【図１７】
2014024351.tif 000023
【図１８】
2014024351.tif 000024
【図１９】
2014024351.tif 000025
【図２０】
2014024351.tif 000026
【図２１】
2014024351.tif 000027
【図２２】
2014024351.tif 000028
【図２３】
2014024351.tif 000029
【図２４】
2014024351.tif 000030
【図２５Ａ】
2014024351.tif 000031
【図２５Ｂ】
2014024351.tif 000032
【図２６Ａ】
2014024351.tif 000033
【図２６Ｂ】
2014024351.tif 000034
【図２７】
2014024351.tif 000035
【図２８】
2014024351.tif 000036
【図２９】
2014024351.tif 000037
【図３０】
2014024351.tif 000038
【図３１】
2014024351.tif 000039
【図３２】
2014024351.tif 000040
【図３３】
2014024351.tif 000041
【図３４Ａ】
2014024351.tif 000042
【図３４Ｂ】
2014024351.tif 000043
【図３５Ａ】
2014024351.tif 000044
【図３５Ｂ】
2014024351.tif 000045
【図３６】
2014024351.tif 000046
【図３７】
2014024351.tif 000047
【図３８】
2014024351.tif 000048
【図３９】
2014024351.tif 000049
【図４０】
2014024351.tif 000050
【手続補正書】
【提出日】平成26年2月17日(2014.2.17)
【手続補正１】
【補正対象書類名】明細書
【補正対象項目名】全文
【補正方法】変更
【補正の内容】
【発明の詳細な説明】
【技術分野】
【０００１】
本開示は、無線通信システムと、無線通信システムの制御方法と、無線通信端末装置とに関する。
【背景技術】
【０００２】
従来から、複数の無線通信端末装置を備えた無線通信システムにおいて、無線通信端末装置間で通信を行うために複数の通信方式及び複数の通信経路が選択可能である場合に、通信目的又は通信条件などに応じて、好適な通信方式及び通品経路に切替える技術が検討されている。例えば、特許文献１記載の無線端末は、セルラー通信中の端末との間の通信方式をアドホック通信に切替えるとき、登録済のサービスセット識別子（以下、ＳＳＩＤ（Service Set IDentifier）という。）と、ベーシックサービスセット識別子（以下、ＢＳＳＩＤ（Basic Service Set IDentifier）という。）とを用いて、特定の端末とのみアドホック接続を確立し、通信を継続する。
【先行技術文献】
【特許文献】
【０００３】
【特許文献１】特開２００９−２０６８０３号公報
【発明の概要】
【発明が解決しようとする課題】
【０００４】
一般に、無線通信端末装置間で無線通信によって送受信される情報を保護するために、無線通信の開始時に、無線通信端末装置間で接続認証処理及び暗号化処理を行う。ここで、接続認証処理には、例えば、ユーザによる各設定値の入力を伴う接続認証処理及びＷＰＳ（Wi-Fi Protected Setup）などの簡略化された接続認証処理がある。上述したように無線通信端末装置間で通信を行うための通信方式を切替えるとき、送受信される情報を切替え後にも保護するためには、切替える度に接続認証処理及び暗号化処理を行う必要がある。このため、通信の中断が発生し、任意のタイミングで通信を行えない可能性がある。
【０００５】
本開示は、２つの無線通信端末装置間で通信を行うための通信方式を切替えた後も、切替え前と同様に情報の安全性を保持したまま、従来技術に比較して通信方式を迅速に切替えることができる無線通信システム、無線通信システムの制御方法及び無線通信端末装置を提供する。
【課題を解決するための手段】
【０００６】
本開示に係る無線通信システムは、無線接続を確立するための認証情報を用いて認証処理を実行することにより、所定の第１の通信方式又は所定の第２の通信方式で互いに無線接続される第１及び第２の無線通信端末装置を備えた無線通信システムである。ここで、第１の無線通信端末装置は、第１の無線通信端末装置が第１の通信方式で無線接続を確立したときに用いられた認証情報と、第１の無線通信端末装置が第１の通信方式で無線接続を確立したときに第１の無線通信端末装置が属していた第１のネットワークの第１のネットワーク識別情報とを格納する第１の接続情報管理部と、第２の通信方式で無線接続を確立する第１の接続制御部とを備えて構成される。また、第２の無線通信端末装置は、第２の無線通信端末装置が第１の通信方式で無線接続を確立したときに用いられた認証情報と、第２の無線通信端末装置が第１の通信方式で無線接続を確立したときに第２の無線通信端末装置が属していた第２のネットワークの第２のネットワーク識別情報とを格納する第２の接続情報管理部と、第２の通信方式で無線接続を確立する第２の接続制御部とを備えて構成される。第１の接続制御部は、第２の通信方式で無線接続を確立することを要求しかつ第１のネットワーク識別情報を含む要求フレームを、第２の無線通信端末装置に送信し、第２の接続制御部は、要求フレームに応答して、第２のネットワーク識別情報を含む応答フレームを第１の無線通信端末装置に送信する。第１の接続制御部は、応答フレームに応答して、応答フレームに含まれる第２のネットワーク識別情報を第１の接続情報管理部に格納された第１のネットワーク識別情報と比較し、応答フレームに含まれる第２のネットワーク識別情報が第１の接続情報管理部に格納された第１のネットワーク識別情報と一致するとき、第１の接続情報管理部に格納された認証情報を用いて第２の無線通信端末装置との間で認証処理を実行し、第２の無線通信端末装置との間で第２の通信方式で無線接続を確立する。
【発明の効果】
【０００７】
本開示に係る無線通信システム、無線通信システムの制御方法及び無線通信端末装置によれば、２つの無線通信端末装置間で通信を行うための通信方式を切替えた後も、切替え前と同様に情報の安全性を保持したまま、従来技術に比較して通信方式を迅速に切替えることができる。
【図面の簡単な説明】
【０００８】
【図１】本開示の実施の形態１に係る無線通信システムの構成を示すブロック図である。
【図２】図１のアクセスポイント装置１に設定されている認証情報及びアクセスポイント装置１のＢＳＳＩＤを示すテーブルである。
【図３】図１の無線通信端末装置２ａ，２ｂの各構成を示すブロック図である。
【図４Ａ】図１の無線通信システムにおいて、無線通信端末装置２ａと２ｂとの間でデータ通信を行うための通信方式をＷｉ−Ｆｉ方式からＷｉＧｉｇ方式に切替えることを、無線通信端末装置２ａが無線通信端末装置２ｂに対して要求するときに、図３の無線通信端末装置２ａのＷｉＧｉｇ接続制御部９によって実行される通信方式切替要求処理の第１の部分を示すフローチャートである。
【図４Ｂ】図１の無線通信システムにおいて、無線通信端末装置２ａと２ｂとの間でデータ通信を行うための通信方式をＷｉ−Ｆｉ方式からＷｉＧｉｇ方式に切替えることを、無線通信端末装置２ａが無線通信端末装置２ｂに対して要求するときに、図３の無線通信端末装置２ａのＷｉＧｉｇ接続制御部９によって実行される通信方式切替要求処理の第２の部分を示すフローチャートである。
【図５Ａ】図１の無線通信システムにおいて、無線通信端末装置２ａと２ｂとの間でデータ通信を行うための通信方式をＷｉ−Ｆｉ方式からＷｉＧｉｇ方式に切替えることを、無線通信端末装置２ａが無線通信端末装置２ｂに対して要求するときに、図３の無線通信端末装置２ｂのＷｉＧｉｇ接続制御部９によって実行される通信方式切替応答処理の第１の部分を示すフローチャートである。
【図５Ｂ】図１の無線通信システムにおいて、無線通信端末装置２ａと２ｂとの間でデータ通信を行うための通信方式をＷｉ−Ｆｉ方式からＷｉＧｉｇ方式に切替えることを、無線通信端末装置２ａが無線通信端末装置２ｂに対して要求するときに、図３の無線通信端末装置２ｂのＷｉＧｉｇ接続制御部９によって実行される通信方式切替応答処理の第２の部分を示すフローチャートである。
【図６】図４ＡのステップＳ５及びＳ６において送信されるグループオーナーネゴシエーション要求フレーム１００のフォーマットを示すフォーマット図である。
【図７】図６のネットワーク識別情報フィールドＦ１のフォーマットを示すテーブルである。
【図８】図５ＡのステップＳ２６及びＳ２７において送信されるグループオーナーネゴシエーション応答フレーム２００のフォーマットを示すフォーマット図である。
【図９】図８のネットワーク識別情報フィールドＦ２のフォーマットを示すテーブルである。
【図１０】図４ＢのステップＳ９及びＳ１１において送信されるグループオーナーネゴシエーション確認フレーム３００のフォーマットを示すフォーマット図である。
【図１１】図１０の比較結果フィールドＦ３のフォーマットを示すテーブルである。
【図１２】図１の無線通信システムの動作の一例を示すタイミングチャートである。
【図１３Ａ】図１の無線通信システムにおいて、無線通信端末装置２ａと２ｂとの間でデータ通信を行うための通信方式をＷｉ−Ｆｉ方式からＷｉＧｉｇ方式に切替えることを、無線通信端末装置２ａが無線通信端末装置２ｂに対して要求するときに、図３の無線通信端末装置２ａのＷｉＧｉｇ接続制御部９によって実行される本開示の実施の形態２に係る通信方式切替要求処理の第１の部分を示すフローチャートである。
【図１３Ｂ】図１の無線通信システムにおいて、無線通信端末装置２ａと２ｂとの間でデータ通信を行うための通信方式をＷｉ−Ｆｉ方式からＷｉＧｉｇ方式に切替えることを、無線通信端末装置２ａが無線通信端末装置２ｂに対して要求するときに、図３の無線通信端末装置２ａのＷｉＧｉｇ接続制御部９によって実行される本開示の実施の形態２に係る通信方式切替要求処理の第２の部分を示すフローチャートである。
【図１４Ａ】図１の無線通信システムにおいて、無線通信端末装置２ａと２ｂとの間でデータ通信を行うための通信方式をＷｉ−Ｆｉ方式からＷｉＧｉｇ方式に切替えることを、無線通信端末装置２ａが無線通信端末装置２ｂに対して要求するときに、図３の無線通信端末装置２ｂのＷｉＧｉｇ接続制御部９によって実行される本開示の実施の形態２に係る通信方式切替応答処理の第１の部分を示すフローチャートである。
【図１４Ｂ】図１の無線通信システムにおいて、無線通信端末装置２ａと２ｂとの間でデータ通信を行うための通信方式をＷｉ−Ｆｉ方式からＷｉＧｉｇ方式に切替えることを、無線通信端末装置２ａが無線通信端末装置２ｂに対して要求するときに、図３の無線通信端末装置２ｂのＷｉＧｉｇ接続制御部９によって実行される本開示の実施の形態２に係る通信方式切替応答処理の第２の部分を示すフローチャートである。
【図１５】図１３ＡのステップＳ４２及びＳ４３において送信されるプローブ要求フレーム４００のフォーマットを示すフォーマット図である。
【図１６】図１５のネットワーク識別情報フィールドＦ４のフォーマットを示すテーブルである。
【図１７】図１４ＡのステップＳ５４及びＳ５５において送信されるプローブ応答フレーム５００のフォーマットを示すフォーマット図である。
【図１８】図１７のネットワーク識別情報フィールドＦ５のフォーマットを示すテーブルである。
【図１９】図１の無線通信システムの実施の形態２に係る動作の一例を示すタイミングチャートである。
【図２０】本開示の実施の形態３に係る無線通信システムの構成を示すブロック図である。
【図２１】図２０の無線通信端末装置５２ａ，５２ｂの各構成を示すブロック図である。
【図２２】図２１の無線通信端末装置５２ａのＷｉ−Ｆｉ接続リスト情報管理部１４Ａに格納される認証情報識別子、認証情報及びＢＳＳＩＤと、図２１の無線通信端末装置５２ａのマジック値計算部６２よって計算されるマジック値とのリストの一例を示すテーブルである。
【図２３】図２１の無線通信端末装置５２ｂのＷｉ−Ｆｉ接続リスト情報管理部１４Ａに格納される認証情報識別子、認証情報及びＢＳＳＩＤと、図２１の無線通信端末装置５２ｂのマジック値計算部６２よって計算されるマジック値とのリストの一例を示すテーブルである。
【図２４】図２１のＷｉ−Ｆｉ接続リスト情報管理部１４Ａへの認証情報の格納方法を示すフォーマット図である。
【図２５Ａ】図２０の無線通信システムにおいて、無線通信端末装置５２ａと５２ｂとの間でデータ通信を行うための通信方式をＷｉ−Ｆｉ方式からＷｉＧｉｇ方式に切替えることを、無線通信端末装置５２ａが無線通信端末装置５２ｂに対して要求するときに、図２１の無線通信端末装置５２ａのＷｉＧｉｇ接続制御部５９によって実行される通信方式切替要求処理の第１の部分を示すフローチャートである。
【図２５Ｂ】図２０の無線通信システムにおいて、無線通信端末装置５２ａと５２ｂとの間でデータ通信を行うための通信方式をＷｉ−Ｆｉ方式からＷｉＧｉｇ方式に切替えることを、無線通信端末装置５２ａが無線通信端末装置５２ｂに対して要求するときに、図２１の無線通信端末装置５２ａのＷｉＧｉｇ接続制御部５９によって実行される通信方式切替要求処理の第２の部分を示すフローチャートである。
【図２６Ａ】図２０の無線通信システムにおいて、無線通信端末装置５２ａと５２ｂとの間でデータ通信を行うための通信方式をＷｉ−Ｆｉ方式からＷｉＧｉｇ方式に切替えることを、無線通信端末装置５２ａが無線通信端末装置５２ｂに対して要求するときに、図２１の無線通信端末装置５２ｂのＷｉＧｉｇ接続制御部５９によって実行される通信方式応答要求処理の第１の部分を示すフローチャートである。
【図２６Ｂ】図２０の無線通信システムにおいて、無線通信端末装置５２ａと５２ｂとの間でデータ通信を行うための通信方式をＷｉ−Ｆｉ方式からＷｉＧｉｇ方式に切替えることを、無線通信端末装置５２ａが無線通信端末装置５２ｂに対して要求するときに、図２１の無線通信端末装置５２ｂのＷｉＧｉｇ接続制御部５９によって実行される通信方式応答要求処理の第２の部分を示すフローチャートである。
【図２７】図２５ＡのステップＳ６２において送信されるグループオーナーネゴシエーション要求フレーム１００Ａのフォーマットを示すフォーマット図である。
【図２８】図２７のネットワーク識別情報フィールドＦ６のフォーマットを示すテーブルである。
【図２９】図２６ＡのステップＳ７３において送信されるグループオーナーネゴシエーション応答フレーム２００Ａのフォーマットを示すフォーマット図である。
【図３０】図２９のネットワーク識別情報フィールドＦ７のフォーマットを示すテーブルである。
【図３１】図２５ＢのステップＳ６６及びＳ６８において送信されるグループオーナーネゴシエーション確認フレーム３００Ａのフォーマットを示すフォーマット図である。
【図３２】図３１の比較結果フィールドＦ８のフォーマットを示すテーブルである。
【図３３】図２０の無線通信システムの動作の一例を示すタイミングチャートである。
【図３４Ａ】図２０の無線通信システムにおいて、無線通信端末装置５２ａと５２ｂとの間で通信を行うための通信方式をＷｉ−Ｆｉ方式からＷｉＧｉｇ方式に切替えることを、無線通信端末装置５２ａが無線通信端末装置５２ｂに対して要求するときに、図２１の無線通信端末装置５２ａのＷｉＧｉｇ接続制御部５９によって実行される本開示の実施の形態４に係る通信方式切替要求処理の第１の部分を示すフローチャートである。
【図３４Ｂ】図２０の無線通信システムにおいて、無線通信端末装置５２ａと５２ｂとの間で通信を行うための通信方式をＷｉ−Ｆｉ方式からＷｉＧｉｇ方式に切替えることを、無線通信端末装置５２ａが無線通信端末装置５２ｂに対して要求するときに、図２１の無線通信端末装置５２ａのＷｉＧｉｇ接続制御部５９によって実行される本開示の実施の形態４に係る通信方式切替要求処理の第２の部分を示すフローチャートである。
【図３５Ａ】図２０の無線通信システムにおいて、無線通信端末装置５２ａと５２ｂとの間で通信を行うための通信方式をＷｉ−Ｆｉ方式からＷｉＧｉｇ方式に切替えることを、無線通信端末装置５２ａが無線通信端末装置５２ｂに対して要求するときに、図２１の無線通信端末装置５２ｂのＷｉＧｉｇ接続制御部５９によって実行される本開示の実施の形態４に係る通信方式切替応答処理の第１の部分を示すフローチャートである。
【図３５Ｂ】図２０の無線通信システムにおいて、無線通信端末装置５２ａと５２ｂとの間で通信を行うための通信方式をＷｉ−Ｆｉ方式からＷｉＧｉｇ方式に切替えることを、無線通信端末装置５２ａが無線通信端末装置５２ｂに対して要求するときに、図２１の無線通信端末装置５２ｂのＷｉＧｉｇ接続制御部５９によって実行される本開示の実施の形態４に係る通信方式切替応答処理の第２の部分を示すフローチャートである。
【図３６】図３４ＡのステップＳ８２において送信されるプローブ要求フレーム４００Ａのフォーマットを示すフォーマット図である。
【図３７】図３６のネットワーク識別情報フィールドＦ９のフォーマットを示すテーブルである。
【図３８】図３５ＡのステップＳ９３において送信されるプローブ応答フレーム５００Ａのフォーマットを示すテーブルである。
【図３９】図３８のネットワーク識別情報フィールドＦ１０のフォーマットを示すテーブルである。
【図４０】図２０の無線通信システムの実施の形態４に係る動作の一例を示すタイミングチャートである。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者らは、当業者が本開示を十分に理解するために添付図面及び以下の説明を提供するのであって、これらによって特許請求の範囲に記載の主題を限定することを意図するものではない。
【００１１】
（実施の形態１）
＜無線通信システムの構成＞
図１は、本開示の実施の形態１に係る無線通信システムの構成を示すブロック図である。図１において、本開示に係る無線通信システムは、無線通信端末装置２ａ及び２ｂを備えて構成される。ここで、無線通信端末装置２ａ及び２ｂはそれぞれ、イーサネット（登録商標）などのバックボーンネットワークに接続されたアクセスポイント装置１と、無線ＬＡＮ規格であるＩＥＥＥ８０２．１１に準拠した無線通信を行う。また、本実施の形態において、無線通信端末装置２ａと２ｂとは、以下のＷｉ−Ｆｉ方式及びＷｉＧｉｇ方式のうちのいずれかの通信方式を用いて無線接続され、データ通信を行う。
【００１２】
（ａ）Ｗｉ−Ｆｉ方式
Ｗｉ−Ｆｉ方式は、例えば２．４ＧＨｚ帯の３６チャネルであるマイクロ波周波数帯（以下、ＯＢａｎｄ（Omni directional Band）という。）を用いる無線通信方式である。本開示では、例えば、Ｗｉ−Ｆｉアライアンス（Wi-Fi Alliance）によって標準化されたＩＥＥＥ８０２．１１ｎに準拠した無線通信方式を、Ｗｉ−Ｆｉ方式の無線通信方式として用いる。無線通信端末装置２ａと２ｂとがＷｉ−Ｆｉ方式でデータ通信を行うとき、無線通信端末装置２ａ及び２ｂは、始めに、それぞれ所定の認証情報取得処理を実行して、アクセスポイント装置１にあらかじめ設定されている認証情報及びアクセスポイント装置１が提供する無線ネットワークの識別情報であるＢＳＳＩＤを取得する。ＢＳＳＩＤは、具体的にはアクセスポイント装置１のＭＡＣアドレスである。
【００１３】
図２は、図１のアクセスポイント装置１に設定されている認証情報及びアクセスポイント装置１のＢＳＳＩＤを示すテーブルである。図２に示すように、認証情報は、アクセスポイント装置１の識別子であるＳＳＩＤと、データを暗号化するための暗号方式と、暗号鍵を配送する鍵配送処理（鍵交換処理ともいう。）で配送される暗号鍵情報とを含む。図２の例では、ＳＳＩＤはＷＩＦＩであり、暗号方式はＡＥＳ（Advanced Encryption Standard）であり、認証方式はＷＰＡ２−ＰＳＫ（Wi-Fi Protected Access 2 Pre-Shared Key）であり、鍵情報は１２３４５６７８であり、ＢＳＳＩＤは００：１１：２２：３３：４４：５５である。アクセスポイント装置１と無線通信端末装置２ａとは、認証情報取得処理に続いて、図２の認証情報を用いて、アクセスポイント装置１が無線通信端末装置２ａを認証するための例えばＩＥＥＥ８０２．１１ｉに準拠した認証処理と、アクセスポイント装置１と無線通信端末装置２ａとの間で暗号鍵を共有するための例えばＩＥＥＥ８０２．１１ｉに準拠した鍵配送処理とを実行して、無線接続を確立する。また、アクセスポイント装置１と無線通信端末装置２ｂとは、認証情報取得処理に続いて、図２の認証情報を用いて、アクセスポイント装置１が無線通信端末装置２ｂを認証するための例えばＩＥＥＥ８０２．１１ｉに準拠した認証処理と、アクセスポイント装置１と無線通信端末装置２ｂとの間で暗号鍵を共有するための例えばＩＥＥＥ８０２．１１ｉに準拠した鍵配送処理とを実行して、無線接続を確立する。これにより、無線通信端末装置２ａと２ｂとは、アクセスポイント装置１を介してＷｉ−Ｆｉ方式で互いに無線接続される。以下、図２の認証情報とＢＳＳＩＤとを併せて接続情報という。
【００１４】
無線通信端末装置２ａは、アクセスポイント装置１に無線接続されているとき、アクセスポイント装置１を介してインターネットに接続する。また、無線通信端末装置２ａは、無線通信端末装置２ｂにデータを送信するために、当該データを、無線通信端末装置２ｂではなく、アクセスポイント装置１に送信する。無線通信端末装置２ａからのデータはアクセスポイント装置１によって中継され、無線通信端末装置２ｂに無線送信される。このため、無線通信端末装置２ａから無線通信端末装置２ｂに対してＷｉ−Ｆｉ方式でデータを送信する場合には、無線通信端末装置２ａから無線通信端末装置２ｂに直接データを送信する場合と比較して、２倍の帯域が必要になる。また、無線通信端末装置２ａ及び２ｂが共通のアクセスポイント装置１の配下にあり、同一の無線ネットワークに含まれているとき、無線通信端末装置２ａ及び２ｂは、同一の認証情報を用いてアクセスポイント装置１に接続されている。
【００１５】
（ｂ）ＷｉＧｉｇ方式
ＷｉＧｉｇ方式は、ミリ波帯（以下、ＤＢａｎｄ（Directional Band）という。）を用いる無線通信方式である。本開示では、例えば、ワイヤレスギガビットアライアンス（Wireless Gigabit Alliance）によって標準化されたＩＥＥＥ８０２．１１ａｄに準拠した無線通信方式を、ＷｉＧｉｇ方式の無線通信方式として用いる。無線通信端末装置２ａと２ｂとがＷｉＧｉｇ方式でデータ通信を行うとき、無線通信端末装置２ａ及び２ｂは、図２の認証情報と同様の構成を有する認証情報を用いて、認証処理及び鍵配送処理を実行して、無線接続を確立する。なお、認証情報の取得方法については、後述する。また、本実施の形態において、ＷｉＧｉｇ方式の無線通信では、無線通信端末装置２ａはＷＰＳにおけるクライアント装置として動作し、無線通信端末装置２ｂは、アクセスポイント装置に対応するグループオーナー装置及びＷＰＳにおけるレジストラ装置として動作する。ＷｉＧｉｇ方式の無線通信では、無線通信端末装置２ａは無線通信端末装置２ｂに対してデータを直接送信し、無線通信端末装置２ｂは無線通信端末装置２ａに対してデータを直接送信する。このとき、無線通信端末装置２ａと２ｂとのデータ通信においてアクセスポイント装置１は介在しない。
【００１６】
ＤＢａｎｄを用いるＷｉＧｉｇ方式では、ＯＢａｎｄを用いるＷｉ−Ｆｉ方式より高速でデータ通信を行える。このため、ユーザは、インターネット通信などの通常のデータ通信を行うときはＷｉ−Ｆｉ方式を利用し、より高速なデータ通信を行うときはＷｉＧｉｇ方式を利用するという使い分けを行うことができる。
【００１７】
＜無線通信端末装置２ａ及び２ｂの構成＞
図３は、図１の無線通信端末装置２ａ，２ｂの各構成を示すブロック図である。なお、無線通信端末装置２ａと２ｂとは、図３に示すように同一の機能及び構成を有する。従って、図３を参照して無線通信端末装置２ａの機能及び構成のみを説明する。図３において、無線通信端末装置２ａは、Ｗｉ−Ｆｉ通信インタフェース３と、ＷｉＧｉｇ通信インタフェース４と、接続制御部５と、接続情報設定部６と、Ｗｉ−Ｆｉプロトコル処理部８を備えたＷｉ−Ｆｉ接続制御部７と、ＷｉＧｉｇ接続制御部９と、Ｗｉ−Ｆｉ接続情報管理部１４とを備えて構成される。さらに、ＷｉＧｉｇ接続制御部９は、ＷｉＧｉｇプロトコル処理部１０と、Ｗｉ−Ｆｉ情報付加部１１と、Ｗｉ−Ｆｉ接続判断部１２と、ＢＳＳＩＤ判断部１３とを備えて構成される。
【００１８】
Ｗｉ−Ｆｉ接続制御部７、Ｗｉ−Ｆｉプロトコル処理部８、ＷｉＧｉｇ接続制御部９、ＷｉＧｉｇプロトコル処理部１０、Ｗｉ−Ｆｉ情報付加部１１、Ｗｉ−Ｆｉ接続判断部１２及びＢＳＳＩＤ判断部１３の各機能は、当該各機能に対応するアプリケーションソフトウェアのプログラムをＣＰＵ（Central Processing Unit）又はＤＳＰ（Digital Signal Processor）が実行することにより、又は当該各機能に対応する演算を実行するＦＰＧＡ（Field-Programmable Gate Array）などのハードウェアロジック回路を設けることにより実現される。また、接続情報設定部６及びＷｉ−Ｆｉ接続情報管理部１４は、情報を記録及び保持するためメモリ又はハードディスクなどのハードウェア装置により実現される。なお、無線通信端末装置２ａ及び２ｂの各部５〜１４のうちの任意の構成要素をハードウェアで実現してよい。
【００１９】
Ｗｉ−Ｆｉ通信インタフェース３は、接続制御部５の制御の下でＷｉ−Ｆｉ方式で無線通信を物理的に行うための無線通信回路であって、アンテナ３ａと、アンテナ３ａに接続される高周波回路とを備えて構成される。Ｗｉ−Ｆｉ通信インタフェース３は、Ｗｉ−Ｆｉ方式で送信された通信フレームを、アンテナ３ａを用いて受信し、受信された通信フレームに対して所定のインタフェース処理を行い、接続制御部５を介してＷｉ−Ｆｉプロトコル処理部８に出力する。また、Ｗｉ−Ｆｉ通信インタフェース３は、Ｗｉ−Ｆｉプロトコル処理部８からの通信フレームに対して所定のインタフェース処理を行い、アンテナ３ａを用いて送信する。
【００２０】
ＷｉＧｉｇ通信インタフェース４は、接続制御部５の制御の下でＷｉＧｉｇ方式で無線通信を物理的に行うための無線通信回路であって、アンテナ４ａと、アンテナ４ａに接続される高周波回路とを備えて構成される。ＷｉＧｉｇ通信インタフェース４は、ＷｉＧｉｇ方式で送信された通信フレームを、アンテナ４ａを用いて受信し、受信された通信フレームに対して所定のインタフェース処理を行い、接続制御部５を介してＷｉＧｉｇプロトコル処理部１０に出力する。また、ＷｉＧｉｇ通信インタフェース４は、ＷｉＧｉｇプロトコル処理部１０からの通信フレームに対して所定のインタフェース処理を行い、アンテナ４ａを用いて送信する。
【００２１】
Ｗｉ−Ｆｉ接続制御部７は、Ｗｉ−Ｆｉ方式での無線接続を確立するための認証情報及びＢＳＳＩＤをアクセスポイント装置１からＷｉ−Ｆｉ通信インタフェース３及び接続制御部５を介して受信し、Ｗｉ−Ｆｉ接続情報管理部１４及び接続情報設定部６に格納する。このとき、Ｗｉ−Ｆｉ接続制御部７は、Ｗｉ−Ｆｉ接続情報管理部１４にすでに認証情報及びＢＳＳＩＤが格納されているときは、格納されている認証情報及びＢＳＳＩＤを、始めに消去する。さらに、Ｗｉ−Ｆｉ接続制御部７は、Ｗｉ−Ｆｉ通信インタフェース３により、接続情報設定部６に格納された接続情報（認証情報及びＢＳＳＩＤ）を用いて無線通信を行うように、接続制御部５を制御する。また、Ｗｉ−Ｆｉプロトコル処理部８は、Ｗｉ−Ｆｉ方式に準拠した通信プロトコルに従って、送信する通信フレームを生成し、接続制御部５を介してＷｉ−Ｆｉ通信インタフェース３に出力する。さらに、Ｗｉ−Ｆｉプロトコル処理部８は、Ｗｉ−Ｆｉ通信インタフェース３から接続制御部５を介して入力される通信フレームに対して、Ｗｉ−Ｆｉ方式に準拠した通信プロトコルに準拠したフレーム解析処理などの所定の処理を実行する。
【００２２】
Ｗｉ−Ｆｉ接続情報管理部１４は、Ｗｉ−Ｆｉ方式での無線接続を確立するための認証情報及びＢＳＳＩＤをＷｉ−Ｆｉ接続制御部７から受信して格納する。また、接続情報設定部６は、接続制御部５において用いられる接続情報（認証情報及びＢＳＳＩＤ）を、Ｗｉ−Ｆｉ接続制御部７又はＷｉＧｉｇ接続制御部９から受信して保持し、接続制御部５からの要求に従って、保持している接続情報を接続制御部５へ出力する。
【００２３】
ＷｉＧｉｇ接続制御部９は、ＷｉＧｉｇ方式での無線接続を確立するための認証情報及びＢＳＳＩＤを、接続情報設定部６に出力する。さらに、ＷｉＧｉｇ接続制御部９は、ＷｉＧｉｇ通信インタフェース４により、接続情報設定部６に格納された接続情報（認証情報及びＢＳＳＩＤ）を用いて無線通信を行うように、接続制御部５を制御する。また、ＷｉＧｉｇプロトコル処理部１０は、ＷｉＧｉｇ方式に準拠した通信プロトコルに従って、送信する通信フレームを生成し、接続制御部５を介してＷｉＧｉｇ通信インタフェース４に出力する。さらに、ＷｉＧｉｇプロトコル処理部１０は、ＷｉＧｉｇ通信インタフェース４から接続制御部５を介して入力される通信フレームに対して、ＷｉＧｉｇ方式に準拠した通信プロトコルに準拠したフレーム解析処理などの所定の処理を実行する。
【００２４】
Ｗｉ−Ｆｉ情報付加部１１は、詳細後述するグループオーナーネゴシエーション要求（GO (Group Owner) Negotiation Request）フレーム１００のネットワーク識別情報フィールドＦ１に、Ｗｉ−Ｆｉ接続情報管理部１４に格納されているアクセスポイント装置１のＢＳＳＩＤをセットして、ＷｉＧｉｇ通信インタフェース４を用いて無線送信する。また、Ｗｉ−Ｆｉ接続判断部１２は、ＷｉＧｉｇ方式の無線接続を確立する前に、無線通信端末装置２ａが、Ｗｉ−Ｆｉ方式の無線通信をすでに確立しているか否かを判断する。さらに、ＢＳＳＩＤ判断部１３は、詳細後述するグループオーナーネゴシエーション応答（GO (Group Owner) Negotiation Response）フレーム２００のネットワーク識別情報フィールドＦ２にセットされているＢＳＳＩＤが、Ｗｉ−Ｆｉ接続情報管理部１４に格納されているＢＳＳＩＤと一致するか否かを判断する。
【００２５】
＜データ通信のための通信方式をＷｉ−Ｆｉ方式からＷｉＧｉｇ方式に切替えるための処理＞
図１の無線通信システムにおいて、無線通信端末装置２ａと２ｂとの間でデータ通信を行うための通信方式をＷｉ−Ｆｉ方式からＷｉＧｉｇ方式に切替えることを、無線通信端末装置２ａが無線通信端末装置２ｂに対して要求するときに、図３の無線通信端末装置２ａのＷｉＧｉｇ接続制御部９によって実行される通信方式切替要求処理を図４Ａ及び図４Ｂを参照して説明し、図３の無線通信端末装置２ｂのＷｉＧｉｇ接続制御部９によって実行される通信方式切替応答処理を図５Ａ及び図５Ｂを参照して説明する。なお、図４Ａ及び図４Ｂの通信方式切替要求処理と、図５Ａ及び図５Ｂの通信方式切替応答処理とは、Ｗｉ−Ｆｉアライアンスによって策定されたＷｉ−Ｆｉダイレクト（Wi-Fi Direct）に準拠した通信プロトコルを用いて実行される。
【００２６】
図４Ａ及び図４Ｂは、図３の無線通信端末装置２ａのＷｉＧｉｇ接続制御部９によって実行される通信方式切替要求処理を示すフローチャートである。始めに、図４ＡのステップＳ１において、ＷｉＧｉｇ接続制御部９は、無線通信端末装置２ｂとの間でデータ通信を行うための通信方式をＷｉＧｉｇ方式に切替えることを指示する切替指示信号を受信したか否かを判断する。具体的には、ＷｉＧｉｇ接続制御部９は、無線通信端末装置２ａの内部で実行するアプリケーションソフトウェアからの切替指示信号又は無線通信端末装置２ａのユーザの所定の操作によって入力される切替指示信号を受信したか否かを判断する。ステップＳ１においてＹＥＳのときはステップＳ２に進む一方、ＮＯのときはステップＳ１の処理を繰り返して実行する。
【００２７】
ステップＳ２において、ＷｉＧｉｇプロトコル処理部１０は、ＷｉＧｉｇ方式での無線通信を行うことができる無線通信端末装置を探索するためのプローブ要求フレームを、接続制御部５と、ＷｉＧｉｇ通信インタフェース４とを介して送信する。ここで、プローブ要求フレームは、無線通信端末装置２ａが他の無線通信端末装置と直接通信することが可能であることを示す情報要素であるピアツーピア情報要素（Peer-to-Peer（Ｐ２Ｐ） Information Elements）を含む。なお、Ｗｉ−Ｆｉダイレクトでは、ピアツーピア情報要素を含むプローブ要求フレームを受信した無線通信端末装置は、他の無線通信端末装置と直接通信することが可能である場合は、ピアツーピア情報要素を含むプローブ応答フレームを送信する。
【００２８】
次に、ステップＳ３において、ＷｉＧｉｇプロトコル処理部１０は、所定の期間内に、ＷｉＧｉｇ通信インタフェース４と接続制御部５とを介して、ピアツーピア情報要素を含むプローブ応答フレームを受信したか否かを判断する。ステップＳ３においてＹＥＳのときはステップＳ４に進む一方、ＮＯのときは通信方式切替要求処理を終了する。なお、本実施の形態では、無線通信端末装置２ａが無線通信端末装置２ｂからピアツーピア情報要素を含むプローブ応答フレームを受信したときに、ステップＳ３においてＹＥＳと判断される。ステップＳ４において、Ｗｉ−Ｆｉ接続判断部１２は、Ｗｉ−Ｆｉ方式で他の無線通信端末装置と無線接続を確立するための認証情報及びＢＳＳＩＤがＷｉ−Ｆｉ接続情報管理部１４に格納されているか否かを判断することにより、無線通信端末装置２ａがＷｉ−Ｆｉ方式で無線接続を確立しているか否かを判断する。そして、ステップＳ４においてＹＥＳのときはステップＳ５に進む一方、ＮＯのときはステップＳ６に進む。
【００２９】
ステップＳ５において、Ｗｉ−Ｆｉ情報付加部１１は、Ｗｉ−Ｆｉ接続情報管理部１４に格納されているＢＳＳＩＤを含むグループオーナーネゴシエーション要求フレーム１００を、接続情報制御部５とＷｉＧｉｇ通信インタフェース４とを介して無線通信端末装置２ｂに送信する。具体的には、Ｗｉ−Ｆｉ情報付加部１１は、ＷｉＧｉｇプロトコル処理部１０によって生成されたグループオーナーネゴシエーション要求フレーム１００のネットワーク識別情報フィールドＦ１に、Ｗｉ−Ｆｉ接続情報管理部１４に格納されているＢＳＳＩＤをセットする。なお、本実施の形態では、無線通信端末装置２ａはアクセスポイント装置１に無線接続されているので、無線通信端末装置２ａのＷｉ−Ｆｉ接続情報管理部１４に格納されているＢＳＳＩＤは、アクセスポイント装置１のＢＳＳＩＤである。また、グループオーナーネゴシエーション要求フレーム１００のフォーマットは詳細後述する。
【００３０】
一方、ステップＳ６において、Ｗｉ−Ｆｉ情報付加部１１は、ＢＳＳＩＤとして０を含むグループオーナーネゴシエーション要求フレーム１００を、接続情報制御部５とＷｉＧｉｇ通信インタフェース４とを介して無線通信端末装置２ｂに送信する。
【００３１】
詳細後述するように、無線通信端末装置２ｂは、グループオーナーネゴシエーション要求フレーム１００に応答して、グループオーナーネゴシエーション応答フレーム２００を無線通信端末装置２ａに送信する。ここで、無線通信端末装置２ｂがＷｉ−Ｆｉ方式で無線接続を確立しているときは、グループオーナーネゴシエーション応答フレーム２００は、無線通信端末装置２ｂのＷｉ−Ｆｉ接続情報管理部１４に格納されているＢＳＳＩＤを含む。一方、無線通信端末装置２ｂがＷｉ−Ｆｉ方式で無線接続を確立していないときは、グループオーナーネゴシエーション応答フレーム２００は、ＢＳＳＩＤとして０を含む。
【００３２】
ステップＳ５及びＳ６に続いて、ステップＳ７において、ＢＳＳＩＤ判断部１３は、無線通信端末装置２ｂから、ＷｉＧｉｇ通信インタフェース４と、接続制御部５とを介して、グループオーナーネゴシエーション応答フレーム２００を受信する。次に、図４ＢのステップＳ８において、ＢＳＳＩＤ判断部１３は、グループオーナーネゴシエーション応答フレーム２００に含まれているＢＳＳＩＤが、０ではなく、かつＷｉ−Ｆｉ接続情報管理部１４に格納されているＢＳＳＩＤと一致するか否かを判断する。そして、ステップＳ８においてＹＥＳのときはステップＳ９に進む一方、ＮＯのときはステップＳ１１に進む。なお、ステップＳ８において判断処理が実行できないときもステップＳ１１に進む。
【００３３】
ステップＳ９において、ＷｉＧｉｇプロトコル処理部１０は、詳細後述するグループオーナーネゴシエーション確認（GO (Group Owner) Negotiation Confirmation）フレーム３００の比較結果フィールドＦ３に、ステップＳ８において２つのＢＳＳＩＤが一致したことを示す値である０をセットして、グループオーナーネゴシエーション確認フレーム３００を、接続制御部５とＷｉＧｉｇ通信インタフェース４とを介して無線通信端末装置２ｂに送信する。なお、グループオーナーネゴシエーション確認フレーム３００のフォーマットは詳細後述する。
【００３４】
ステップＳ９に続いてステップＳ１０において、ＷｉＧｉｇプロトコル処理部１０は、Ｗｉ−Ｆｉ接続情報管理部１４に格納されている認証情報を用いて、無線通信端末装置２ｂとの間で認証処理及び鍵配送処理を実行し、通信方式切替要求処理を終了する。
【００３５】
一方、ステップＳ１１において、ＷｉＧｉｇプロトコル処理部１０は、グループオーナーネゴシエーション確認フレーム３００の比較結果フィールドＦ３に、ステップＳ８において２つのＢＳＳＩＤが一致しなかったことを示す値である１をセットして、グループオーナーネゴシエーション確認フレーム３００を、接続制御部５とＷｉＧｉｇ通信インタフェース４とを介して無線通信端末装置２ｂに送信する。
【００３６】
ステップＳ１１に続いて、ステップＳ１２において、ＷｉＧｉｇプロトコル処理部１０は、無線通信端末装置２ｂとの間で、ＷＰＳに準拠した認証情報取得情報処理を実行する。このとき、無線通信端末装置２ａのＷｉＧｉｇ接続制御部９は、ＷＰＳにおけるレジストラ装置として動作する無線通信端末装置２ｂから、例えば図２に示す認証情報を取得する。次に、認証情報取得処理が正常に終了すると、ステップＳ１３において、ＷｉＧｉｇプロトコル処理部１０は、認証情報取得処理によって取得された認証情報を用いて、無線通信端末装置２ｂとの間で認証処理及び鍵配送処理を実行し、通信方式切替要求処理を終了する。
【００３７】
図５Ａ及び図５Ｂは、図３の無線通信端末装置２ｂのＷｉＧｉｇ接続制御部９によって実行される通信方式切替応答処理を示すフローチャートである。始めに、図５ＡのステップＳ２１において、ＷｉＧｉｇ接続制御部９は、無線通信端末装置２ｂとの間でデータ通信を行うための通信方式をＷｉＧｉｇ方式に切替えることを指示する切替指示信号を受信したか否かを判断する。ステップＳ２１における処理は、図４ＡのステップＳ１における処理と同様である。ステップＳ２１においてＹＥＳのときはステップＳ２２に進む一方、ＮＯのときはステップＳ２１の処理を繰り返して実行する。
【００３８】
ステップＳ２２において、ＷｉＧｉｇプロトコル処理部１０は、ピアツーピア情報要素を含むプローブ要求フレームを、ＷｉＧｉｇ通信インタフェース４及び接続制御部５を介して受信したか否かを判断し、ＹＥＳのときはステップＳ２３に進む一方、ＮＯのときはステップＳ２２の処理を繰り返して実行する。ステップＳ２３において、ＷｉＧｉｇプロトコル処理部１０は、他の無線通信端末装置と直接通信することが可能であることを示すピアツーピア情報要素を含むプローブ応答フレームを、接続制御部５とＷｉＧｉｇ通信インタフェース４とを介して送信する。次に、ステップＳ２４において、ＷｉＧｉｇプロトコル処理部１０は、グループオーナーネゴシエーション要求フレーム１００を、無線通信端末装置２ａから受信する。
【００３９】
ステップＳ２４に続いて、ステップＳ２５において、Ｗｉ−Ｆｉ接続判断部１２は、Ｗｉ−Ｆｉ方式で他の無線通信端末装置と無線接続を確立するための認証情報及びＢＳＳＩＤがＷｉ−Ｆｉ接続情報管理部１４に格納されているか否かを判断することにより、無線通信端末装置２ｂがＷｉ−Ｆｉ方式で無線接続を確立しているか否かを判断する。そして、ステップＳ５４においてＹＥＳのときはステップＳ２６に進む一方、ＮＯのときはステップＳ２７に進む。なお、ステップＳ２５における処理は、図４ＡのステップＳ４における処理と同様である。
【００４０】
ステップＳ２６において、Ｗｉ−Ｆｉ情報付加部１１が、Ｗｉ−Ｆｉ接続情報管理部１４に格納されているＢＳＳＩＤを含むグループオーナーネゴシエーション応答フレーム２００を、接続情報制御部５とＷｉＧｉｇ通信インタフェース４とを介して無線通信端末装置２ａに送信する。具体的には、Ｗｉ−Ｆｉ情報付加部１１は、ＷｉＧｉｇプロトコル処理部１０によって生成されたグループオーナーネゴシエーション応答フレーム２００のネットワーク識別情報フィールドＦ２にＷｉ−Ｆｉ接続情報管理部１４に格納されているＢＳＳＩＤをセットする。なお、本実施の形態では、無線通信端末装置２ｂはアクセスポイント装置１に無線接続されているので、無線通信端末装置２ｂのＷｉ−Ｆｉ接続情報管理部１４に格納されているＢＳＳＩＤは、アクセスポイント装置１のＢＳＳＩＤである。
【００４１】
一方、ステップＳ２７において、Ｗｉ−Ｆｉ情報付加部１１は、ＢＳＳＩＤとして０を含むグループオーナーネゴシエーション応答フレーム２００を、接続情報制御部５とＷｉＧｉｇ通信インタフェース４とを介して無線通信端末装置２ａに送信する。
【００４２】
ステップＳ２６及びＳ２７に続いて、ステップＳ２８において、ＷｉＧｉｇプロトコル処理部１０は、グループオーナーネゴシエーション確認フレーム３００を、無線通信端末装置２ａから、ＷｉＧｉｇ通信インタフェース４及び接続制御部５を介して受信する。次に、ステップＳ２９において、ＷｉＧｉｇプロトコル処理部１０は、グループオーナーネゴシエーション確認フレーム３００の比較結果フィールドＦ３に０がセットされているか否かを判断し、ＹＥＳのときはステップＳ３０に進む一方、ＮＯのときはステップＳ３２に進む。ステップＳ３０において、ＢＳＳＩＤ判断部１３は、グループオーナーネゴシエーション要求フレーム１００に含まれているＢＳＳＩＤが、０ではなく、かつＷｉ−Ｆｉ接続情報管理部１４に格納されているＢＳＳＩＤと一致するか否かを判断する。そして、ステップＳ３０においてＹＥＳのときはステップＳ３１に進む一方、ＮＯのときはステップＳ３２に進む。
【００４３】
ステップＳ３１において、ＷｉＧｉｇプロトコル処理部１０は、Ｗｉ−Ｆｉ接続情報管理部１４に格納されている認証情報を用いて、無線通信端末装置２ａとの間で認証処理及び鍵配送処理を実行し、通信方式切替応答処理を終了する。具体的には、ＷｉＧｉｇプロトコル処理部１０は、Ｗｉ−Ｆｉ接続情報管理部１４に格納されている認証情報を接続情報設定部６に出力した後に、接続情報設定部６に出力された認証情報を用いて、接続制御部５及びＷｉＧｉｇ通信インタフェース４により認証処理及び鍵配送処理を実行する。このとき、ＷｉＧｉｇ接続制御部９は、無線通信端末装置２ｂをグループオーナー装置として動作させ、無線通信端末装置２ａからの接続要求を受け入れる。
【００４４】
一方、ステップＳ３２において、ＷｉＧｉｇプロトコル処理部１０は、無線通信端末装置２ａとの間で、ＷＰＳに準拠した認証情報取得処理を実行する。これにより、ＷｉＧｉｇ接続制御部９は、ＷＰＳにおけるクライアント装置として動作する無線通信端末装置２ａに、無線通信端末装置２ｂに予め設定されている認証情報を送信する。次に、ステップＳ３３において、ＷｉＧｉｇプロトコル処理部１０は、無線通信端末装置２ｂに予め設定されている認証情報を用いて、無線通信端末装置２ａとの間で認証処理及び鍵配送処理を実行し、通信方式切替応答処理を終了する。
【００４５】
＜グループオーナーネゴシエーション要求フレーム１００のフォーマット＞
図６は、図４ＡのステップＳ５及びＳ６において送信されるグループオーナーネゴシエーション要求フレーム１００のフォーマットを示すフォーマット図である。グループオーナーネゴシエーション要求フレーム１００は、Ｗｉ−Ｆｉダイレクトに準拠したグループオーナーネゴシエーション要求フレームのフレームボディフィールドの末尾にネットワーク識別情報フィールドＦ１を追加した構成を有する。
【００４６】
図６において、グループオーナーネゴシエーション要求フレーム１００は、フレームコントロール（Frame Control）フィールドと、期間（Duration）フィールドと、Ａ１フィールドと、Ａ２フィールドと、Ａ３フィールドと、シーケンスコントロール（Sequence Control）フィールドと、ＱｏＳフィールドと、フレームボディ（Frame Body）フィールドと、フレームチェックシーケンス（Frame Check Sequence (FCS)）フィールドとを含む。
【００４７】
フレームコントロールフィールドは、グループオーナーネゴシエーション要求フレーム１００のカテゴリを識別するためのデータを格納する。ここで、フレームコントロールフィールドは、プロトコルバージョン（Protocol Version）フィールドと、タイプ（Type）フィールドと、サブタイプ（SubType）フィールドと、受信端末（ToDS）フィールドと、送信端末（FromDS）フィールドと、モアフラグ（MoreFrag）フィールドと、リトライ（Retry）フィールドと、パワー管理（PowerMgt）フィールドと、モアデータ（More Data）フィールドと、保護フレーム（Protected Frame）フィールドと、オーダー（Order）フィールドとを含む。
【００４８】
プロトコルバージョンフィールドには、グループオーナーネゴシエーション要求フレーム１００のバージョンである０がセットされる。また、タイプフィールドには、グループオーナーネゴシエーション要求フレーム１００のタイプを示す値がセットされ、サブタイプフィールドにはより詳細なタイプを示す値がセットされる。具体的には、グループオーナーネゴシエーション要求フレーム１００のタイプフィールドには、管理フレームを示す００がセットされ、サブタイプフィールドには、アクション（Action）フレームを示す１１０１がセットされる。
【００４９】
受信端末フィールドには、データフレームをアクセスポイント装置及び無線通信端末装置のうちのいずれが受信するかを示すデータがセットされる。また、送信端末フィールドには、データフレームをアクセスポイント装置及び無線通信端末装置のうちのいずれが送信したかを示すデータがセットされる。また、モアフラグフィールドは、上位レイヤのパケットを分割して送信するときに用いられる。さらに、リトライフィールドには、グループオーナーネゴシエーション要求フレーム１００が再送フレームであるか否かを示すデータがセットされる。モアデータフィールドには、後続する送信待ちパケットの有無を示すデータがセットされる。そして、保護フレームフィールドには、暗号化の有無を示すデータがセットされ、オーダーフィールドには、グループオーナーネゴシエーション要求フレーム１００のクラスが、ストリクトオーダードサービスクラスであるか否かを示すデータがセットされる。
【００５０】
また、期間フィールドには、無線回線を使用する予定期間を示すデータがセットされ、Ａ１フィールド、Ａ２フィールド及びＡ３フィールドには、通信フレームの宛先ＭＡＣアドレス、送信元ＭＡＣアドレス及びＢＳＳＩＤがそれぞれセットされる。また、シーケンスコントロールフィールドには、通信フレームのシーケンス番号及びフラグメントのためのフラグメント番号がセットされる。さらに、ＱｏＳフィールドには、優先制御など通信フレームの品質を示すデータがセットされ、フレームチェックシーケンスフィールドには、通信フレームのＭＡＣヘッダとフレームボディの誤り検出符号がセットされる。
【００５１】
フレームボディフィールドには、送信データが格納される。グループオーナーネゴシエーション要求フレーム１００のフレームボディフィールドは、グループオーナーネゴシエーション要求フレームボディフィールドと、ネットワーク識別情報フィールドＦ１とを含む。ここで、グループオーナーネゴシエーション要求フレームボディフィールドには、グループオーナーインテント（GO Intent）を含む所定の送信データがセットされる。グループオーナーインテントは、ＷｉＧｉｇ方式の無線通信などのピアツーピアの通信におけるグループオーナー装置を決定するためのパラメータであり、無線通信端末装置ごとにあらかじめ設定される。本実施の形態では、無線通信端末装置２ｂのグループオーナーインテントは、無線通信端末装置２ａのグループオーナーインテントより小さい。この場合、無線通信装置２ｂは、無線通信端末装置２ａとのＷｉＧｉｇ方式の無線通信において、グループオーナー装置として動作する。
【００５２】
ネットワーク識別情報フィールドＦ１には、グループオーナーネゴシエーション要求フレーム１００の送信元の無線通信端末装置２ａのＷｉ−Ｆｉ接続情報管理部１４に格納されているＢＳＳＩＤがセットされる。本実施の形態では、無線通信端末装置２ａのＷｉ−Ｆｉ接続情報管理部１４に格納されているＢＳＳＩＤは、無線通信端末装置２ａがＷｉ−Ｆｉ方式で無線接続されているアクセスポイント装置１のＢＳＳＩＤである。
【００５３】
図７は、図６のネットワーク識別情報フィールドＦ１のフォーマットを示すテーブルである。図７において、ネットワーク識別情報フィールドＦ１は、ＩＤフィールドと、長さフィールドと、ＢＳＳＩＤフィールドとを含む。ここで、ＩＤフィールドには、ネットワーク識別情報フィールドＦ１の識別子である２０がセットされる。また、長さフィールドには、ＢＳＳＩＤフィールドのデータ長（６バイト）がセットされ、ＢＳＳＩＤフィールドには、無線通信端末装置２ａとの間でＷｉ−Ｆｉ方式で無線接続を確立しているアクセスポイント装置のＢＳＳＩＤに対応する値がセットされる。本実施の形態では、無線通信端末装置２ａはアクセスポイント装置１との間でＷｉ−Ｆｉ方式で無線接続を確立しているので、ＢＳＳＩＤフィールドには、アクセスポイント装置１のＢＳＳＩＤに対応する値（００  １１  ２２  ３３  ４４  ５５）がセットされる。
【００５４】
以上説明したように、グループオーナーネゴシエーション要求フレーム１００は、無線通信端末装置２ａが属する無線ネットワークの識別情報に対応するアクセスポイント装置１のＢＳＳＩＤを含む。
【００５５】
＜グループオーナーネゴシエーション応答フレーム２００のフォーマット＞
図８は、図５ＡのステップＳ２６及びＳ２７において送信されるグループオーナーネゴシエーション応答フレーム２００のフォーマットを示すフォーマット図である。グループオーナーネゴシエーション応答フレーム２００は、Ｗｉ−Ｆｉダイレクトに準拠したグループオーナーネゴシエーション要求フレームのフレームボディフィールドの末尾にネットワーク識別情報フィールドＦ２を追加した構成を有する。
【００５６】
図８において、グループオーナーネゴシエーション応答フレーム２００は、フレームコントロールフィールドと、期間フィールドと、Ａ１フィールドと、Ａ２フィールドと、Ａ３フィールドと、シーケンスコントロールフィールドと、ＱｏＳフィールドと、フレームボディフィールドと、フレームチェックシーケンスフィールドとを含む。グループオーナーネゴシエーション応答フレーム２００のフレームコントロールフィールドと、期間フィールドと、Ａ１フィールドと、Ａ２フィールドと、Ａ３フィールドと、シーケンスコントロールフィールドと、ＱｏＳフィールドと、フレームチェックシーケンスフィールドとは、グループオーナーネゴシエーション要求フレーム１００のフレームコントロールフィールドと、期間フィールドと、Ａ１フィールドと、Ａ２フィールドと、Ａ３フィールドと、シーケンスコントロールフィールドと、ＱｏＳフィールドと、フレームチェックシーケンスフィールドと同様に構成されるので、説明を省略する。
【００５７】
図８において、グループオーナーネゴシエーション応答フレーム２００のフレームボディフィールドは、所定の送信データがセットされるグループオーナーネゴシエーション応答フレームボディフィールドと、ネットワーク識別情報フィールドＦ２とを含む。ネットワーク識別情報フィールドＦ２には、グループオーナーネゴシエーション応答フレーム２００の送信元の無線通信端末装置２ｂのＷｉ−Ｆｉ接続情報管理部１４に格納されているＢＳＳＩＤがセットされる。本実施の形態では、の無線通信端末装置２ｂのＷｉ−Ｆｉ接続情報管理部１４に格納されているＢＳＳＩＤは、無線通信端末装置２ｂがＷｉ−Ｆｉ方式で無線接続されているアクセスポイント装置１のＢＳＳＩＤである。
【００５８】
図９は、図８のネットワーク識別情報フィールドＦ２のフォーマットを示すテーブルである。図９において、ネットワーク識別情報フィールドＦ２は、ＩＤフィールドと、長さフィールドと、ＢＳＳＩＤフィールドとを含む。ここで、ＩＤフィールドには、ネットワーク識別情報フィールドＦ２の識別子である２０がセットされる。また、長さフィールドには、ＢＳＳＩＤフィールドのデータ長（６バイト）がセットされ、ＢＳＳＩＤフィールドには、無線通信端末装置２ｂとの間でＷｉ−Ｆｉ方式で無線接続を確立しているアクセスポイント装置のＢＳＳＩＤに対応する値がセットされる。本実施の形態では、無線通信端末装置２ｂはアクセスポイント装置１との間でＷｉ−Ｆｉ方式で無線接続を確立しているので、ＢＳＳＩＤフィールドには、アクセスポイント装置１のＢＳＳＩＤに対応する値（００  １１  ２２  ３３  ４４  ５５）がセットされる。
【００５９】
以上説明したように、グループオーナーネゴシエーション応答フレーム２００は、無線通信端末装置２ｂが属する無線ネットワークの識別情報に対応するアクセスポイント装置１のＢＳＳＩＤを含む。
【００６０】
＜グループオーナーネゴシエーション確認フレーム３００のフォーマット＞
図１０は、図４ＢのステップＳ９及びＳ１１において送信されるグループオーナーネゴシエーション確認フレーム３００のフォーマットを示すフォーマット図である。グループオーナーネゴシエーション確認フレーム３００は、Ｗｉ−Ｆｉダイレクトに準拠したグループオーナーネゴシエーション確認フレームのフレームボディフィールドの末尾に比較結果フィールドＦ３を追加した構成を有する。
【００６１】
図１０において、グループオーナーネゴシエーション確認フレーム３００は、フレームコントロールフィールドと、期間フィールドと、Ａ１フィールドと、Ａ２フィールドと、Ａ３フィールドと、シーケンスコントロールフィールドと、ＱｏＳフィールドと、フレームボディフィールドと、フレームチェックシーケンスフィールドとを含む。グループオーナーネゴシエーション確認フレーム３００のフレームコントロールフィールドと、期間フィールドと、Ａ１フィールドと、Ａ２フィールドと、Ａ３フィールドと、シーケンスコントロールフィールドと、ＱｏＳフィールドと、フレームチェックシーケンスフィールドとは、グループオーナーネゴシエーション要求フレーム１００のフレームコントロールフィールドと、期間フィールドと、Ａ１フィールドと、Ａ２フィールドと、Ａ３フィールドと、シーケンスコントロールフィールドと、ＱｏＳフィールドと、フレームチェックシーケンスフィールドと同様に構成されるので、説明を省略する。
【００６２】
図１０において、グループオーナーネゴシエーション確認フレーム３００のフレームボディフィールドは、所定の送信データがセットされるグループオーナーネゴシエーション確認フレームボディフィールドと、比較結果フィールドＦ３とを含む。
【００６３】
図１１は、図１０の比較結果フィールドＦ３のフォーマットを示すテーブルである。図１１において、比較結果フィールドＦ３は、ＩＤフィールドと、長さフィールドと、比較結果フィールドとを含む。ここで、ＩＤフィールドには、比較結果フィールドＦ３の識別子である２１がセットされる。また、長さフィールドには、比較結果フィールドのデータ長（１バイト）がセットされ、比較結果フィールドには、無線通信端末装置２ａのＷｉ−Ｆｉ接続情報管理部１４に格納されているＢＳＳＩＤと、グループオーナーネゴシエーション応答フレーム２００に含まれるＢＳＳＩＤとの比較結果を示すデータがセットされる。具体的には、無線通信端末装置２ａのＷｉ−Ｆｉ接続情報管理部１４に格納されているＢＳＳＩＤがグループオーナーネゴシエーション応答フレーム２００に含まれるＢＳＳＩＤと一致したときは０がセットされ、一致しなかったときは１がセットされる。
【００６４】
以上説明したように、グループオーナーネゴシエーション確認フレーム３００は、グループオーナーネゴシエーション応答フレーム２００に含まれかつ無線通信端末装置２ｂが属する無線ネットワークの識別情報に対応するアクセスポイント装置１のＢＳＳＩＤと、無線通信端末装置２ａが属する無線ネットワークの識別情報に対応するアクセスポイント装置１のＢＳＳＩＤとの比較結果を示すデータを含む。
【００６５】
＜無線通信システムの動作例＞
図１２は、図１の無線通信システムの動作の一例を示すタイミングチャートである。ステップＳ４０１において、無線通信端末装置２ａは、ＷｉＧｉｇ方式での通信相手となる装置を探索するために、ピアツーピア情報要素を含むプローブ要求フレームを送信する。これに応答して、ステップＳ４０２において、無線通信端末装置２ｂは、ピアツーピア情報要素を含むプローブ応答フレームを送信する。
【００６６】
次に、ステップＳ４０３において、無線通信端末装置２ａは、ピアツーピア情報要素を含むプローブ応答フレームに応答して、無線通信端末装置２ａがＷｉ−Ｆｉ方式で無線接続しているアクセスポイント装置１のＢＳＳＩＤを含むグループオーナーネゴシエーション要求フレーム１００を、無線通信端末装置２ｂに送信する。これに応答して、無線通信端末装置２ｂは、ステップＳ４０４において、無線通信端末装置２ｂがＷｉ−Ｆｉ方式で無線接続しているアクセスポイント装置１のＢＳＳＩＤを含むグループオーナーネゴシエーション応答フレーム２００を、無線通信端末装置２ａに送信する。
【００６７】
次に、ステップＳ４０５において、無線通信端末装置２ａは、無線通信端末装置２ａのＷｉ−Ｆｉ接続情報管理部１４に格納されているＢＳＳＩＤを、グループオーナーネゴシエーション応答フレーム２００に含まれるＢＳＳＩＤと比較し、比較結果を含むグループオーナーネゴシエーション確認フレーム３００を、無線通信端末装置２ｂに送信する。図１２の動作例では、例えば、図７及び図９に示すように、無線通信端末装置２ａのＷｉ−Ｆｉ接続情報管理部１４に格納されているＢＳＳＩＤは、グループオーナーネゴシエーション応答フレーム２００に含まれるＢＳＳＩＤと一致している。また、無線通信端末装置２ｂはグループオーナー装置として動作する。
【００６８】
次に、ステップＳ４０６において、無線通信端末装置２ｂは、グループオーナー装置として、ビーコン信号を、ＷｉＧｉｇ方式の無線通信で無線通信端末装置２ａに送信する。ここで、ビーコン信号は、Ｗｉ−Ｆｉ方式の無線通信での認証情報取得処理で取得され、無線通信端末装置２ｂのＷｉ−Ｆｉ接続情報管理部１４に格納されている接続情報を含む。
【００６９】
さらに、ステップＳ４０７において、無線通信装置２ａと２ｂとは、ＷＰＳなどの従来技術に係る認証情報取得処理を実行することなく、無線通信端末装置２ａを認証するためのＩＥＥＥ８０２．１１ｉに準拠した認証処理を実行する。具体的には無線通信端末装置２ａは、ビーコン信号に含まれる認証情報を用いて、認証を要求する認証要求フレームを無線通信端末装置２ｂに送信する。これに応答して、無線通信端末装置２ｂは、無線通信端末装置２ａを認証し、認証応答フレームを無線通信端末装置２ａに送信する。次に、無線通信端末装置２ａは、無線通信端末装置２ｂに無線接続することを要求するアソシエーション要求フレームを、無線通信端末装置２ｂに送信する。これに応答して、無線通信端末装置２ｂは、無線通信端末装置２ａからの要求を受け入れて、アソシエーション応答フレームを、無線通信端末装置２ａに送信する。
【００７０】
次に、ステップＳ４０８において、無線通信端末装置２ａと２ｂとは、アクセスポイント装置１と無線通信端末装置２ａとの間で暗号鍵を共有するための例えばＩＥＥＥ８０２．１１ｉに準拠した鍵配送処理である４ウェイハンドシェイクを実行する。このとき、無線通信端末装置２ａと２ｂとは、アクセスポイント装置１にＷｉ−Ｆｉ方式で無線接続されていたときの認証情報を用いる。４ウェイハンドシェイクが終了すると、無線通信端末装置２ａと２ｂとは、送信データを暗号化して無線送受信できる。
【００７１】
以上説明したように、本開示に係る無線通信システムは、無線接続を確立するための認証情報を用いて認証処理を実行することにより、Ｗｉ−Ｆｉ方式又はＷｉＧｉｇ方式で互いに無線接続される無線通信端末装置２ａ及び２ｂを備えて構成される。ここで、無線通信端末装置２ａは、無線通信端末装置２ａがＷｉ−Ｆｉ方式で無線接続を確立したときに用いられた認証情報と、無線通信端末装置２ａがＷｉ−Ｆｉ方式で無線接続を確立したときに無線通信端末装置２ａが属していた第１のネットワークの第１のネットワーク識別情報とを格納するＷｉ−Ｆｉ接続情報管理部１４と、ＷｉＧｉｇ方式で無線接続を確立するＷｉＧｉｇ接続制御部９とを備えて構成される。また、無線通信端末装置２ｂは、無線通信端末装置２ｂがＷｉ−Ｆｉ方式で無線接続を確立したときに用いられた認証情報と、無線通信端末装置２ｂがＷｉ−Ｆｉ方式で無線接続を確立したときに無線通信端末装置２ｂが属していた第２のネットワークの第２のネットワーク識別情報とを格納するＷｉ−Ｆｉ接続情報管理部１４と、ＷｉＧｉｇ方式で無線接続を確立するＷｉＧｉｇ接続制御部９とを備えて構成される。
【００７２】
無線通信端末装置２ａのＷｉＧｉｇ接続制御部９は、ＷｉＧｉｇ方式で無線接続を確立することを要求しかつ第１のネットワーク識別情報を含むグループオーナーネゴシエーション要求フレーム１００を、無線通信端末装置２ｂに送信する。無線通信端末装置２ｂのＷｉＧｉｇ接続制御部９は、グループオーナーネゴシエーション要求フレーム１００に応答して、第２のネットワーク識別情報を含むグループオーナーネゴシエーション応答フレーム２００を無線通信端末装置２ａに送信する。
【００７３】
無線通信端末装置２ａのＷｉＧｉｇ接続制御部９は、グループオーナーネゴシエーション応答フレーム２００に応答して、グループオーナーネゴシエーション応答フレーム２００に含まれる第２のネットワーク識別情報を無線通信端末装置２ａのＷｉ−Ｆｉ接続情報管理部１４に格納された第１のネットワーク識別情報と比較し、グループオーナーネゴシエーション応答フレーム２００に含まれる第２のネットワーク識別情報が無線通信端末装置２ａのＷｉ−Ｆｉ接続情報管理部１４に格納された第１のネットワーク識別情報と一致するとき、無線通信端末装置２ａのＷｉ−Ｆｉ接続情報管理部１４に格納された認証情報を用いて無線通信端末装置２ｂとの間で認証処理を実行し、無線通信端末装置２ｂとの間でＷｉＧｉｇ方式で無線接続を確立する。
【００７４】
また、無線通信端末装置２ａのＷｉＧｉｇ接続制御部９は、グループオーナーネゴシエーション応答フレーム２００に含まれる第２のネットワーク識別情報が無線通信端末装置２ａのＷｉ−Ｆｉ接続情報管理部１４に格納された第１のネットワーク識別情報と一致しないとき、ＷＰＳなどの所定の認証情報取得処理を実行することにより、無線通信端末装置２ｂとの間でＷｉＧｉｇ方式で無線接続を確立するための認証情報を取得し、当該取得された認証情報を用いて無線通信端末装置２ｂとの間で認証処理を実行する。
【００７５】
さらに、無線通信端末装置２ａのＷｉＧｉｇ接続制御部９は、グループオーナーネゴシエーション応答フレーム２００に含まれる第２のネットワーク識別情報と、無線通信端末装置２ａのＷｉ−Ｆｉ接続情報管理部１４に格納された第１のネットワーク識別情報との間の比較結果を含む確認フレームを無線通信端末装置２ｂに送信する。
【００７６】
またさらに、グループオーナーネゴシエーション要求フレーム１００は、Ｗｉ−Ｆｉダイレクトに準拠したグループオーナーネゴシエーショングループオーナーネゴシエーション要求フレームである。また、グループオーナーネゴシエーション応答フレーム２００は、Ｗｉ−Ｆｉダイレクトに準拠したグループオーナーネゴシエーション応答フレームである。さらに、グループオーナーネゴシエーション確認フレーム３００は、Ｗｉ−Ｆｉダイレクトに準拠したグループオーナーネゴシエーション確認フレームである。
【００７７】
また、認証情報は、サービスセット識別子と、暗号方式と、認証方式と、暗号鍵情報とを含む。
【００７８】
さらに、Ｗｉ−Ｆｉ方式において用いられる周波数帯と、ＷｉＧｉｇ方式において用いられる周波数帯とは互いに異なる。
【００７９】
またさらに、Ｗｉ−Ｆｉ方式は、無線通信端末装置２ａ及び２ｂがアクセスポイント装置１を介して無線通信を行う通信方式であり、ＷｉＧｉｇ方式は、無線通信端末装置２ａ及び２ｂがアクセスポイント装置１を介することなく無線通信を行うＷｉＧｉｇ方式である。このとき、ネットワーク識別情報は、アクセスポイント装置１のＢＳＳＩＤである。
【００８０】
従って、本実施の形態に係る無線通信システムによれば、無線通信端末装置２ａ及び２ｂは、アクセスポイント装置１を介してＷｉ−Ｆｉ方式で互いに無線接続されているときは、Ｗｉ−Ｆｉ方式でアクセスポイント装置１に接続されているときに取得した認証情報を、ＷｉＧｉｇ方式での無線接続を確立するための認証処理及び鍵配送処理に用いる。従って、無線通信端末装置２ａ及び２ｂは、ＷｉＧｉｇ方式での無線通信を開始する前に、比較的データの処理量が大きいＷＰＳなどの認証情報取得処理及び暗号化方式を整合させるための処理を実行する必要がない。このため、無線通信端末装置２ａと２ｂとの間で通信を行うための通信方式をＷｉＧｉｇ方式に切替えた後も、切替え前と同様に情報の安全性及び秘匿性を保持したまま、従来技術に比較して通信方式を迅速に切替えることができる。
【００８１】
なお、本実施の形態において図５ＡのステップＳ２１の判断処理を実行したが、本開示はこれに限られない。ステップＳ２１の判断処理を実行せず、無線通信端末装置２ｂが切替指示信号を受信したか否かに関わらず、ステップＳ２２の処理を実行してもよい。
【００８２】
また、本実施の形態において、無線通信端末装置２ａは、Ｗｉ−Ｆｉ方式で無線接続を確立していないとき、グループオーナーネゴシエーション要求フレーム１００のネットワーク識別情報フィールドＦ１に０をセットしたが、本開示はこれに限られない。グループオーナーネゴシエーション要求フレーム１００のネットワーク識別情報フィールドＦ１に、０以外の実際に存在しないＢＳＳＩＤの値をセットしてもよい。また、グループオーナーネゴシエーション要求フレーム１００からネットワーク識別情報フィールドＦ１を削除してもよい。すなわち、Ｗｉ−Ｆｉ方式で無線接続を確立していないことを示すグループオーナーネゴシエーション要求フレーム１００を送信すればよい。
【００８３】
さらに、本実施の形態において、無線通信端末装置２ｂは、Ｗｉ−Ｆｉ方式で無線接続を確立していないとき、グループオーナーネゴシエーション応答フレーム２００のネットワーク識別情報フィールドＦ２に０をセットしたが、本開示はこれに限られない。グループオーナーネゴシエーション応答フレーム２００のネットワーク識別情報フィールドＦ２に、０以外の実際に存在しないＢＳＳＩＤの値をセットしてもよい。また、グループオーナーネゴシエーション応答フレーム２００からネットワーク識別情報フィールドＦ２を削除してもよい。すなわち、Ｗｉ−Ｆｉ方式で無線接続を確立していないことを示すグループオーナーネゴシエーション応答フレーム２００を送信すればよい。
【００８４】
またさらに、本実施の形態において図５ＢのステップＳ３０の処理を実行したが、本開示はこれに限られない。無線通信端末装置２ａにおいて、図４ＢのステップＳ８の処理が実行されるので、ステップＳ３０の処理を省略してもよい。
【００８５】
また、本実施の形態において、プローブ要求フレーム、プローブ応答フレーム、グループオーナーネゴシエーション要求フレーム１００、グループオーナーネゴシエーション応答フレーム２００及びグループオーナーネゴシエーション確認フレーム３００は、ＷｉＧｉｇ方式の無線通信で、ＤＢａｎｄを用いて送信されたが、本開示はこれに限られず、ＯＢａｎｄを用いて送信されてもよい。
【００８６】
さらに、本実施の形態において、Ｗｉ−Ｆｉダイレクトに準拠したグループオーナーネゴシエーション要求フレームにネットワーク識別情報フィールドＦ１を追加することによりグループオーナーネゴシエーション要求フレーム１００を生成した。また、Ｗｉ−Ｆｉダイレクトに準拠したグループオーナーネゴシエーション応答フレームにネットワーク識別情報フィールドＦ２を追加することによりグループオーナーネゴシエーション応答フレーム２００を生成した。しかしながら、本開示はこれに限られず、グループオーナーネゴシエーション要求フレーム１００は無線通信端末装置２ａが属する無線ネットワークの識別情報に対応するアクセスポイント装置１のＢＳＳＩＤを含めばよい。また、グループオーナーネゴシエーション応答フレーム２００は、無線通信端末装置２ｂが属する無線ネットワークの識別情報に対応するアクセスポイント装置１のＢＳＳＩＤを含めばよい。
【００８７】
またさらに、本実施の形態において、Ｗｉ−Ｆｉダイレクトに準拠したグループオーナーネゴシエーション確認フレームにネットワーク比較結果フィールドＦ３を追加することによりグループオーナーネゴシエーション確認フレーム３００を生成した。しかしながら、本開示はこれに限られない。グループオーナーネゴシエーション確認フレーム３００は、無線通信端末装置２ａが属する無線ネットワークの識別情報に対応するアクセスポイント装置１のＢＳＳＩＤが、グループオーナーネゴシエーション応答フレーム２００に含まれかつ無線通信端末装置２ｂが属する無線ネットワークの識別情報に対応するアクセスポイント装置１のＢＳＳＩＤと一致するか否かを示すデータを含めばよい。
【００８８】
またさらに、本実施の形態において、図４Ａ及び図４Ｂの通信方式切替要求処理と、図５Ａ及び図５Ｂの通信方式切替応答処理とは、Ｗｉ−Ｆｉダイレクト（Wi-Fi Direct）に準拠した通信プロトコルを用いて実行されたが、本開示はこれに限られない。
【００８９】
また、本実施の形態では、無線通信端末装置２ａ及び２ｂの各Ｗｉ−Ｆｉ接続情報管理部１４に格納されているＢＳＳＩＤが互いに一致するか否かを判断することにより、Ｗｉ−Ｆｉ方式での無線通信において用いた認証情報を、ＷｉＧｉｇ方式での無線通信において用いることができるか否かを判断したが、本開示はこれに限られない。無線通信端末装置２ａが属するネットワークの識別情報が、無線通信端末装置２ｂが属するネットワークの識別情報に一致するか否かを判断することにより、Ｗｉ−Ｆｉ方式での無線通信において用いた認証情報をＷｉＧｉｇ方式での無線通信において用いることができるか否かを判断してもよい。
【００９０】
さらに、本実施の形態では、Ｗｉ−Ｆｉ形式での無線通信で用いた認証情報を、すべてＷｉＧｉｇ形式での無線通信に用いたが、本開示はこれに限られず、Ｗｉ−Ｆｉ形式での無線通信で用いた認証情報の一部をＷｉＧｉｇ形式での無線通信に用いてもよい。例えば、Ｗｉ−Ｆｉ形式での無線通信で用いた認証情報のうち、暗号鍵情報のみをＷｉＧｉｇ形式での無線通信に用いてもよい。これにより、ＷＰＳにおいて最も処理時間を必要とする暗号鍵の情報の送信処理を省略できる。
【００９１】
（実施の形態２）
実施の形態１では、図４Ａ及び図４Ｂの通信方式切替要求処理と、図５Ａ及び図５Ｂの通信方式切替応答処理とを、Ｗｉ−Ｆｉアライアンスによって策定されたＷｉ−Ｆｉダイレクトに準拠した通信プロトコルを用いて実行した。これに対して、本実施の形態では、図１の無線通信システムにおいて、図１３Ａ及び図１３Ｂの通信方式切替要求処理と、図１４Ａ及び図１４Ｂの通信方式切替応答処理とを、ワイヤレスギガビットアライアンスによって標準化されたＷｉＧｉｇに準拠した通信プロトコルを用いて実行する。また、本実施の形態において、ＷｉＧｉｇ方式の無線通信では、無線通信端末装置２ａはＷＰＳにおけるクライアント装置として動作し、無線通信端末装置２ｂは、アクセスポイント装置として動作する。本実施の形態において、無線通信端末装置２ａ及び２ｂは、実施の形態１に係る無線通信端末装置２ａ及び２ｂと同様に構成される。以下、実施の形態１との間の相違点のみを説明する。
【００９２】
＜データ通信のための通信方式をＷｉ−Ｆｉ方式からＷｉＧｉｇ方式に切替えるための処理＞
図１の無線通信システムにおいて、無線通信端末装置２ａと２ｂとの間でデータ通信を行うための通信方式をＷｉ−Ｆｉ方式からＷｉＧｉｇ方式に切替えることを、無線通信端末装置２ａが無線通信端末装置２ｂに対して要求するときに、図３の無線通信端末装置２ａのＷｉＧｉｇ接続制御部９によって実行される通信方式切替要求処理を図１３Ａ及び図１３Ｂを参照して説明し、図３の無線通信端末装置２ｂのＷｉＧｉｇ接続制御部９によって実行される通信方式切替応答処理を図１４Ａ及び図１４Ｂを参照して説明する。
【００９３】
図１３Ａ及び図１３Ｂは、図３の無線通信端末装置２ａのＷｉＧｉｇ接続制御部９によって実行される実施の形態２に係る通信方式切替要求処理を示すフローチャートである。なお、図１３Ａ及び図１３Ｂにおいて、図４Ａ及び図４Ｂにおける処理と同一の処理には、同一のステップ番号を付し、詳細説明を省略する。図１３ＡのステップＳ１において、ＷｉＧｉｇ接続制御部９は、無線通信端末装置２ｂとの間でデータ通信を行うための通信方式をＷｉＧｉｇ方式に切替えることを指示する切替指示信号を受信したか否かを判断する。ステップＳ１においてＹＥＳのときはステップＳ４１に進む一方、ＮＯのときはステップＳ１の処理を繰り返して実行する。
【００９４】
ステップＳ４１において、ＷｉＧｉｇプロトコル処理部１０は、ＷｉＧｉｇ方式での無線通信が可能な無線通信端末装置を探索できたか否かを判断する。具体的には、ＷｉＧｉｇプロトコル処理部１０は、ＷｉＧｉｇ方式での無線通信を行うことができる無線通信端末装置を探索するためのビーコン信号を、接続制御部５と、ＷｉＧｉｇ通信インタフェース４とを介して送信する。ＷｉＧｉｇに準拠した通信プロトコルでは、上述したビーコン信号を受信した無線通信端末装置は、ＷｉＧｉｇ方式での無線通信を行うことができるときに、ビーコン信号を返信する。ＷｉＧｉｇプロトコル処理部１０は、他の無線通信端末装置からビーコン信号を受信したか否かに応じて、ステップＳ４１の判断処理を実行する。そして、ステップＳ４１においてＹＥＳのときはステップＳ４に進む一方、ＮＯのときは通信方式切替要求処理を終了する。
【００９５】
ステップＳ４において、Ｗｉ−Ｆｉ接続判断部１２は、無線通信端末装置２ａがＷｉ−Ｆｉ方式で他の無線通信端末装置と無線接続を確立するための認証情報及びＢＳＳＩＤがＷｉ−Ｆｉ接続情報管理部１４に格納されているか否かを判断することにより、無線通信端末装置２ａがＷｉ−Ｆｉ方式で無線接続を確立しているか否かを判断する。そして、ステップＳ４においてＹＥＳのときはステップＳ４２に進む一方、ＮＯのときはステップＳ４３に進む。
【００９６】
ステップＳ４２において、Ｗｉ−Ｆｉ情報付加部１１は、Ｗｉ−Ｆｉ接続情報管理部１４に格納されているＢＳＳＩＤを含むプローブ要求フレーム４００を、接続情報制御部５とＷｉＧｉｇ通信インタフェース４とを介して無線通信端末装置２ｂに送信する。具体的には、Ｗｉ−Ｆｉ情報付加部１１は、ＷｉＧｉｇプロトコル処理部１０によって生成されたプローブ要求フレーム４００のネットワーク識別情報フィールドＦ４に、Ｗｉ−Ｆｉ接続情報管理部１４に格納されているＢＳＳＩＤをセットする。なお、本実施の形態では、無線通信端末装置２ａはアクセスポイント装置１に無線接続されているので、無線通信端末装置２ａのＷｉ−Ｆｉ接続情報管理部１４に格納されているＢＳＳＩＤは、アクセスポイント装置１のＢＳＳＩＤである。また、プローブ要求フレーム４００のフォーマットは詳細後述する。
【００９７】
一方、ステップＳ４３において、Ｗｉ−Ｆｉ情報付加部１１は、ＢＳＳＩＤとして０を含むプローブ要求フレーム４００を、接続情報制御部５とＷｉＧｉｇ通信インタフェース４とを介して無線通信端末装置２ｂに送信する。
【００９８】
詳細後述するように、無線通信端末装置２ｂは、プローブ要求フレーム４００に応答して、プローブ応答フレーム５００を無線通信端末装置２ａに送信する。ここで、無線通信端末装置２ｂがＷｉ−Ｆｉ方式で無線接続を確立しているときは、プローブ応答フレーム５００は、無線通信端末装置２ｂのＷｉ−Ｆｉ接続情報管理部１４に格納されているＢＳＳＩＤを含む。一方、無線通信端末装置２ｂがＷｉ−Ｆｉ方式で無線接続を確立していないときは、プローブ応答フレーム５００は、ＢＳＳＩＤとして０を含む。
【００９９】
ステップＳ４２及びＳ４３に続いて、ステップＳ４４において、ＢＳＳＩＤ判断部１３は、無線通信端末装置２ｂから、ＷｉＧｉｇ通信インタフェース４と、接続制御部５とを介して、プローブ応答フレーム５００を受信する。次に、図１３ＢのステップＳ４５において、ＢＳＳＩＤ判断部１３は、プローブ応答フレーム５００に含まれているＢＳＳＩＤが、０ではなく、かつＷｉ−Ｆｉ接続情報管理部１４に格納されているＢＳＳＩＤと一致するか否かを判断する。そして、ステップＳ４５においてＹＥＳのときはステップＳ１０に進む一方、ＮＯのときはステップＳ１２に進む。なお、ステップＳ４５において判断処理が実行できないときもステップＳ１１に進む。ステップＳ１０以降の処理及びステップＳ１２以降の処理は、図４Ｂの各処理と同一であるので、説明を省略する。
【０１００】
図１４Ａ及び図１４Ｂは、図３の無線通信端末装置２ｂのＷｉＧｉｇ接続制御部９によって実行される実施の形態２に係る通信方式切替応答処理を示すフローチャートである。なお、図１４Ａ及び図１４Ｂにおいて、図５Ａ及び図５Ｂにおける処理と同一の処理には、同一のステップ番号を付し、詳細説明を省略する。図１４ＡのステップＳ２１において、ＷｉＧｉｇ接続制御部９は、無線通信端末装置２ｂとの間でデータ通信を行うための通信方式をＷｉＧｉｇ方式に切替えることを指示する切替指示信号を受信したか否かを判断する。ステップＳ２１においてＹＥＳのときはステップＳ５１に進む一方、ＮＯのときはステップＳ２１の処理を繰り返して実行する。
【０１０１】
ステップＳ５１において、ＷｉＧｉｇプロトコル処理部１０は、ＷｉＧｉｇ方式での無線通信が可能な無線通信端末装置を探索できたか否かを判断する。具体的には、ＷｉＧｉｇプロトコル処理部１０は、ＷｉＧｉｇ方式での無線通信を行うことができる無線通信端末装置を探索するためのビーコン信号を、接続制御部５と、ＷｉＧｉｇ通信インタフェース４とを介して送信する。さらに、ＷｉＧｉｇプロトコル処理部１０は、他の無線通信端末装置からビーコン信号を受信したか否かに応じて、ステップＳ５１の判断処理を実行する。そして、ステップＳ５１においてＹＥＳのときはステップＳ５２に進む一方、ＮＯのときは通信方式切替応答処理を終了する。
【０１０２】
ステップＳ５２において、ＷｉＧｉｇプロトコル処理部１０は、プローブ要求フレーム４００を無線通信端末装置２ａから受信する。次に、ステップＳ２５において、Ｗｉ−Ｆｉ接続判断部１２は、無線通信端末装置２ｂがＷｉ−Ｆｉ方式で他の無線通信端末装置と無線接続を確立するための認証情報及びＢＳＳＩＤがＷｉ−Ｆｉ接続情報管理部１４に格納されているか否かを判断することにより、無線通信端末装置２ｂがＷｉ−Ｆｉ方式で無線接続を確立しているか否かを判断する。そして、ステップＳ２５においてＹＥＳのときはステップＳ５４に進む一方、ＮＯのときはステップＳ５５に進む。
【０１０３】
ステップＳ５４において、Ｗｉ−Ｆｉ情報付加部１１が、Ｗｉ−Ｆｉ接続情報管理部１４に格納されているＢＳＳＩＤを含むプローブ応答フレーム５００を、接続情報制御部５とＷｉＧｉｇ通信インタフェース４とを介して無線通信端末装置２ａに送信する。具体的には、Ｗｉ−Ｆｉ情報付加部１１は、ＷｉＧｉｇプロトコル処理部１０によって生成されたプローブ応答フレーム５００のネットワーク識別情報フィールドＦ５にＷｉ−Ｆｉ接続情報管理部１４に格納されているＢＳＳＩＤをセットする。なお、本実施の形態では、無線通信端末装置２ｂはアクセスポイント装置１に無線接続されているので、無線通信端末装置２ｂのＷｉ−Ｆｉ接続情報管理部１４に格納されているＢＳＳＩＤは、アクセスポイント装置１のＢＳＳＩＤである。
【０１０４】
一方、ステップＳ５５において、Ｗｉ−Ｆｉ情報付加部１１は、ＢＳＳＩＤとして０を含むプローブ応答フレーム５００を、接続情報制御部５とＷｉＧｉｇ通信インタフェース４とを介して無線通信端末装置２ａに送信する。
【０１０５】
ステップＳ５４及びステップＳ５５に続いて、図１４ＢのステップＳ５６において、ＢＳＳＩＤ判断部１３は、プローブ要求フレーム４００に含まれているＢＳＳＩＤが、０ではなく、かつＷｉ−Ｆｉ接続情報管理部１４に格納されているＢＳＳＩＤと一致するか否かを判断する。そして、ステップＳ５６においてＹＥＳのときはステップＳ３１に進む一方、ＮＯのときはステップＳ３２に進む。ステップＳ３１以降の処理及びステップＳ３２以降の処理は、図５Ｂの処理と同一であるので、説明を省略する。
【０１０６】
＜プローブ要求フレーム４００のフォーマット＞
図１５は、図１３ＡのステップＳ４２及びＳ４３において送信されるプローブ要求フレーム４００のフォーマットを示すフォーマット図である。プローブ要求フレーム４００は、ＷｉＧｉｇに準拠したプローブ要求フレームのフレームボディフィールドの末尾にネットワーク識別情報フィールドＦ４を追加した構成を有する。
【０１０７】
図１５において、プローブ要求フレーム４００は、フレームコントロールフィールドと、期間フィールドと、Ａ１フィールドと、Ａ２フィールドと、Ａ３フィールドと、シーケンスコントロールフィールドと、ＱｏＳフィールドと、フレームボディフィールドと、フレームチェックシーケンスフィールドとを含む。ここで、フレームボディフィールド以外の各フィールドは、図６のグループオーナーネゴシエーション要求フレーム１００の各フィールドと同様に構成されるので説明を省略する。なお、プローブ要求フレーム４００では、タイプフィールドには００がセットされ、サブタイプフィールドには０１００がセットされる。
【０１０８】
図１５において、フレームボディフィールドには、送信データが格納される。プローブ要求フレーム４００のフレームボディフィールドは、ＳＳＩＤフィールドと、サポーテッドレートと、マルチバンドフィールドと、ＤＢａｎｄケイパビリティフィールドと、ＤＢａｎｄオペレーションフィールドと、マルチプルＭＡＣアドレスフィールドと、ネットワーク識別情報フィールドＦ４とを含む。ここで、ネットワーク識別情報フィールドＦ４以外の各フィールドには、ＷｉＧｉｇに準拠した所定の値が格納される。なお、ＳＳＩＤフィールドには、無線通信端末装置２ａが属するネットワークの識別情報が格納される。
【０１０９】
図１６は、図１５のネットワーク識別情報フィールドＦ４のフォーマットを示すテーブルである。図１６に示すように、ネットワーク識別情報フィールドＦ４のフォーマットは、グループオーナーネゴシエーション要求フレーム１００のネットワーク識別情報フィールドＦ１のフォーマット（図７参照。）と同一であるので説明を省略する。
【０１１０】
以上説明したように、プローブ要求フレーム４００は、無線通信端末装置２ａが属する無線ネットワークの識別情報に対応するアクセスポイント装置１のＢＳＳＩＤを含む。
【０１１１】
＜プローブ応答フレーム５００のフォーマット＞
図１７は、図１４ＡのステップＳ５４及びＳ５５において送信されるプローブ応答フレーム５００のフォーマットを示すフォーマット図である。プローブ応答フレーム５００は、ＷｉＧｉｇに準拠したプローブ応答フレームのフレームボディフィールドの末尾にネットワーク識別情報フィールドＦ５を追加した構成を有する。
【０１１２】
図１７において、プローブ応答フレーム５００は、フレームコントロールフィールドと、期間フィールドと、Ａ１フィールドと、Ａ２フィールドと、Ａ３フィールドと、シーケンスコントロールフィールドと、ＱｏＳフィールドと、フレームボディフィールドと、フレームチェックシーケンスフィールドとを含む。ここで、フレームボディフィールド以外の各フィールドは、図８のグループオーナーネゴシエーション応答フレーム２００の各フィールドと同様に構成されるので説明を省略する。なお、プローブ応答フレーム５００では、タイプフィールドには００がセットされ、サブタイプフィールドには０１０１がセットされる。
【０１１３】
図１７において、フレームボディフィールドには、送信データが格納される。プローブ応答フレーム５００のフレームボディフィールドは、ＳＳＩＤフィールドと、サポーテッドレートと、マルチバンドフィールドと、ＤＢａｎｄケイパビリティフィールドと、ＤＢａｎｄオペレーションフィールドと、マルチプルＭＡＣアドレスフィールドと、ネットワーク識別情報フィールドＦ４とを含む。ここで、ネットワーク識別情報フィールドＦ４以外の各フィールドには、ＷｉＧｉｇに準拠した所定の値が格納される。なお、ＳＳＩＤフィールドには、無線通信端末装置２ａが属するネットワークの識別情報が格納される。
【０１１４】
図１８は、図１７のネットワーク識別情報フィールドＦ５のフォーマットを示すテーブルである。図１６に示すように、ネットワーク識別情報フィールドＦ５のフォーマットは、グループオーナーネゴシエーション応答フレーム２００のネットワーク識別情報フィールドＦ２のフォーマット（図９参照。）と同一であるので説明を省略する。
【０１１５】
以上説明したように、プローブ応答フレーム５００は、無線通信端末装置２ｂが属する無線ネットワークの識別情報に対応するアクセスポイント装置１のＢＳＳＩＤを含む。
【０１１６】
＜無線通信システムの動作例＞
図１９は、図１の無線通信システムの実施の形態２に係る動作の一例を示すタイミングチャートである。ステップＳ１００１において、無線通信端末装置２ａと２ｂとは、ＷｉＧｉｇ方式での通信相手となる装置を探索するために、ビーコン信号を送受信する。無線通信端末装置２ａと２ｂとは、それぞれ、ビーコン信号を受信すると、ＷｉＧｉｇ方式での無線通信が可能な無線通信端末装置を探索できたと判断する。次に、ステップＳ１００２において、無線通信端末装置２ａは、無線通信端末装置２ａがＷｉ−Ｆｉ方式で無線接続しているアクセスポイント装置１のＢＳＳＩＤを含むプローブ要求フレーム４００を、無線通信端末装置２ｂに送信する。これに応答して、無線通信端末装置２ｂは、ステップＳ１００３において、無線通信端末装置２ｂがＷｉ−Ｆｉ方式で無線接続しているアクセスポイント装置１のＢＳＳＩＤを含むプローブ応答フレーム５００を、無線通信端末装置２ａに送信する。
【０１１７】
無線通信端末装置２ａは、プローブ応答フレーム５００を受信すると、Ｗｉ−Ｆｉ接続情報管理部１４に格納されているアクセスポイント装置１のＢＳＳＩＤを、プローブ応答フレーム５００に含まれているＢＳＳＩＤと比較する。そして、無線通信端末装置２ａのＷｉ−Ｆｉ接続情報管理部１４に格納されているアクセスポイント装置１のＢＳＳＩＤが、プローブ応答フレーム５００に含まれているＢＳＳＩＤと一致するとき、ステップＳ４０７に進む。ステップＳ４０７以降の処理は、図１２のステップＳ４０７以降の処理と同様であるので、説明を省略する。
【０１１８】
以上説明したように、本開示に係る無線通信端末装置２ａのＷｉＧｉｇ接続制御部９は、ＷｉＧｉｇ方式で無線接続を確立することを要求しかつ第１のネットワーク識別情報を含むプローブ要求フレーム４００を、無線通信端末装置２ｂに送信する。無線通信端末装置２ｂのＷｉＧｉｇ接続制御部９は、プローブ要求フレーム４００に応答して、第２のネットワーク識別情報を含むプローブ応答フレーム５００を無線通信端末装置２ａに送信する。
【０１１９】
無線通信端末装置２ａのＷｉＧｉｇ接続制御部９は、プローブ応答フレーム５００に応答して、プローブ応答フレーム５００に含まれる第２のネットワーク識別情報を無線通信端末装置２ａのＷｉ−Ｆｉ接続情報管理部１４に格納された第１のネットワーク識別情報と比較し、プローブ応答フレーム５００に含まれる第２のネットワーク識別情報が無線通信端末装置２ａのＷｉ−Ｆｉ接続情報管理部１４に格納された第１のネットワーク識別情報と一致するとき、無線通信端末装置２ａのＷｉ−Ｆｉ接続情報管理部１４に格納された認証情報を用いて無線通信端末装置２ｂとの間で認証処理を実行し、無線通信端末装置２ｂとの間でＷｉＧｉｇ方式で無線接続を確立する。
【０１２０】
従って、本実施の形態に係る無線通信システムによれば、無線通信端末装置２ａ及び２ｂは、アクセスポイント装置１を介してＷｉ−Ｆｉ方式で互いに無線接続されているときは、Ｗｉ−Ｆｉ方式でアクセスポイント装置１に接続されているときに取得した認証情報を、ＷｉＧｉｇ方式での無線接続を確立するための認証処理及び鍵配送処理に用いる。従って、無線通信端末装置２ａ及び２ｂは、ＷｉＧｉｇ方式での無線通信を開始する前に、比較的データの処理量が大きいＷＰＳなどの認証情報取得処理及び暗号化方式を整合させるための処理を実行する必要がない。このため、無線通信端末装置２ａと２ｂとの間で通信を行うための通信方式をＷｉＧｉｇ方式に切替えた後も、切替え前と同様に情報の安全性及び秘匿性を保持したまま、従来技術に比較して通信方式を迅速に切替えることができる。さらに、データ通信のための通信方式をＷｉ−Ｆｉ方式からＷｉＧｉｇ方式に確実に切り替え可能である場合は、ユーザに対して接続情報の入力操作及びＷＰＳを実行するための操作を求める必要もなくなるため、従来技術に比較して、無線通信端末装置２ａ及び２ｂのユーザーインタフェースを簡素化できる。
【０１２１】
また、本実施の形態では、実施の形態１と異なり、無線通信端末装置２ａが属する無線ネットワークの識別情報に対応するアクセスポイント装置１のＢＳＳＩＤはプローブ要求フレーム４００に含まれ、無線通信端末装置２ｂが属する無線ネットワークの識別情報に対応するアクセスポイント装置１のＢＳＳＩＤはプローブ応答フレーム５００に含まれる。また、本実施の形態において、実施の形態１のグループオーナーネゴシエーション確認フレーム３００に対応するフレームを送信する必要はない。従って、実施の形態１に比較して、データ通信のための通信方式を、Ｗｉ−Ｆｉ方式からＷｉＧｉｇ方式にさらに容易かつ迅速に切替えることができる。
【０１２２】
なお、本実施の形態では、無線通信端末装置２ａ及び２ｂの各Ｗｉ−Ｆｉ接続情報管理部１４に格納されているＢＳＳＩＤが互いに一致するか否かを判断することにより、Ｗｉ−Ｆｉ方式での無線通信において用いた認証情報を、ＷｉＧｉｇ方式での無線通信において用いることができるか否かを判断したが、本開示はこれに限られない。無線通信端末装置２ａが属するネットワークの識別情報が、無線通信端末装置２ｂが属するネットワークの識別情報に一致するか否かを判断することにより、Ｗｉ−Ｆｉ方式での無線通信において用いた認証情報をＷｉＧｉｇ方式での無線通信において用いることができるか否かを判断してもよい。
【０１２３】
また、本実施の形態では、Ｗｉ−Ｆｉ形式での無線通信で用いた認証情報を、すべてＷｉＧｉｇ形式での無線通信に用いたが、本開示はこれに限られず、Ｗｉ−Ｆｉ形式での無線通信で用いた認証情報の一部をＷｉＧｉｇ形式での無線通信に用いてもよい。例えば、Ｗｉ−Ｆｉ形式での無線通信で用いた認証情報のうち、暗号鍵情報のみをＷｉＧｉｇ形式での無線通信に用いてもよい。これにより、ＷＰＳにおいて最も処理時間を必要とする暗号鍵の情報の送信処理を省略できる。
【０１２４】
さらに、図１３ＡのステップＳ４１及び図１４ＡのステップＳ５１において、送信したビーコン信号に対してビーコン信号が返信されたときに、ＹＥＳと判断したが、本開示はこれに限られない。図１３ＡのステップＳ４１及び図１４ＡのステップＳ５１において、ビーコン信号を受信したときにＹＥＳと判断してもよい。
【０１２５】
またさらに、本実施の形態において、無線通信端末装置２ａは、Ｗｉ−Ｆｉ方式で無線接続を確立していないとき、プローブ要求フレーム４００のネットワーク識別情報フィールドＦ４に０をセットしたが、本開示はこれに限られない。プローブ要求フレーム４００のネットワーク識別情報フィールドＦ４に、０以外の実際に存在しないＢＳＳＩＤの値をセットしてもよい。また、プローブ要求フレーム４００からネットワーク識別情報フィールドＦ４を削除してもよい。すなわち、Ｗｉ−Ｆｉ方式で無線接続を確立していないことを示すプローブ要求フレーム４００を送信すればよい。
【０１２６】
また、本実施の形態において、無線通信端末装置２ｂは、Ｗｉ−Ｆｉ方式で無線接続を確立していないとき、プローブ応答フレーム５００のネットワーク識別情報フィールドＦ５に０をセットしたが、本開示はこれに限られない。プローブ応答フレーム５００のネットワーク識別情報フィールドＦ５に、０以外の実際に存在しないＢＳＳＩＤの値をセットしてもよい。また、プローブ応答フレーム５００からネットワーク識別情報フィールドＦ５を削除してもよい。すなわち、Ｗｉ−Ｆｉ方式で無線接続を確立していないことを示すプローブ応答フレーム５００を送信すればよい。
【０１２７】
（実施の形態３）
図２０は、本開示の実施の形態３に係る無線通信システムの構成を示すブロック図である。本実施の形態において、実施の形態１に記載の構成要素と同様の構成要素については、同一の符号を付す。以下、実施の形態１との間の相違点を説明する。
【０１２８】
＜無線通信システムの構成＞
図２０において、本実施の形態に係る無線通信システムは、無線通信端末装置５２ａと５２ｂとを備えて構成される。イーサネット（登録商標）などのバックボーンネットワークにそれぞれ接続されたアクセスポイント装置１Ａ、１Ｂ、１Ｃ及び１Ｄと、無線通信端末装置５２ａ及び５２ｂとは、無線ＬＡＮ規格であるＩＥＥＥ８０２．１１に準拠した無線通信を行う。また、本実施の形態において、無線通信端末装置５２ａと５２ｂとは、実施の形態１において説明したＷｉ−Ｆｉ方式及びＷｉＧｉｇ方式のうちのいずれかの通信方式を用いてデータ通信を行う。
【０１２９】
図２０に示す例では、無線通信端末装置５２ａは、アクセスポイント装置１Ａ、１Ｂ又は１Ｃとの間で無線接続を確立し、無線接続を確立したアクセスポイント装置を介してバックボーンネットワークに接続する。また、無線通信端末装置５２ｂは、アクセスポイント装置１Ａ又は１Ｄとの間で無線接続を確立し、無線接続を確立したアクセスポイント装置を介してバックボーンネットワークに接続する。
【０１３０】
＜無線通信端末装置５２ａ及び５２ｂの構成＞
図２１は、図２０の無線通信端末装置５２ａ，５２ｂの各構成を示すブロック図である。なお、無線通信端末装置５２ａと５２ｂとは、図２１に示すように同一の機能及び構成を有する。従って、図２１を参照して無線通信端末装置５２ａの機能及び構成のみを説明する。無線通信端末装置５２ａは、Ｗｉ−Ｆｉ通信インタフェース３と、ＷｉＧｉｇ通信インタフェース４と、接続制御部５と、接続情報設定部６と、Ｗｉ−Ｆｉプロトコル処理部８を備えたＷｉ−Ｆｉ接続制御部７と、ＷｉＧｉｇ接続制御部５９と、Ｗｉ−Ｆｉ接続リスト情報管理部１４Ａとを備えて構成される。さらに、ＷｉＧｉｇ接続制御部５９は、ＷｉＧｉｇプロトコル処理部１０と、マジック値付加部６１と、マジック値計算部６２と、マジック値判断部６３とを備えて構成される。
【０１３１】
Ｗｉ−Ｆｉ接続制御部７、Ｗｉ−Ｆｉプロトコル処理部８、ＷｉＧｉｇ接続制御部５９、ＷｉＧｉｇプロトコル処理部１０、マジック値付加部６１、マジック値計算部６２及びマジック値判断部６３の各機能は、当該各機能に対応するアプリケーションソフトウェアのプログラムをＣＰＵ又はＤＳＰが実行することにより、又は当該各機能に対応する演算を実行するＦＰＧＡなどのハードウェアロジック回路を設けることにより実現される。また、接続情報設定部６は、情報を記録及び保持するためメモリ又はハードディスクなどのハードウェア装置により実現される。なお、無線通信端末装置５２ａ及び５２ｂの各部５〜８、１０、６１〜６３のうちの任意の構成要素をハードウェアで実現してよい。
【０１３２】
図２１において、Ｗｉ−Ｆｉ通信インタフェース３と、ＷｉＧｉｇ通信インタフェース４と、接続制御部５と、接続情報設定部６と、ＷｉＧｉｇプロトコル処理部１０とは、実施の形態１に係る無線通信端末装置２ａ，２ｂのＷｉ−Ｆｉ通信インタフェース３と、ＷｉＧｉｇ通信インタフェース４と、接続制御部５と、接続情報設定部６と、ＷｉＧｉｇプロトコル処理部１０とそれぞれ同様に構成されるので、説明を省略する。
【０１３３】
本実施の形態において、無線通信端末装置５２ａのＷｉ−Ｆｉ接続制御部７は、例えば図２０のアクセスポイント装置１Ａ〜１Ｄのうちのいずれかのアクセスポイント装置との間でＷｉ−Ｆｉ方式での無線接続を確立するとき、Ｗｉ−Ｆｉ方式での無線接続を確立するための認証情報及びＢＳＳＩＤを当該アクセスポイント装置からＷｉ−Ｆｉ通信インタフェース３及び接続制御部５を介して受信し、Ｗｉ−Ｆｉ接続リスト情報管理部１４Ａ及び接続情報設定部６に格納する。このとき、Ｗｉ−Ｆｉ接続制御部７は、Ｗｉ−Ｆｉ接続リスト情報管理部１４Ａにすでに認証情報及びＢＳＳＩＤが格納されているときは、格納されている認証情報及びＢＳＳＩＤを消去せずに、新たな認証情報及びＢＳＳＩＤを追加して格納する。
【０１３４】
Ｗｉ−Ｆｉ接続リスト情報管理部１４Ａは、無線通信端末装置５２ａがこれまでにＷｉ−Ｆｉ方式で無線接続を確立したときの認証情報及び識別情報の組を、リストデータとして格納する。Ｗｉ−Ｆｉ接続リスト情報管理部１４Ａは、例えば、ＣＰＵなどからアクセスできるメモリ装置を用いて実現できる。無線通信端末装置５２ａへの電源供給がなくなった場合でもリストデータを保持する場合は、メモリ装置として不揮発性記憶型の記憶装置を用いることが好ましい。一方、無線通信端末装置５２ａへの電源供給がなくなった場合にリストデータが消去されても良い場合は、メモリ装置として揮発性の記憶装置を用いることができる。
【０１３５】
マジック値付加部６１は、詳細後述するマジック値を、詳細後述するグループオーナーネゴシエーション要求フレーム１００Ａ及びグループオーナーネゴシエーション応答フレーム２００Ａにセットする。また、マジック値計算部６２は、Ｗｉ−Ｆｉ接続リスト情報管理部１４Ａに格納されている認証情報を一意に識別するマジック値を計算する。さらに、マジック値判断部６３は、詳細後述するように、無線通信端末装置５２ａのＷｉ−Ｆｉ接続リスト情報管理部１４Ａに格納されている各認証情報に対応するマジック値を、ＷｉＧｉｇ方式でデータ通信を行う無線通信端末装置から受信したグループオーナーネゴシエーション応答フレーム２００Ａに含まれるマジック値と比較する。そして、Ｗｉ−Ｆｉ接続リスト情報管理部１４Ａに格納されている各認証情報に対応するマジック値のうちの少なくとも１つが、受信したグループオーナーネゴシエーション応答フレーム２００Ａに含まれるマジック値のうちの少なくとも１つに一致するか否かを判断する。
【０１３６】
図２２は、図２１の無線通信端末装置５２ａのＷｉ−Ｆｉ接続リスト情報管理部１４Ａに格納される認証情報識別子、認証情報及びＢＳＳＩＤと、図２１の無線通信端末装置５２ａのマジック値計算部６２よって計算されるマジック値とのリストの一例を示すテーブルである。また、図２３は、図２１の無線通信端末装置５２ｂのＷｉ−Ｆｉ接続リスト情報管理部１４Ａに格納される認証情報識別子、認証情報及びＢＳＳＩＤと、図２１の無線通信端末装置５２ｂのマジック値計算部６２よって計算されるマジック値とのリストの一例を示すテーブルである。
【０１３７】
図２２の例では、無線通信端末装置５２ａのＷｉ−Ｆｉ接続リスト情報管理部１４Ａには３つの認証情報が格納されている。なお、本実施の形態において、認証情報は、上記各実施の形態と同様に、アクセスポイント装置の識別子であるＳＳＩＤと、データを暗号化するための暗号方式と、暗号鍵を配送する鍵配送処理（鍵交換処理ともいう。）で配送される暗号鍵情報とを含む。また、各認証情報に対して、認証情報を無線通信端末装置５２ａにおいて識別するための認証情報識別子が割り当てられている。マジック値計算部６２は、認証情報に基づいて、認証情報に固有のマジック値を計算する。図２２の例では、認証情報識別子「１」、「２」及び「３」がそれぞれ割り当てられた認証情報は、図２０のアクセスポイント装置１Ａ、１Ｂ及び１Ｃに対応している。
【０１３８】
また、図２３の例では、無線通信端末装置５２ｂのＷｉ−Ｆｉ接続リスト情報管理部１４Ａには２つの認証情報が格納されている。また、認証情報識別子「１」及び「２」がそれぞれ割り当てられた認証情報は、図２０のアクセスポイント装置１Ｄ及び１Ｂに対応している。無線通信端末装置５２ａ及び５２のマジック値計算部６２は同一の計算方法でマジック値を計算するので、図２２の認証情報識別子「２」に対応する認証情報のマジック値は、図２の認証情報識別子「２」に対応する認証情報のマジック値と一致する。
【０１３９】
図２４は、図２１のＷｉ−Ｆｉ接続リスト情報管理部１４Ａへの認証情報の格納方法を示すフォーマット図である。図２４に示すように、ＳＳＩＤ、暗号方式、認証方式及び鍵情報の各データは、それぞれ４バイト、２バイト、２バイト、及び８バイトの各記憶領域に格納される。なお、各データのデータ長が、割り当てられた記憶領域のサイズより小さいときは、当該記憶領域は「０」などの所定のデータでパディングされる。
【０１４０】
図２４において、暗号方式は、暗号方式を識別する数値データに変換されてＷｉ−Ｆｉ接続リスト情報管理部１４Ａに格納される。例えば、暗号化なしの場合は０に変換され、ＷＥＰは１に変換され、ＴＫＩＰは２に変換され、ＡＥＳは３に変換される。また、認証方式も、認証方式を識別する数値データに変換されてＷｉ−Ｆｉ接続リスト情報管理部１４Ａに格納される。例えば、オープン方式は０に変換され、オープン共有方式（Ｏｐｅｎ−Ｓｈａｒｅ）は１に変換され、共有方式（Ｓｈａｒｅｄ）は２に変換され、ＷＥＰ−ＰＳＫは３に変換され、ＷＰＡ２−ＰＳＫは４に変換される。
【０１４１】
＜データ通信のための通信方式をＷｉ−Ｆｉ方式からＷｉＧｉｇ方式に切替えるための処理＞
図２０の無線通信システムにおいて、無線通信端末装置５２ａと５２ｂとの間でデータ通信を行うための通信方式をＷｉ−Ｆｉ方式からＷｉＧｉｇ方式に切替えることを、無線通信端末装置５２ａが無線通信端末装置５２ｂに対して要求するときに、図２１の無線通信端末装置５２ａのＷｉＧｉｇ接続制御部５９によって実行される通信方式切替要求処理を図２５Ａ及び図２５Ｂを参照して説明し、図２１の無線通信端末装置５２ｂのＷｉＧｉｇ接続制御部５９によって実行される通信方式切替応答処理を図２６Ａ及び図２６Ｂを参照して説明する。なお、図２５Ａ及び図２５Ｂの通信方式切替要求処理と、図２６Ａ及び２６Ｂの通信方式切替応答処理とは、Ｗｉ−Ｆｉアライアンスによって策定されたＷｉ−Ｆｉダイレクトに準拠した通信プロトコルを用いて実行される。
【０１４２】
図２５Ａ及び図２５Ｂは、図２１の無線通信端末装置５２ａのＷｉＧｉｇ接続制御部５９によって実行される通信方式切替要求処理を示すフローチャートである。図２５ＡのステップＳ１〜Ｓ３の処理は、図４ＡのステップＳ１〜Ｓ３の処理と同様であるので、説明を省略する。図２５ＡのステップＳ３においてＹＥＳのときはステップＳ６１に進む。ステップＳ６１において、マジック値計算部６２は、Ｗｉ−Ｆｉ接続リスト情報管理部１４Ａに格納されている各認証情報のマジック値を計算して、Ｗｉ−Ｆｉ接続リスト情報管理部１４Ａに格納する。
【０１４３】
次に、ステップＳ６２において、マジック値付加部６１が、無線通信端末装置５２ａのＷｉ−Ｆｉ接続リスト情報管理部１４Ａに格納されている認証情報識別子及びマジック値のリストを含むグループオーナーネゴシエーション要求フレーム１００Ａを、接続情報制御部５とＷｉＧｉｇ通信インタフェース４とを介して無線通信端末装置５２ｂに送信する。具体的には、マジック値付加部６１は、ＷｉＧｉｇプロトコル処理部１０によって生成されたグループオーナーネゴシエーション要求フレーム１００Ａのネットワーク識別情報フィールドＦ６に、Ｗｉ−Ｆｉ接続リスト情報管理部１４Ａに格納されている認証情報識別子及びマジック値のリストをセットする。なお、グループオーナーネゴシエーション要求フレーム１００Ａのフォーマットは詳細後述する。
【０１４４】
詳細後述するように、無線通信端末装置５２ｂは、グループオーナーネゴシエーション要求フレーム１００Ａに応答して、グループオーナーネゴシエーション応答フレーム２００Ａを無線通信端末装置５２ａに送信する。グループオーナーネゴシエーション応答フレーム２００Ａは、無線通信端末装置５２ａのＷｉ−Ｆｉ接続リスト情報管理部１４Ａに格納されている認証情報識別子及びマジック値のリストを含む。
【０１４５】
ステップＳ６２に続いてステップＳ６３において、マジック値判断部６３は、無線通信端末装置５２ｂから、ＷｉＧｉｇ通信インタフェース４と、接続制御部５とを介して、グループオーナーネゴシエーション応答フレーム２００Ａを受信する。次に、図２５ＢのステップＳ６４において、マジック値判断部６３は、Ｗｉ−Ｆｉ接続リスト情報管理部１４Ａに格納されているマジック値のうちの少なくとも１つが、グループオーナーネゴシエーション応答フレーム２００Ａに含まれているマジック値のうちの少なくとも１つに一致するか否かを判断する。そして、ステップＳ６４においてＹＥＳのときはステップＳ６５に進む一方、ＮＯのときはステップＳ６８に進む。ここで、無線通信端末装置５２ａと５２ｂとが共通のアクセスポイント装置にＷｉ−Ｆｉ方式で接続されたことがあるとき、ステップＳ６４においてＹＥＳと判断される。
【０１４６】
ステップＳ６５において、マジック値判断部６３が、Ｗｉ−Ｆｉ接続リスト情報管理部１４Ａに格納されているマジック値のうち、グループオーナーネゴシエーション応答フレーム２００Ａに含まれているマジック値と一致する少なくとも１つのマジック値から、１つのマジック値を選択する。具体的には、マジック値判断部６３は、最小の認証情報識別子に対応する認証情報のマジック値を選択する。なお、マジック値判断部６３は、最大の通信速度を実現できる認証情報のマジック値を選択してもよい。
【０１４７】
次に、ステップＳ６６において、ＷｉＧｉｇプロトコル処理部１０は、詳細後述するグループオーナーネゴシエーション確認フレーム３００Ａの比較結果フィールドＦ８に、選択されたマジック値の、無線通信端末装置５２ｂにおける認証情報識別子をセットして、グループオーナーネゴシエーション確認フレーム３００Ａを、接続制御部５とＷｉＧｉｇ通信インタフェース４とを介して無線通信端末装置５２ｂに送信する。なお、グループオーナーネゴシエーション確認フレーム３００Ａのフォーマットは詳細後述する。
【０１４８】
次に、ステップＳ６７において、ＷｉＧｉｇプロトコル処理部１０は、選択されたマジック値に対応する認証情報を用いて、無線通信端末装置５２ｂとの間で認証処理及び鍵配送処理を実行し、通信方式切替要求処理を終了する。ステップＳ６７の処理は、図４ＢのステップＳ１０の処理と同様である。
【０１４９】
一方、ステップＳ６８において、ＷｉＧｉｇプロトコル処理部１０は、詳細後述するグループオーナーネゴシエーション確認フレーム３００Ａの比較結果フィールドＦ８に０をセットして、グループオーナーネゴシエーション確認フレーム３００Ａを、接続制御部５とＷｉＧｉｇ通信インタフェース４とを介して無線通信端末装置５２ｂに送信する。
【０１５０】
次に、ステップＳ１２Ａにおいて、ＷｉＧｉｇプロトコル処理部１０は、無線通信端末装置５２ｂとの間で、ＷＰＳに準拠した認証情報取得情報処理を実行する。このとき、無線通信端末装置５２ａのＷｉＧｉｇ接続制御部５９は、ＷＰＳにおけるレジストラ装置として動作する無線通信端末装置５２ｂから認証情報を取得する。ステップＳ１２Ａの処理は、図４ＢのステップＳ１２の処理と同様である。次に、認証情報取得処理が正常に終了すると、ステップＳ１３Ａにおいて、ＷｉＧｉｇプロトコル処理部１０は、認証情報取得処理によって取得された認証情報を用いて、無線通信端末装置５２ｂとの間で認証処理及び鍵配送処理を実行し、通信方式切替要求処理を終了する。ステップＳ１３Ａの処理は、図４ＢのステップＳ１３の処理と同様である。
【０１５１】
図２６Ａ及び図２６Ｂは、図２１の無線通信端末装置５２ｂのＷｉＧｉｇ接続制御部５９によって実行される通信方式切替応答処理を示すフローチャートである。図２６ＡのステップＳ２１及びＳ２２の処理は、図５ＡのステップＳ２１及びＳ２２の処理と同様であるので説明を省略する。図２６Ａにおいて、ステップＳ２２においてＹＥＳのときはステップＳ７１に進む。ステップＳ７１において、ＷｉＧｉｇプロトコル処理部１０は、グループオーナーネゴシエーション要求フレーム１００Ａを、無線通信端末装置５２ａから受信する。次に、ステップＳ７２において、マジック値計算部６２は、Ｗｉ−Ｆｉ接続リスト情報管理部１４Ａに格納されている各認証情報のマジック値を計算して、Ｗｉ−Ｆｉ接続リスト情報管理部１４Ａに格納する。
【０１５２】
次に、ステップＳ７３において、マジック値付加部６１は、無線通信端末装置５２ｂのＷｉ−Ｆｉ接続リスト情報管理部１４Ａに格納されている認証情報識別子及びマジック値のリストを含むグループオーナーネゴシエーション応答フレーム２００Ａを、接続情報制御部５とＷｉＧｉｇ通信インタフェース４とを介して無線通信端末装置５２ｂに送信する。具体的には、マジック値付加部６１は、ＷｉＧｉｇプロトコル処理部１０によって生成されたグループオーナーネゴシエーション応答フレーム２００Ａのネットワーク識別情報フィールドＦ６に、Ｗｉ−Ｆｉ接続リスト情報管理部１４に格納されている認証情報識別子及びマジック値のリストをセットする。なお、グループオーナーネゴシエーション応答フレーム２００Ａのフォーマットは詳細後述する。
【０１５３】
次に、ステップＳ７４において、ＷｉＧｉｇプロトコル処理部１０は、グループオーナーネゴシエーション確認フレーム３００Ａを、無線通信端末装置５２ａから受信する。次に、ステップＳ７６において、ＷｉＧｉｇプロトコル処理部１０は、Ｗｉ−Ｆｉ接続リスト情報管理部１４Ａに格納されている認証情報のうち、グループオーナーネゴシエーション確認フレーム３００Ａに含まれている認証情報識別子に対応する認証情報を用いて、無線通信端末装置５２ａとの間で認証処理及び鍵配送処理を実行し、通信方式切替応答処理を終了するこのとき、ＷｉＧｉｇ接続制御部５９は、Ｗｉ−Ｆｉ方式で無線接続確立したときの認証情報をそのまま用いて、無線通信端末装置５２ｂをグループオーナー装置として動作させ、無線通信端末装置５２ａからの接続要求を受け入れる。
【０１５４】
一方、ステップＳ３２Ａにおいて、ＷｉＧｉｇプロトコル処理部１０は、無線通信端末装置５２ａとの間で、ＷＰＳに準拠した認証情報取得処理を実行する。これにより、ＷｉＧｉｇ接続制御部５９は、ＷＰＳにおけるクライアント装置として動作する無線通信端末装置５２ａに、無線通信端末装置５２ｂに予め設定されている認証情報を送信する。次に、ステップＳ３３Ａにおいて、ＷｉＧｉｇプロトコル処理部１０は、無線通信端末装置５２ｂに予め設定されている認証情報を用いて、無線通信端末装置５２ａとの間で認証処理及び鍵配送処理を実行し、通信方式切替応答処理を終了する。
【０１５５】
＜グループオーナーネゴシエーション要求フレーム１００Ａのフォーマット＞
図２７は、図２５ＡのステップＳ６２において送信されるグループオーナーネゴシエーション要求フレーム１００Ａのフォーマットを示すフォーマット図である。グループオーナーネゴシエーション要求フレーム１００Ａは、実施の形態１に係るグループオーナーネゴシエーション要求フレーム１００に比較して、ネットワーク識別情報フィールドＦ１に代えて、ネットワーク識別情報フィールドＦ６を備えた点が異なり、それ以外の部分はグループオーナーネゴシエーション要求フレーム１００と同一である。
【０１５６】
図２８は、図２７のネットワーク識別情報フィールドＦ６のフォーマットを示すテーブルである。図２８において、ネットワーク識別情報フィールドＦ６は、ＩＤフィールドと、長さフィールドと、個数フィールドと、少なくとも１組のインデックスフィールドとマジックフィールドとを含む。ここで、ＩＤフィールドには、ネットワーク識別情報フィールドＦ６の識別子である２２がセットされる。また、長さフィールドには、個数フィールドと、インデックスフィールドと、マジックフィールドとの総データ長（６バイト）がセットされる。なお、個数フィールドと、少なくとも１組のインデックスフィールドとマジックフィールドとを認証情報リストという。
【０１５７】
また、個数フィールドには、後続のインデックスフィールドとマジックフィールドとのペアの数がセットされる。図２８の例では、個数フィールドには３がセットされ、３組のインデックスフィールドとマジックフィールドが設けられている。各インデックスフィールドには、無線通信端末装置５２ａにおける認証情報識別子が昇順でセットされ、各マジックフィールドには、認証情報識別子に対応するマジック値がセットされる。
【０１５８】
以上説明したように、グループオーナーネゴシエーション要求フレーム１００Ａは、無線通信端末装置５２ａが過去に接続したアクセスポイント装置に対応する認証情報の認証情報識別子とマジック値とを含む。
【０１５９】
＜グループオーナーネゴシエーション応答フレーム２００Ａのフォーマット＞
図２９は、図２６ＡのステップＳ７３において送信されるグループオーナーネゴシエーション応答フレーム２００Ａのフォーマットを示すフォーマット図である。グループオーナーネゴシエーション応答フレーム２００Ａは、実施の形態１に係るグループオーナーネゴシエーション応答フレーム２００に比較して、ネットワーク識別情報フィールドＦ２に代えて、ネットワーク識別情報フィールドＦ７を備えた点が異なり、それ以外の部分はグループオーナーネゴシエーション応答フレーム２００と同一である。
【０１６０】
図３０は、図２９のネットワーク識別情報フィールドＦ７のフォーマットを示すテーブルである。図３０に示すように、ネットワーク識別情報フィールドＦ７は、ネットワーク識別情報フィールドＦ６と同様に構成される。図３０の例では、個数フィールドには２がセットされ、２組のインデックスフィールドとマジックフィールドが設けられている。各インデックスフィールドには、無線通信端末装置５２ｂにおける認証情報識別子が昇順でセットされ、各マジックフィールドには、認証情報識別子に対応するマジック値がセットされる。
【０１６１】
以上説明したように、グループオーナーネゴシエーション応答フレーム２００Ａは、無線通信端末装置５２ｂが過去に接続したアクセスポイント装置に対応する認証情報の認証情報識別子とマジック値とを含む。
【０１６２】
図３１は、図２５ＢのステップＳ６６及びＳ６８において送信されるグループオーナーネゴシエーション確認フレーム３００Ａのフォーマットを示すフォーマット図である。グループオーナーネゴシエーション確認フレーム３００Ａは、実施の形態１に係るグループオーナーネゴシエーション確認フレーム３００に比較して、比較結果フィールドＦ３に代えて、比較結果フィールドＦ８を備えた点が異なり、それ以外の部分はグループオーナーネゴシエーション確認フレーム３００と同一である。
【０１６３】
図３２は、図３１の比較結果フィールドＦ８のフォーマットを示すテーブルである。図３２において、比較結果フィールドＦ８は、ＩＤフィールドと、長さフィールドと、比較結果フィールドとを含む。ここで、ＩＤフィールドには、比較結果フィールドＦ８の識別子である２２がセットされる。また、長さフィールドには、比較結果フィールドのデータ長がセットされる。さらに、比較結果フィールドには、マジック値が一致した認証情報の無線通信端末装置５２ｂにおける認証情報識別子がセットされる。
【０１６４】
＜無線通信システムの動作例＞
図３３は、図２０の無線通信システムの動作の一例を示すタイミングチャートである。図３３のタイミングチャートは、図１２のタイミングチャートのステップＳ４０３〜Ｓ４０６をステップＳ４０３Ａ〜Ｓ４０６Ａに置き換えたものである。その他の処理は、図１２の処理と同様であるので説明を省略する。
【０１６５】
無線通信端末装置５２ａは、プローブ応答フレームを受信すると、ステップＳ４０３Ａにおいて、無線通信端末装置５２ａがこれまでにＷｉ−Ｆｉ方式で無線接続を確立したときの認証情報（例えば、図２２参照）の認証情報識別子及びマジック値を含むグループオーナーネゴシエーション要求フレーム１００Ａを、無線通信端末装置５２ｂに送信する。これに応答して、無線通信端末装置５２ｂは、ステップＳ４０４Ａにおいて、無線通信端末装置５２ｂがこれまでにＷｉ−Ｆｉ方式で無線接続を確立したときの認証情報（例えば、図２３参照）の認証情報識別子及びマジック値を含むグループオーナーネゴシエーション応答フレーム２００Ａを、無線通信端末装置５２ａに送信する。
【０１６６】
次に、ステップＳ４０４Ａにおいて、無線通信端末装置５２ａは、無線通信端末装置５２ａのＷｉ−Ｆｉ接続リスト情報管理部１４Ａに格納されているマジック値のうちの少なくとも１つが、グループオーナーネゴシエーション応答フレーム２００Ａに含まれているマジック値のうちの少なくとも１つに一致するか否かを判断する。さらに、無線通信端末装置５２ａは、Ｗｉ−Ｆｉ接続リスト情報管理部１４Ａに格納されているマジック値のうち、グループオーナーネゴシエーション応答フレーム２００Ａに含まれているマジック値と一致する少なくとも１つのマジック値から、１つのマジック値を選択する。そして、無線通信端末装置５２ａは、選択されたマジック値の無線通信端末装置５２ｂにおける認証情報識別子又は一致するマジック値の組み合わせがなかったことを示すデータを含むグループオーナーネゴシエーション確認フレーム３００Ａを無線通信端末装置５２ｂに送信する。
【０１６７】
本実施の形態によれば、ＷｉＧｉｇ方式での無線接続を確立するとき、必ずしもＷｉ−Ｆｉ方式での無線通信が確立している必要はない。無線通信端末装置５２ａ及び５２ｂは、それまでにＷｉ−Ｆｉ方式での無線通信が確立したときの認証情報を各Ｗｉ−Ｆｉ接続リスト情報管理部１４Ａに格納しておく。そして、無線通信端末装置５２ａがＷｉ−Ｆｉ方式で無線接続を確立したときの認証情報のうちの少なくとも１つが、無線通信端末装置５２ｂがＷｉ−Ｆｉ方式で無線接続を確立したときの認証情報と一致するとき、一致した認証情報をそのまま、無線通信端末装置５２ａと５２ｂとの間で、ＷｉＧｉｇ方式での無線接続を確立するための認証処理及び鍵配送処理に用いる。従って、無線通信端末装置５２ａ及び５２ｂは、ＷｉＧｉｇ方式での無線通信を開始する前に、比較的データの処理量が大きいＷＰＳなどの認証情報取得処理及び暗号化方式を整合させるための処理を実行する必要がない。このため、無線通信端末装置５２ａと５２ｂとの間で通信を行うための通信方式をＷｉＧｉｇ方式に切替えた後も、切替え前と同様に情報の安全性及び秘匿性を保持したまま、従来技術に比較して通信方式を迅速に切替えることができる。
【０１６８】
すなわち、本実施の形態によれば、ＷｉＧｉｇ方式での無線通信を行うときに、Ｗｉ−Ｆｉ方式での無線通信を行ったときと同程度に、安全性を保つことができる。また、ＷｉＧｉｇ方式での無線接続を確立するための認証処理及び鍵配送処理における処理量を従来技術に比較して削減して簡略化できるので、ＷｉＧｉｇ方式での無線接続を、従来技術に比較して高速に確立できる。
【０１６９】
また、本実施の形態によれば、無線通信端末装置５２ａ及び５２ｂは、それまでにＷｉ−Ｆｉ方式での無線通信が確立したときの少なくとも１つの認証情報を各Ｗｉ−Ｆｉ接続リスト情報管理部１４Ａに格納しておく。従って、無線通信端末装置５２ａと５２ｂとの間でＷｉＧｉｇ方式での無線接続を確立するとき、各Ｗｉ−Ｆｉ接続リスト情報管理部１４Ａに格納されている認証情報の数が多いほど、図２５Ｂのステップ６４においてＹＥＳと判断される可能性が高くなる。この結果、Ｗｉ−Ｆｉ方式での無線接続に用いた認証情報を用いることができる可能性が高くなる。従って、ユーザに認証情報取得のための操作を要求することなく、ＷｉＧｉｇ方式での通信を実施の形態１及び２に比較して迅速に確立できる。
【０１７０】
（実施の形態４）
実施の形態３では、図２５Ａ及び図２５Ｂの通信方式切替要求処理と、図２６Ａ及び図２６Ｂの通信方式切替応答処理とを、Ｗｉ−Ｆｉダイレクトに準拠した通信プロトコルを用いて実行した。これに対して、本実施の形態では、図２０の無線通信システムにおいて、図３４Ａ及び図３４Ｂの通信方式切替要求処理と、図３５Ａ及び図３５Ｂの通信方式切替応答処理とを、ＷｉＧｉｇに準拠した通信プロトコルを用いて実行する。また、本実施の形態において、ＷｉＧｉｇ方式の無線通信では、無線通信端末装置５２ａはＷＰＳにおけるクライアント装置として動作し、無線通信端末装置５２ｂは、アクセスポイント装置として動作する。本実施の形態において、無線通信端末装置５２ａ及び５２ｂは、実施の形態３に係る無線通信端末装置５２ａ及び５２ｂと同様に構成される。以下、実施の形態３との間の相違点のみを説明する。
【０１７１】
＜データ通信のための通信方式をＷｉ−Ｆｉ方式からＷｉＧｉｇ方式に切替えるための処理＞
図２０の無線通信システムにおいて、無線通信端末装置５２ａと５２ｂとの間でデータ通信を行うための通信方式をＷｉ−Ｆｉ方式からＷｉＧｉｇ方式に切替えることを、無線通信端末装置５２ａが無線通信端末装置５２ｂに対して要求するときに、図２１の無線通信端末装置５２ａのＷｉＧｉｇ接続制御部５９によって実行される通信方式切替要求処理を図３４Ａ及び図３４Ｂを参照して説明し、図２１の無線通信端末装置５２ｂのＷｉＧｉｇ接続制御部５９によって実行される通信方式切替応答処理を図３５Ａ及び図３５Ｂを参照して説明する。なお、図３４Ａ及び図３４Ｂにおいて、図１３Ａ、図１３Ｂ、図２５Ａ又は図２５Ｂにおける処理と同一の処理には、同一のステップ番号を付し、詳細説明を省略する。また、図３５Ａ及び３５Ｂにおいて、図１４Ａ、図１４Ｂ、図２６Ａ又は図２６Ｂにおける処理と同一の処理には、同一のステップ番号を付し、詳細説明を省略する。
【０１７２】
図３４ＡのステップＳ１において、ＷｉＧｉｇ接続制御部５９は、無線通信端末装置５２ｂとの間でデータ通信を行うための通信方式をＷｉＧｉｇ方式に切替えることを指示する切替指示信号を受信したか否かを判断する。ステップＳ１においてＹＥＳのときはステップＳ４１に進む一方、ＮＯのときはステップＳ１の処理を繰り返して実行する。
【０１７３】
ステップＳ４１において、ＷｉＧｉｇプロトコル処理部１０は、ＷｉＧｉｇ方式での無線通信が可能な無線通信端末装置を探索できたか否かを判断する。そして、ステップＳ４１においてＹＥＳのときはステップＳ６１に進む一方、ＮＯのときは通信方式切替要求処理を終了する。ステップＳ６１において、マジック値計算部６２は、Ｗｉ−Ｆｉ接続リスト情報管理部１４Ａに格納されている各認証情報のマジック値を計算して、Ｗｉ−Ｆｉ接続リスト情報管理部１４Ａに格納する。
【０１７４】
次に、ステップＳ８２において、マジック値付加部６１が、無線通信端末装置５２ａのＷｉ−Ｆｉ接続リスト情報管理部１４Ａに格納されている認証情報識別子及びマジック値のリストを含むプローブ要求フレーム４００Ａを、接続情報制御部５とＷｉＧｉｇ通信インタフェース４とを介して無線通信端末装置５２ｂに送信する。具体的には、マジック値付加部６１は、ＷｉＧｉｇプロトコル処理部１０によって生成されたプローブ要求フレームのネットワーク識別情報フィールドＦ９に、Ｗｉ−Ｆｉ接続リスト情報管理部１４Ａに格納されている認証情報識別子及びマジック値のリストをセットする。なお、プローブ要求フレーム４００Ａのフォーマットは詳細後述する。
【０１７５】
詳細後述するように、無線通信端末装置５２ｂは、プローブ要求フレーム４００Ａに応答して、プローブ応答フレーム５００Ａを無線通信端末装置５２ａに送信する。プローブ応答フレーム５００Ａは、無線通信端末装置５２ａのＷｉ−Ｆｉ接続リスト情報管理部１４Ａに格納されている認証情報識別子及びマジック値のリストを含む。
【０１７６】
ステップＳ８２に続いてステップＳ８３において、マジック値判断部６３は、無線通信端末装置５２ｂから、ＷｉＧｉｇ通信インタフェース４と、接続制御部５とを介して、プローブ応答フレーム５００Ａを受信する。次に、ステップＳ８４において、マジック値判断部６３は、Ｗｉ−Ｆｉ接続リスト情報管理部１４Ａに格納されているマジック値のうちの少なくとも１つが、プローブ応答フレーム５００Ａに含まれているマジック値のうちの少なくとも１つに一致するか否かを判断する。そして、ステップＳ８４においてＹＥＳのときは図３４ＢのステップＳ８５に進む一方、ＮＯのときはステップＳ１２Ａに進む。ここで、無線通信端末装置５２ａと５２ｂとが共通のアクセスポイント装置にＷｉ−Ｆｉ方式で接続されたことがあるとき、ステップＳ８４においてＹＥＳと判断される。なお、ステップＳ１２Ａ以降の処理は、図２５ＢのステップＳ１２Ａ以降の処理と同一であるので、説明を省略する。
【０１７７】
ステップＳ８５において、マジック値判断部６３が、Ｗｉ−Ｆｉ接続リスト情報管理部１４Ａに格納されているマジック値のうち、プローブ応答フレーム５００Ａに含まれているマジック値と一致する少なくとも１つのマジック値から、１つのマジック値を選択する。具体的には、マジック値判断部６３は、最小の認証情報識別子に対応する認証情報のマジック値を選択する。なお、マジック値判断部６３は、最大の通信速度を実現できる認証情報のマジック値を選択してもよい。次に、ステップＳ６７において、ＷｉＧｉｇプロトコル処理部１０は、選択されたマジック値に対応する認証情報を用いて、無線通信端末装置５２ｂとの間で認証処理及び鍵配送処理を実行し、通信方式切替要求処理を終了する。ステップＳ６７の処理は、図４ＢのステップＳ１０の処理と同様である。
【０１７８】
なお、実施の形態２と比較して本実施の形態では、図１４ＡのステップＳ２５の判断処理を実行する必要はない。これは、本実施の形態では、実施の形態３と同様に、ＷｉＧｉｇ方式で無線接続を確立するときに、Ｗｉ−Ｆｉ方式での無線接続が確立されている必要がないからである。本実施の形態では、過去に既にＷｉ−Ｆｉ方式での無線接続が確立し、当該確立したときの認証情報がＷｉ−Ｆｉ接続リスト情報管理部１４Ａに格納されていればよい。
【０１７９】
図３５Ａ及び図３５Ｂは、図２１の無線通信端末装置５２ｂのＷｉＧｉｇ接続制御部５９によって実行される通信方式切替応答処理を示すフローチャートである。図３５ＡのステップＳ２１及びＳ５１における処理は、図１４ＡのステップＳ２１及びＳ５１における処理と同様であるので、説明を省略する。図３５ＡのステップＳ５１においてＹＥＳのときはステップＳ９１に進む。ステップＳ９１において、ＷｉＧｉｇプロトコル処理部１０は、プローブ要求フレーム４００Ａを無線通信端末装置５２ａから受信する。続いて、ステップＳ６１において、マジック値計算部６２は、Ｗｉ−Ｆｉ接続リスト情報管理部１４Ａに格納されている各認証情報のマジック値を計算して、Ｗｉ−Ｆｉ接続リスト情報管理部１４Ａに格納する。
【０１８０】
さらに、ステップＳ９３において、マジック値付加部６１が、無線通信端末装置５２ｂのＷｉ−Ｆｉ接続リスト情報管理部１４Ａに格納されている認証情報識別子及びマジック値のリストを含むプローブ応答フレーム５００Ａを、接続情報制御部５とＷｉＧｉｇ通信インタフェース４とを介して無線通信端末装置５２ａに送信する。具体的には、マジック値付加部６１は、ＷｉＧｉｇプロトコル処理部１０によって生成されたプローブ応答フレーム５００Ａのネットワーク識別情報フィールドＦ１０に、Ｗｉ−Ｆｉ接続リスト情報管理部１４Ａに格納されている認証情報識別子及びマジック値のリストをセットする。なお、プローブ応答フレーム５００Ａのフォーマットは詳細後述する。
【０１８１】
次に、ステップＳ９４において、マジック値判断部６３は、無線通信端末装置５２ａのＷｉ−Ｆｉ接続リスト情報管理部１４Ａに格納されているマジック値のうちの少なくとも１つが、プローブ要求フレーム４００Ａに含まれているマジック値のうちの１つに一致するか否かを判断する。そして、ステップＳ９４においてＹＥＳのときは図３５ＢのステップＳ９５に進む一方、ＮＯのときは図３５ＢのステップＳ３２Ａに進む。なお、ステップＳ３２Ａ以降の処理は、図２６ＢのステップＳ３２Ａ以降の処理と同一であるので、説明を省略する。
【０１８２】
ステップＳ９５において、マジック値判断部６３が、Ｗｉ−Ｆｉ接続リスト情報管理部１４Ａに格納されているマジック値のうち、プローブ要求フレーム４００Ａに含まれているマジック値と一致する少なくとも一つのマジック値から、１つのマジック値を選択する。具体的には、マジック値判断部６３は、最小の認証情報識別子に対応する認証情報のマジック値を選択する。なお、マジック値判断部６３は、最大の通信速度を実現できる認証情報のマジック値を選択してもよい。次に、ステップＳ９６において、ＷｉＧｉｇプロトコル処理部１０は、選択されたマジック値に対応する認証情報を用いて、無線通信端末装置５２ａとの間で認証処理及び鍵配送処理を実行し、通信方式切替要求処理を終了する。
【０１８３】
＜プローブ要求フレーム４００Ａのフォーマット＞
図３６は、図３４ＡのステップＳ８２において送信されるプローブ要求フレーム４００Ａのフォーマットを示すフォーマット図である。図３６に示すように、プローブ要求フレーム４００Ａは、図１５のプローブ要求フレーム４００に比較して、ネットワーク識別情報フィールドＦ４に代えてネットワーク識別情報フィールドＦ９を備えた点のみが異なる。図３７は、図３６のネットワーク識別情報フィールドＦ９のフォーマットを示すテーブルである。図３７において、ネットワーク識別情報フィールドＦ９は、図２８のネットワーク識別情報フィールドＦ６と同様に構成される。
【０１８４】
＜プローブ応答フレーム５００Ａのフォーマット＞
図３８は、図３５ＡのステップＳ９３において送信されるプローブ応答フレーム５００Ａのフォーマットを示すテーブルである。図３８に示すように、プローブ応答フレーム５００Ａは、図１７のプローブ応答フレーム５００に比較して、ネットワーク識別情報フィールドＦ５に代えてネットワーク識別情報フィールドＦ１０を備えた点のみが異なる。図３９は、図３８のネットワーク識別情報フィールドＦ１０のフォーマットを示すテーブルである。図３９において、ネットワーク識別情報フィールドＦ１０は、図３０のネットワーク識別情報フィールドＦ７と同様に構成される。
【０１８５】
＜無線通信システムの動作例＞
図４０は、図２０の無線通信システムの実施の形態４に係る動作の一例を示すタイミングチャートである。図４０のタイミングチャートは、図２０のタイミングチャートのステップＳ１００２及びＳ１００３を、ステップＳ１００２Ａ及びＳ１００３Ａに置き換えたものである。以下、図２０との間の相違点のみを説明する。
【０１８６】
ステップＳ１００２Ａにおいて、無線通信端末装置５２ａは、プローブ要求フレーム４００Ａを、無線通信端末装置５２ｂに送信する。これに応答して、無線通信端末装置５２ｂは、ステップＳ１００３Ａにおいて、プローブ応答フレーム５００Ａを、無線通信端末装置５２ａに送信する。その後、無線通信端末装置５２ａは、無線通信端末装置５２ｂから返信されたプローブ応答フレームに含まれるマジック値を、無線通信端末装置５２ａのＷｉ−Ｆｉ接続リスト情報管理部１４Ａに格納されているマジック値と比較して一致するマジック値があるか否かを判断する。この結果、一致するマジック値がある場合は、そのマジック値に対応する認証情報を用いてステップＳ４０７及びステップＳ４０８のシーケンスを行うことにより、ＷｉＧｉｇ方式での無線接続を確立する。
【０１８７】
本実施の形態に係る無線通信システムは、実施の形態３に係る無線通信システムと同様の作用効果を有する。さらに、本実施の形態によれば、実施の形態３に比較して、グループオーナーネゴシエーション確認フレーム３００Ａに対応するフレームを送信する必要はない。従って、実施の形態３に比較して、データ通信のための通信方式を、Ｗｉ−Ｆｉ方式からＷｉＧｉｇ方式にさらに容易かつ迅速に切替えることができる。
【０１８８】
（他の実施の形態）
以上説明したように、本出願において開示する技術の例示として、上述した各実施の形態を説明した。しかしながら、本開示における技術はこれに限定されず、適宜、変更、置き換え、付加又は省略などを行った実施の形態にも適用可能である。また、上述した各実施の形態で説明した各構成要素を組み合わせて、新たな実施の形態とすることも可能である。そこで、以下、他の実施の形態を例示する。
【０１８９】
上記各実施の形態に係る無線通信システムは、２台の無線通信端末装置２ａ及び２ｂ又は２台の無線通信端末装置５２ａ及び５２ｂを備えて構成されたが、本開示はこれに限られない。無線通信システムは、３台以上の無線通信端末装置を備えて構成されてもよい。
【０１９０】
また、上記各実施の形態において、Ｗｉ−Ｆｉ方式及びＷｉＧｉｇ方式を例に挙げて本開示を説明したが、本開示はこれに限られない。本開示は、共通の認証情報を用いて認証処理を実行できる２つの通信方式に適用できる。このとき、２つの通信方式において用いる通信周波数帯及び変調方式のうちの少なくとも一方は、物理レベル又は論理レベルにおいて異なっていてもよい。
【０１９１】
さらに、上記各実施の形態において、無線通信端末装置２ｂ及び５２ｂがグループオーナー装置として動作したが、本開示はこれに限られない。無線通信端末装置２ａ及び５２ａがグループオーナー装置として動作してもよい。
【０１９２】
さらに、実施の形態３及び４において、認証情報はＳＳＩＤと、暗号方式と、認証方式と暗号鍵情報とを含んだが（図２参照。）、本開示がこれに限られない。認証情報は、スループットなどの通信特性等についての情報を含んでもよい。この場合、図２５ＢのステップＳ６５及び図３４ＢのステップＳ８５において、認証情報に含まれる通信性能の情報に基づいて、１つのマジック値を選択してもよい。これにより、ＷｉＧｉｇ方式での接続を新たに確立するとき、例えば通信の目的に応じて好適な認証情報を選択できる。
【０１９３】
なお、実施の形態３及び４では、無線通信端末装置５２ａ及び５２ｂがＷｉ−Ｆｉ方式での無線通信のための共通の認証情報を有しているか否かを、認証情報に対応するマジック値を用いて判断したが、本開示はこれに限られず、認証情報を識別する所定の値を用いて判断してもよい。なお、認証情報そのものを用いて、上述した判断のための処理を行うこともできる。しかしながら、この場合は無線通信端末装置５２ａと５２ｂとの間で交換する情報量が増え、認証情報をそのまま送受信するときに第三者によって認証情報が傍受された場合に情報の安全性が低下する。従って、認証情報そのものではなく、認証情報に対応する別の値に変換して用いることが好ましい。例えば、マジック値計算部６２は、認証情報を用いて計算したマジック値に対してＣＲＣ（Cyclic Redundancy Check）処理を施して、マジック値のデータ長を短くしてもよい。これにより、上述した実施の形態に比較して、少ない情報量及び高い安全性を確保しながら、上述した判断のための処理を実行できる。
【０１９４】
また、実施の形態３及び４では、Ｗｉ−Ｆｉ形式での無線通信で用いた認証情報を、すべてＷｉＧｉｇ形式での無線通信に用いたが、本開示はこれに限られず、Ｗｉ−Ｆｉ形式での無線通信で用いた認証情報の一部をＷｉＧｉｇ形式での無線通信に用いてもよい。例えば、Ｗｉ−Ｆｉ形式での無線通信で用いた認証情報のうち、暗号鍵情報のみをＷｉＧｉｇ形式での無線通信に用いてもよい。これにより、ＷＰＳにおいて最も処理時間を必要とする暗号鍵の情報の送信処理を省略できる。
【０１９５】
さらに、実施の形態３及び４では、Ｗｉ−Ｆｉ方式での無線接続を確立するために取得した認証情報をＷｉＧｉｇ方式での無線接続を確立するときに利用したが、本開示はこれに限られない。例えば、ＷｉＧｉｇ方式での無線接続を確立するために取得した認証情報を、再び、ＷｉＧｉｇ方式での無線接続を確立するときに利用してもよい。
【０１９６】
＜まとめ＞
以上説明したように、実施の形態１及び２によれば、Ｗｉ−Ｆｉ方式で無線接続を確立したときに用いられた認証情報を、ＷｉＧｉｇ方式で無線接続を確立するときの認証処理に用いるので、ＷｉＧｉｇ方式で無線接続を確立するための処理を削減できる。このとき、Ｗｉ−Ｆｉ方式で無線接続を確立したときに用いられた認証情報をＷｉＧｉｇ方式での無線接続を確立するための認証情報として用いることができるか否かを、無線通信端末装置２ａがＷｉ−Ｆｉ方式で無線接続を確立したときに無線通信端末装置２ａが属していたネットワークのネットワーク識別情報と、無線通信端末装置２ｂがＷｉ−Ｆｉ方式で無線接続を確立したときに無線通信端末装置２ｂが属していたネットワークのネットワーク識別情報とに基づいて判断する。ここで、ネットワーク識別情報は、実施の形態１及び２では、ＢＳＳＩＤであったが、本開示はこれに限られず、ネットワークを識別できる情報であればよい。
【０１９７】
また、実施の形態１〜４において、認証情報はＳＳＩＤと、暗号方式と、認証方式と、暗号鍵情報とを含むので、ＷｉＧｉｇ方式での無線接続を確立するための処理を簡素化して、処理時間を短縮できる。これは、一般に、ＷｉＧｉｇ方式での無線接続を確立するための処理時間のうち、暗号化に関する調停処理及び認証に関する調停処理が支配的であるからである。
【０１９８】
さらに、無線通信端末装置２ａ、２ｂ、５２ａ、５２ｂは、接続情報をビーコン信号、プローブ要求フレーム又はプローブ応答フレームなどの通信フレームに含めて送信してもよい。例えば、ビーコン信号を用いることで、通信相手となる無線通信端末装置の検出と、通信相手となる無線通信端末装置が有する接続情報等の取得とを同時に行うことができる。一方、ビーコン信号以外の通信フレームを用いることで、接続情報を特定の無線通信端末装置のみに送信することが可能となり、情報の安全性を比較的保つことができる。
【０１９９】
実施の形態１及び２において、２つのＢＳＳＩＤを比較した（図４ＢのステップＳ８及び図１３ＢのステップＳ４５）が、本開示はこれに限られない。接続情報に含まれる２つ以上の情報を比較してもよい。また、通信方式をＷｉ−Ｆｉ方式からＷｉＧｉｇ方式に切替える場合には、その時点で接続が確立している通信方式に関する接続情報を用いることが好ましい。これにより、切替えのための処理をより迅速に行うことができる。特に、アクセスポイント装置を介するＷｉ−Ｆｉ方式の通信から、アクセスポイント装置を経由しない直接経路を介するＷｉＧｉｇ方式の通信に切替える場合に、切替えのための処理をより迅速に実行できる。
【０２００】
一方、無線通信端末装置がモバイル端末であるときは、無線通信端末装置が移動し、接続先のアクセスポイント装置が比較的頻繁に切り替わる。この場合、実施の形態３及び４のように、現時点での接続を確立するために用いられた認証情報に限られず、過去に接続を確立するために用いられた認証情報も用いればよい。これにより、接続先のアクセスポイント装置が切り替わる場合、通信方式をＷｉＧｉｇ方式に切替えるときも、従来技術に比較して接続処理を迅速に行うことができる。
【０２０１】
以上のように、本開示における技術の例示として、実施の形態を説明した。そのために、添付図面及び詳細な説明を提供した。
【０２０２】
従って、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０２０３】
また、上述の実施の形態は、本開示における技術を例示するためのものであるから、特許請求の範囲またはその均等の範囲において種々の変更、置き換え、付加、省略などを行うことができる。
【産業上の利用可能性】
【０２０４】
本開示は、複数の通信方式をサポートする無線通信端末装置で利用可能である。ここで、無線通信端末装置は、例えば、携帯電話機、パーソナルコンピュータ又はトランシーバなどの装置である。
【符号の説明】
【０２０５】
１  アクセスポイント端末
２ａ,２ｂ,５２ａ,５２ｂ  無線通信端末装置
３  Ｗｉ−Ｆｉ通信インタフェース
４  ＷｉＧｉｇ通信インタフェース
５  接続制御部
６  接続情報設定部
７  Ｗｉ−Ｆｉ接続制御部
８  Ｗｉ−Ｆｉプロトコル処理部
９,５９  ＷｉＧｉｇ接続制御部
１０  ＷｉＧｉｇプロトコル処理部
１１  Ｗｉ−Ｆｉ情報付加部
１２  Ｗｉ−Ｆｉ接続判断部
１３  ＢＳＳＩＤ判断部
１４  Ｗｉ−Ｆｉ接続情報管理部
１４Ａ  Ｗｉ−Ｆｉ接続リスト情報管理部
６１  マジック値付加部
６２  マジック値計算部
６３  マジック値判断部
【手続補正２】
【補正対象書類名】特許請求の範囲
【補正対象項目名】全文
【補正方法】変更
【補正の内容】
【特許請求の範囲】
【請求項１】
無線接続を確立するための認証情報を用いて認証処理を実行することにより、所定の第１の通信方式又は所定の第２の通信方式で互いに無線接続される第１及び第２の無線通信端末装置を備えた無線通信システムにおいて、
上記第１の無線通信端末装置は、
上記第１の無線通信端末装置が上記第１の通信方式で無線接続を確立したときに用いられた認証情報と、上記第１の無線通信端末装置が上記第１の通信方式で無線接続を確立したときに上記第１の無線通信端末装置が属していた第１のネットワークの第１のネットワーク識別情報とを格納する第１の接続情報管理部と、
上記第２の通信方式で無線接続を確立する第１の接続制御部とを備え、
上記第２の無線通信端末装置は、
上記第２の無線通信端末装置が上記第１の通信方式で無線接続を確立したときに用いられた認証情報と、上記第２の無線通信端末装置が上記第１の通信方式で無線接続を確立したときに上記第２の無線通信端末装置が属していた第２のネットワークの第２のネットワーク識別情報とを格納する第２の接続情報管理部と、
上記第２の通信方式で無線接続を確立する第２の接続制御部とを備え、
上記第１の接続制御部は、上記第２の通信方式で無線接続を確立することを要求しかつ上記第１のネットワーク識別情報を含む要求フレームを、上記第２の無線通信端末装置に送信し、
上記第２の接続制御部は、上記要求フレームに応答して、上記第２のネットワーク識別情報を含む応答フレームを上記第１の無線通信端末装置に送信し、
上記第１の接続制御部は、上記応答フレームに応答して、上記応答フレームに含まれる第２のネットワーク識別情報を上記第１の接続情報管理部に格納された第１のネットワーク識別情報と比較し、上記応答フレームに含まれる第２のネットワーク識別情報が上記第１の接続情報管理部に格納された第１のネットワーク識別情報と一致するとき、上記第１の接続情報管理部に格納された認証情報を用いて上記第２の無線通信端末装置との間で認証処理を実行し、上記第２の無線通信端末装置との間で上記第２の通信方式で無線接続を確立することを特徴とする無線通信システム。
【請求項２】
上記第１の接続制御部は、上記応答フレームに含まれる第２のネットワーク識別情報が上記第１の接続情報管理部に格納された第１のネットワーク識別情報と一致しないとき、所定の認証情報取得処理を実行することにより、上記第２の無線通信端末装置との間で上記第２の通信方式で無線接続を確立するための認証情報を取得し、当該取得された認証情報を用いて上記第２の無線通信端末装置との間で認証処理を実行することを特徴とする請求項１記載の無線通信システム。
【請求項３】
上記第１の接続制御部は、上記応答フレームに含まれる第２のネットワーク識別情報と、上記第１の接続情報管理部に格納された第１のネットワーク識別情報との間の比較結果を含む確認フレームを上記第２の無線通信端末装置に送信することを特徴とする請求項１又は２記載の無線通信システム。
【請求項４】
上記要求フレームは、Ｗｉ−Ｆｉダイレクトに準拠したグループオーナーネゴシエーション要求フレームであり、
上記応答フレームは、Ｗｉ−Ｆｉダイレクトに準拠したグループオーナーネゴシエーション応答フレームであり、
上記確認フレームは、Ｗｉ−Ｆｉダイレクトに準拠したグループオーナーネゴシエーション確認フレームであることを特徴とする請求項３記載の無線通信システム。
【請求項５】
上記認証情報は、サービスセット識別子と、暗号方式と、認証方式と、暗号鍵情報とを含むことを特徴とする請求項１から４のうちのいずれか１つに記載の無線通信システム。
【請求項６】
上記第１の通信方式において用いられる周波数帯と、上記第２の通信方式において用いられる周波数帯とは互いに異なることを特徴とする請求項１から５のうちのいずれか１つに記載の無線通信システム。
【請求項７】
上記第１の通信方式は、上記第１及び第２の無線通信端末装置がアクセスポイント装置を介して無線通信を行うＷｉ−Ｆｉ方式であり、
上記第２の通信方式は、上記第１及び第２の無線通信端末装置が上記アクセスポイント装置を介することなく無線通信を行うＷｉＧｉｇ方式であり、
上記ネットワーク識別情報は、上記アクセスポイント装置のベーシックサービスセット識別子であることを特徴とする請求項１から６のうちのいずれか１つに記載の無線通信システム。
【請求項８】
無線接続を確立するための認証情報を用いて認証処理を実行することにより、所定の第１の通信方式又は所定の第２の通信方式で互いに無線接続される第１及び第２の無線通信端末装置を備えた無線通信システムの制御方法において、
上記第１の無線通信端末装置は、
上記第１の無線通信端末装置が上記第１の通信方式で無線接続を確立したときに用いられた認証情報と、上記第１の無線通信端末装置が上記第１の通信方式で無線接続を確立したときに上記第１の無線通信端末装置が属していた第１のネットワークの第１のネットワーク識別情報とを格納する第１の接続情報管理部と、
上記第２の通信方式で無線接続を確立する第１の接続制御部とを備え、
上記第２の無線通信端末装置は、
上記第２の無線通信端末装置が上記第１の通信方式で無線接続を確立したときに用いられた認証情報と、上記第２の無線通信端末装置が上記第１の通信方式で無線接続を確立したときに上記第２の無線通信端末装置が属していた第２のネットワークの第２のネットワーク識別情報とを格納する第２の接続情報管理部と、
上記第２の通信方式で無線接続を確立する第２の接続制御部とを備え、
上記制御方法は、
上記第１の接続制御部が、上記第２の通信方式で無線接続を確立することを要求しかつ上記第１のネットワーク識別情報を含む要求フレームを、上記第２の無線通信端末装置に送信するステップと、
上記第２の接続制御部が、上記要求フレームに応答して、上記第２のネットワーク識別情報を含む応答フレームを上記第１の無線通信端末装置に送信するステップと、
上記第１の接続制御部が、上記応答フレームに応答して、上記応答フレームに含まれる第２のネットワーク識別情報を上記第１の接続情報管理部に格納された第１のネットワーク識別情報と比較し、上記応答フレームに含まれる第２のネットワーク識別情報が上記第１の接続情報管理部に格納された第１のネットワーク識別情報と一致するとき、上記第１の接続情報管理部に格納された認証情報を用いて上記第２の無線通信端末装置との間で認証処理を実行し、上記第２の無線通信端末装置との間で上記第２の通信方式で無線接続を確立するステップとを含むことを特徴とする無線通信システムの制御方法。
【請求項９】
無線接続を確立するための認証情報を用いて認証処理を実行することにより、所定の第１の通信方式又は所定の第２の通信方式で互いに無線接続される第１及び第２の無線通信端末装置を備えた無線通信システムのための第１の無線通信端末装置において、
上記第１の無線通信端末装置は、
上記第１の無線通信端末装置が上記第１の通信方式で無線接続を確立したときに用いられた認証情報と、上記第１の無線通信端末装置が上記第１の通信方式で無線接続を確立したときに上記第１の無線通信端末装置が属していた第１のネットワークの第１のネットワーク識別情報とを格納する第１の接続情報管理部と、
上記第２の通信方式で無線接続を確立する第１の接続制御部とを備え、
上記第２の無線通信端末装置は、
上記第２の無線通信端末装置が上記第１の通信方式で無線接続を確立したときに用いられた認証情報と、上記第２の無線通信端末装置が上記第１の通信方式で無線接続を確立したときに上記第２の無線通信端末装置が属していた第２のネットワークの第２のネットワーク識別情報とを格納する第２の接続情報管理部と、
上記第２の通信方式で無線接続を確立する第２の接続制御部とを備え、
上記第１の接続制御部は、
上記第２の通信方式で無線接続を確立することを要求しかつ上記第１のネットワーク識別情報を含む要求フレームを、上記第２の無線通信端末装置に送信し、
上記要求フレームに応答して上記第２の無線通信端末装置によって送信されかつ上記第２の無線通信端末装置が上記第１の通信方式で無線接続を確立したときに上記第２の無線通信端末装置が属していた第２のネットワークの第２のネットワーク識別情報を含む応答フレームに応答して、上記応答フレームに含まれる第２のネットワーク識別情報を上記第１の接続情報管理部に格納された第１のネットワーク識別情報と比較し、上記応答フレームに含まれる第２のネットワーク識別情報が上記第１の接続情報管理部に格納された第１のネットワーク識別情報と一致するとき、上記第１の接続情報管理部に格納された認証情報を用いて上記第２の無線通信端末装置との間で認証処理を実行し、上記第２の無線通信端末装置との間で上記第２の通信方式で無線接続を確立することを特徴とする無線通信端末装置。
【請求項１０】
無線接続を確立するための認証情報を用いて認証処理を実行することにより、所定の第１の通信方式又は所定の第２の通信方式で互いに無線接続される第１及び第２の無線通信端末装置を備えた無線通信システムのための第２の無線通信端末装置において、
上記第１の無線通信端末装置は、
上記第１の無線通信端末装置が上記第１の通信方式で無線接続を確立したときに用いられた認証情報と、上記第１の無線通信端末装置が上記第１の通信方式で無線接続を確立したときに上記第１の無線通信端末装置が属していた第１のネットワークの第１のネットワーク識別情報とを格納する第１の接続情報管理部と、
上記第２の通信方式で無線接続を確立する第１の接続制御部とを備え、
上記第２の無線通信端末装置は、
上記第２の無線通信端末装置が上記第１の通信方式で無線接続を確立したときに用いられた認証情報と、上記第２の無線通信端末装置が上記第１の通信方式で無線接続を確立したときに上記第２の無線通信端末装置が属していた第２のネットワークの第２のネットワーク識別情報とを格納する第２の接続情報管理部と、
上記第２の通信方式で無線接続を確立する第２の接続制御部とを備え、
上記第２の接続制御部は、
上記第２の通信方式で無線接続を確立することを要求し、上記第１のネットワーク識別情報を含む要求フレームを、上記第１の無線通信端末装置から受信することに応答して、上記第２のネットワーク識別情報を含む応答フレームを上記第１の無線通信端末装置に送信することを特徴とする無線通信端末装置。
【手続補正３】
【補正対象書類名】図面
【補正対象項目名】全図
【補正方法】変更
【補正の内容】
【図１】
2014024351.tif 000051
【図２】
2014024351.tif 000052
【図３】
2014024351.tif 000053
【図４Ａ】
2014024351.tif 000054
【図４Ｂ】
2014024351.tif 000055
【図５Ａ】
2014024351.tif 000056
【図５Ｂ】
2014024351.tif 000057
【図６】
2014024351.tif 000058
【図７】
2014024351.tif 000059
【図８】
2014024351.tif 000060
【図９】
2014024351.tif 000061
【図１０】
2014024351.tif 000062
【図１１】
2014024351.tif 000063
【図１２】
2014024351.tif 000064
【図１３Ａ】
2014024351.tif 000065
【図１３Ｂ】
2014024351.tif 000066
【図１４Ａ】
2014024351.tif 000067
【図１４Ｂ】
2014024351.tif 000068
【図１５】
2014024351.tif 000069
【図１６】
2014024351.tif 000070
【図１７】
2014024351.tif 000071
【図１８】
2014024351.tif 000072
【図１９】
2014024351.tif 000073
【図２０】
2014024351.tif 000074
【図２１】
2014024351.tif 000075
【図２２】
2014024351.tif 000076
【図２３】
2014024351.tif 000077
【図２４】
2014024351.tif 000078
【図２５Ａ】
2014024351.tif 000079
【図２５Ｂ】
2014024351.tif 000080
【図２６Ａ】
2014024351.tif 000081
【図２６Ｂ】
2014024351.tif 000082
【図２７】
2014024351.tif 000083
【図２８】
2014024351.tif 000084
【図２９】
2014024351.tif 000085
【図３０】
2014024351.tif 000086
【図３１】
2014024351.tif 000087
【図３２】
2014024351.tif 000088
【図３３】
2014024351.tif 000089
【図３４Ａ】
2014024351.tif 000090
【図３４Ｂ】
2014024351.tif 000091
【図３５Ａ】
2014024351.tif 000092
【図３５Ｂ】
2014024351.tif 000093
【図３６】
2014024351.tif 000094
【図３７】
2014024351.tif 000095
【図３８】
2014024351.tif 000096
【図３９】
2014024351.tif 000097
【図４０】
2014024351.tif 000098
【手続補正書】
【提出日】平成27年5月20日(2015.5.20)
【手続補正１】
【補正対象書類名】特許請求の範囲
【補正対象項目名】全文
【補正方法】変更
【補正の内容】
【特許請求の範囲】
【請求項１】
無線接続を確立するための認証情報を用いて認証処理を実行することにより、所定の第１の通信方式又は所定の第２の通信方式で互いに無線接続される第１及び第２の無線通信端末装置を備えた無線通信システムにおいて、
上記第１の無線通信端末装置は、
上記第１の無線通信端末装置が上記第１の通信方式で無線接続を確立したときに用いられた認証情報と、上記第１の無線通信端末装置が上記第１の通信方式で無線接続を確立したときに上記第１の無線通信端末装置が属していた第１のネットワークの第１のネットワーク識別情報とを格納する第１の接続情報管理部と、
上記第２の通信方式で無線接続を確立する第１の接続制御部とを備え、
上記第２の無線通信端末装置は、
上記第２の無線通信端末装置が上記第１の通信方式で無線接続を確立したときに用いられた認証情報と、上記第２の無線通信端末装置が上記第１の通信方式で無線接続を確立したときに上記第２の無線通信端末装置が属していた第２のネットワークの第２のネットワーク識別情報とを格納する第２の接続情報管理部と、
上記第２の通信方式で無線接続を確立する第２の接続制御部とを備え、
上記第１の接続制御部は、上記第２の通信方式で無線接続を確立することを要求しかつ上記第１のネットワーク識別情報を含む要求フレームを、上記第２の無線通信端末装置に送信し、
上記第２の接続制御部は、上記要求フレームに応答して、上記第２のネットワーク識別情報を含む応答フレームを上記第１の無線通信端末装置に送信し、
上記第１の接続制御部は、上記応答フレームに応答して、上記応答フレームに含まれる第２のネットワーク識別情報を上記第１の接続情報管理部に格納された第１のネットワーク識別情報と比較し、上記応答フレームに含まれる第２のネットワーク識別情報が上記第１の接続情報管理部に格納された第１のネットワーク識別情報と一致するとき、上記第１の接続情報管理部に格納された認証情報を用いて上記第２の無線通信端末装置との間で認証処理を実行し、上記第２の無線通信端末装置との間で上記第２の通信方式で無線接続を確立し、
上記認証情報は暗号鍵情報であることを特徴とする無線通信システム。
【請求項２】
上記第１の接続制御部は、上記応答フレームに含まれる第２のネットワーク識別情報が上記第１の接続情報管理部に格納された第１のネットワーク識別情報と一致しないとき、所定の認証情報取得処理を実行することにより、上記第２の無線通信端末装置との間で上記第２の通信方式で無線接続を確立するための認証情報を取得し、当該取得された認証情報を用いて上記第２の無線通信端末装置との間で認証処理を実行することを特徴とする請求項１記載の無線通信システム。
【請求項３】
上記第１の接続制御部は、上記応答フレームに含まれる第２のネットワーク識別情報と、上記第１の接続情報管理部に格納された第１のネットワーク識別情報との間の比較結果を含む確認フレームを上記第２の無線通信端末装置に送信することを特徴とする請求項１又は２記載の無線通信システム。
【請求項４】
上記要求フレームは、Ｗｉ−Ｆｉダイレクトに準拠したグループオーナーネゴシエーション要求フレームであり、
上記応答フレームは、Ｗｉ−Ｆｉダイレクトに準拠したグループオーナーネゴシエーション応答フレームであり、
上記確認フレームは、Ｗｉ−Ｆｉダイレクトに準拠したグループオーナーネゴシエーション確認フレームであることを特徴とする請求項３記載の無線通信システム。
【請求項５】
上記認証情報は、サービスセット識別子と、暗号方式と、認証方式とをさらに含むことを特徴とする請求項１から４のうちのいずれか１つに記載の無線通信システム。
【請求項６】
上記第１の通信方式において用いられる周波数帯と、上記第２の通信方式において用いられる周波数帯とは互いに異なることを特徴とする請求項１から５のうちのいずれか１つに記載の無線通信システム。
【請求項７】
上記第１の通信方式は、上記第１及び第２の無線通信端末装置がアクセスポイント装置を介して無線通信を行うＷｉ−Ｆｉ方式であり、
上記第２の通信方式は、上記第１及び第２の無線通信端末装置が上記アクセスポイント装置を介することなく無線通信を行うＷｉＧｉｇ方式であり、
上記ネットワーク識別情報は、上記アクセスポイント装置のベーシックサービスセット識別子であることを特徴とする請求項１から６のうちのいずれか１つに記載の無線通信システム。
【請求項８】
無線接続を確立するための認証情報を用いて認証処理を実行することにより、所定の第１の通信方式又は所定の第２の通信方式で互いに無線接続される第１及び第２の無線通信端末装置を備えた無線通信システムの制御方法において、
上記第１の無線通信端末装置は、
上記第１の無線通信端末装置が上記第１の通信方式で無線接続を確立したときに用いられた認証情報と、上記第１の無線通信端末装置が上記第１の通信方式で無線接続を確立したときに上記第１の無線通信端末装置が属していた第１のネットワークの第１のネットワーク識別情報とを格納する第１の接続情報管理部と、
上記第２の通信方式で無線接続を確立する第１の接続制御部とを備え、
上記第２の無線通信端末装置は、
上記第２の無線通信端末装置が上記第１の通信方式で無線接続を確立したときに用いられた認証情報と、上記第２の無線通信端末装置が上記第１の通信方式で無線接続を確立したときに上記第２の無線通信端末装置が属していた第２のネットワークの第２のネットワーク識別情報とを格納する第２の接続情報管理部と、
上記第２の通信方式で無線接続を確立する第２の接続制御部とを備え、
上記制御方法は、
上記第１の接続制御部が、上記第２の通信方式で無線接続を確立することを要求しかつ上記第１のネットワーク識別情報を含む要求フレームを、上記第２の無線通信端末装置に送信するステップと、
上記第２の接続制御部が、上記要求フレームに応答して、上記第２のネットワーク識別情報を含む応答フレームを上記第１の無線通信端末装置に送信するステップと、
上記第１の接続制御部が、上記応答フレームに応答して、上記応答フレームに含まれる第２のネットワーク識別情報を上記第１の接続情報管理部に格納された第１のネットワーク識別情報と比較し、上記応答フレームに含まれる第２のネットワーク識別情報が上記第１の接続情報管理部に格納された第１のネットワーク識別情報と一致するとき、上記第１の接続情報管理部に格納された認証情報を用いて上記第２の無線通信端末装置との間で認証処理を実行し、上記第２の無線通信端末装置との間で上記第２の通信方式で無線接続を確立するステップとを含み、
上記認証情報は暗号鍵情報であることを特徴とする無線通信システムの制御方法。
【請求項９】
無線接続を確立するための認証情報を用いて認証処理を実行することにより、所定の第１の通信方式又は所定の第２の通信方式で互いに無線接続される第１及び第２の無線通信端末装置を備えた無線通信システムのための第１の無線通信端末装置において、
上記第１の無線通信端末装置は、
上記第１の無線通信端末装置が上記第１の通信方式で無線接続を確立したときに用いられた認証情報と、上記第１の無線通信端末装置が上記第１の通信方式で無線接続を確立したときに上記第１の無線通信端末装置が属していた第１のネットワークの第１のネットワーク識別情報とを格納する第１の接続情報管理部と、
上記第２の通信方式で無線接続を確立する第１の接続制御部とを備え、
上記第２の無線通信端末装置は、
上記第２の無線通信端末装置が上記第１の通信方式で無線接続を確立したときに用いられた認証情報と、上記第２の無線通信端末装置が上記第１の通信方式で無線接続を確立したときに上記第２の無線通信端末装置が属していた第２のネットワークの第２のネットワーク識別情報とを格納する第２の接続情報管理部と、
上記第２の通信方式で無線接続を確立する第２の接続制御部とを備え、
上記第１の接続制御部は、
上記第２の通信方式で無線接続を確立することを要求しかつ上記第１のネットワーク識別情報を含む要求フレームを、上記第２の無線通信端末装置に送信し、
上記要求フレームに応答して上記第２の無線通信端末装置によって送信されかつ上記第２の無線通信端末装置が上記第１の通信方式で無線接続を確立したときに上記第２の無線通信端末装置が属していた第２のネットワークの第２のネットワーク識別情報を含む応答フレームに応答して、上記応答フレームに含まれる第２のネットワーク識別情報を上記第１の接続情報管理部に格納された第１のネットワーク識別情報と比較し、上記応答フレームに含まれる第２のネットワーク識別情報が上記第１の接続情報管理部に格納された第１のネットワーク識別情報と一致するとき、上記第１の接続情報管理部に格納された認証情報を用いて上記第２の無線通信端末装置との間で認証処理を実行し、上記第２の無線通信端末装置との間で上記第２の通信方式で無線接続を確立し、
上記認証情報は暗号鍵情報であることを特徴とする無線通信端末装置。
【請求項１０】
無線接続を確立するための認証情報を用いて認証処理を実行することにより、所定の第１の通信方式又は所定の第２の通信方式で互いに無線接続される第１及び第２の無線通信端末装置を備えた無線通信システムのための第２の無線通信端末装置において、
上記第１の無線通信端末装置は、
上記第１の無線通信端末装置が上記第１の通信方式で無線接続を確立したときに用いられた認証情報と、上記第１の無線通信端末装置が上記第１の通信方式で無線接続を確立したときに上記第１の無線通信端末装置が属していた第１のネットワークの第１のネットワーク識別情報とを格納する第１の接続情報管理部と、
上記第２の通信方式で無線接続を確立する第１の接続制御部とを備え、
上記第２の無線通信端末装置は、
上記第２の無線通信端末装置が上記第１の通信方式で無線接続を確立したときに用いられた認証情報と、上記第２の無線通信端末装置が上記第１の通信方式で無線接続を確立したときに上記第２の無線通信端末装置が属していた第２のネットワークの第２のネットワーク識別情報とを格納する第２の接続情報管理部と、
上記第２の通信方式で無線接続を確立する第２の接続制御部とを備え、
上記第２の接続制御部は、
上記第２の通信方式で無線接続を確立することを要求し、上記第１のネットワーク識別情報を含む要求フレームを、上記第１の無線通信端末装置から受信することに応答して、上記第２のネットワーク識別情報を含む応答フレームを上記第１の無線通信端末装置に送信し、
上記認証情報は暗号鍵情報であることを特徴とする無線通信端末装置。
【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
無線接続を確立するための認証情報を用いて認証処理を実行することにより、所定の第１の通信方式又は所定の第２の通信方式で互いに無線接続される第１及び第２の無線通信端末装置を備えた無線通信システムにおいて、
上記第１の無線通信端末装置は、
上記第１の無線通信端末装置が上記第１の通信方式で無線接続を確立したときに用いられた認証情報と、上記第１の無線通信端末装置が上記第１の通信方式で無線接続を確立したときに上記第１の無線通信端末装置が属していた第１のネットワークの第１のネットワーク識別情報と、を関連づけて複数の組み合わせを格納する第１の接続情報管理部と、
上記第２の通信方式で無線接続を確立する第１の接続制御部とを備え、
上記第２の無線通信端末装置は、
上記第２の無線通信端末装置が上記第１の通信方式で無線接続を確立したときに用いられた認証情報と、上記第２の無線通信端末装置が上記第１の通信方式で無線接続を確立したときに上記第２の無線通信端末装置が属していた第２のネットワークの第２のネットワーク識別情報とを格納する第２の接続情報管理部と、
上記第２の通信方式で無線接続を確立する第２の接続制御部とを備え、
上記第１の接続制御部は、上記第２の通信方式で無線接続を確立することを要求する要求フレームを、上記第２の無線通信端末装置に送信し、
上記第２の接続制御部は、上記要求フレームに応答して、上記第２のネットワーク識別情報に基づく情報を含む応答フレームを上記第１の無線通信端末装置に送信し、
上記第１の接続制御部は、上記応答フレームに含まれる第２のネットワーク識別情報に基づく情報と、上記第１の接続情報管理部に格納された上記複数の組み合わせに含まれる第１のネットワーク識別情報から算出される第１のネットワーク識別情報に基づく情報と比較し、上記応答フレームに含まれる第２のネットワーク識別情報に基づく情報が上記第１のネットワーク識別情報に基づく情報と一致するとき、上記第１の接続情報管理部に格納された認証情報を用いて上記第２の無線通信端末装置との間で認証処理を実行し、上記第２の無線通信端末装置との間で上記第２の通信方式で無線接続を確立し、
上記認証情報は暗号鍵情報であることを特徴とする無線通信システム。
【請求項２】
上記第１の接続制御部は、上記応答フレームに含まれる第２のネットワーク識別情報が上記第１の接続情報管理部に格納された第１のネットワーク識別情報と一致しないとき、所定の認証情報取得処理を実行することにより、上記第２の無線通信端末装置との間で上記第２の通信方式で無線接続を確立するための認証情報を取得し、当該取得された認証情報を用いて上記第２の無線通信端末装置との間で認証処理を実行することを特徴とする請求項１記載の無線通信システム。
【請求項３】
上記第１の接続制御部は、上記応答フレームに含まれる第２のネットワーク識別情報と、上記第１の接続情報管理部に格納された第１のネットワーク識別情報との間の比較結果を含む確認フレームを上記第２の無線通信端末装置に送信することを特徴とする請求項１又は２記載の無線通信システム。
【請求項４】
上記要求フレームは、Ｗｉ−Ｆｉダイレクトに準拠したグループオーナーネゴシエーション要求フレームであり、
上記応答フレームは、Ｗｉ−Ｆｉダイレクトに準拠したグループオーナーネゴシエーション応答フレームであり、
上記確認フレームは、Ｗｉ−Ｆｉダイレクトに準拠したグループオーナーネゴシエーション確認フレームであることを特徴とする請求項３記載の無線通信システム。
【請求項５】
上記認証情報は、サービスセット識別子と、暗号方式と、認証方式とをさらに含むことを特徴とする請求項１から４のうちのいずれか１つに記載の無線通信システム。
【請求項６】
上記第１の通信方式において用いられる周波数帯と、上記第２の通信方式において用いられる周波数帯とは互いに異なることを特徴とする請求項１から５のうちのいずれか１つに記載の無線通信システム。
【請求項７】
上記第１の通信方式は、上記第１及び第２の無線通信端末装置がアクセスポイント装置を介して無線通信を行うＷｉ−Ｆｉ方式であり、
上記第２の通信方式は、上記第１及び第２の無線通信端末装置が上記アクセスポイント装置を介することなく無線通信を行うＷｉＧｉｇ方式であり、
上記ネットワーク識別情報は、上記アクセスポイント装置のベーシックサービスセット識別子であることを特徴とする請求項１から６のうちのいずれか１つに記載の無線通信システム。
【請求項８】
無線接続を確立するための認証情報を用いて認証処理を実行することにより、所定の第１の通信方式又は所定の第２の通信方式で互いに無線接続される第１及び第２の無線通信端末装置を備えた無線通信システムの制御方法において、
上記第１の無線通信端末装置は、
上記第１の無線通信端末装置が上記第１の通信方式で無線接続を確立したときに用いられた認証情報と、上記第１の無線通信端末装置が上記第１の通信方式で無線接続を確立したときに上記第１の無線通信端末装置が属していた第１のネットワークの第１のネットワーク識別情報と、を関連づけて複数の組み合わせを格納する第１の接続情報管理部と、
上記第２の通信方式で無線接続を確立する第１の接続制御部とを備え、
上記第２の無線通信端末装置は、
上記第２の無線通信端末装置が上記第１の通信方式で無線接続を確立したときに用いられた認証情報と、上記第２の無線通信端末装置が上記第１の通信方式で無線接続を確立したときに上記第２の無線通信端末装置が属していた第２のネットワークの第２のネットワーク識別情報とを格納する第２の接続情報管理部と、
上記第２の通信方式で無線接続を確立する第２の接続制御部とを備え、
上記制御方法は、
上記第１の接続制御部が、上記第２の通信方式で無線接続を確立することを要求する要求フレームを、上記第２の無線通信端末装置に送信するステップと、
上記第２の接続制御部が、上記要求フレームに応答して、上記第２のネットワーク識別情報に基づく情報を含む応答フレームを上記第１の無線通信端末装置に送信するステップと、
上記第１の接続制御部が、上記応答フレームに含まれる第２のネットワーク識別情報に基づく情報と、上記第１の接続情報管理部に格納された上記複数の組み合わせに含まれる第１のネットワーク識別情報から算出される第１のネットワーク識別情報に基づく情報と比較し、上記応答フレームに含まれる第２のネットワーク識別情報に基づく情報が上記第１のネットワーク識別情報に基づく情報と一致するとき、上記第１の接続情報管理部に格納された認証情報を用いて上記第２の無線通信端末装置との間で認証処理を実行し、上記第２の無線通信端末装置との間で上記第２の通信方式で無線接続を確立するステップとを含み、
上記認証情報は暗号鍵情報であることを特徴とする無線通信システムの制御方法。
【請求項９】
無線接続を確立するための認証情報を用いて認証処理を実行することにより、所定の第１の通信方式又は所定の第２の通信方式で互いに無線接続される第１及び第２の無線通信端末装置を備えた無線通信システムのための第１の無線通信端末装置において、
上記第１の無線通信端末装置は、
上記第１の無線通信端末装置が上記第１の通信方式で無線接続を確立したときに用いられた認証情報と、上記第１の無線通信端末装置が上記第１の通信方式で無線接続を確立したときに上記第１の無線通信端末装置が属していた第１のネットワークの第１のネットワーク識別情報と、を関連づけて複数の組み合わせを格納する第１の接続情報管理部と、
上記第２の通信方式で無線接続を確立する第１の接続制御部とを備え、
上記第２の無線通信端末装置は、
上記第２の無線通信端末装置が上記第１の通信方式で無線接続を確立したときに用いられた認証情報と、上記第２の無線通信端末装置が上記第１の通信方式で無線接続を確立したときに上記第２の無線通信端末装置が属していた第２のネットワークの第２のネットワーク識別情報とを格納する第２の接続情報管理部と、
上記第２の通信方式で無線接続を確立する第２の接続制御部とを備え、
上記第１の接続制御部は、
上記第２の通信方式で無線接続を確立することを要求する要求フレームを、上記第２の無線通信端末装置に送信し、
上記要求フレームに応答して上記第２の無線通信端末装置によって送信されかつ上記第２の無線通信端末装置が上記第１の通信方式で無線接続を確立したときに上記第２の無線通信端末装置が属していた第２のネットワークの第２のネットワーク識別情報に基づく情報を含む応答フレームに含まれる第２のネットワーク識別情報に基づく情報と、上記第１の接続情報管理部に格納された上記複数の組み合わせに含まれる第１のネットワーク識別情報から算出される第１のネットワーク識別情報に基づく情報と比較し、上記応答フレームに含まれる第２のネットワーク識別情報に基づく情報が上記第１のネットワーク識別情報に基づく情報と一致するとき、上記第１の接続情報管理部に格納された認証情報を用いて上記第２の無線通信端末装置との間で認証処理を実行し、上記第２の無線通信端末装置との間で上記第２の通信方式で無線接続を確立し、
上記認証情報は暗号鍵情報であることを特徴とする無線通信端末装置。
【国際調査報告】
2014024351.tif 000099
2014024351.tif 000100
2014024351.tif 000101
2014024351.tif 000102